(57)【要約】【課題】親展印刷機能を有する印刷装置がネットワークを介して複数接続された親展印刷システムにおいて、これら複数の印刷装置に対する、システム利用者の照合情報に対応した印刷ジョブに係る印刷ジョブ情報を表示するのに好適な印刷ジョブ情報表示システムを提供する。【解決手段】親展印刷システム１を、印刷ジョブの生成や印刷指示などを行う印刷指示装置２と、印刷ジョブに基づき印刷処理を行う第１〜第３の印刷装置３Ａ〜３Ｃと、当該第１〜第３の印刷装置３Ａ〜３Ｃにそれぞれ一対一に対応し、これら第１〜第３の印刷装置３Ａ〜３Ｃの近傍にそれぞれ位置する印刷ジョブの保持処理及び印刷ジョブ情報の表示処理等を行う第１〜第３の印刷ジョブ管理装置４Ａ〜４Ｃとを含んだ構成とし、所定の印刷ジョブ管理装置４において、照合情報に対応した第１〜第３の印刷ジョブ管理装置４Ａ〜４Ｃの保持する印刷ジョブの印刷ジョブ情報を表示するようにした。【選択図】図１
2006309703.tif 000002
【特許請求の範囲】
【請求項１】
複数の印刷装置に対する印刷ジョブを保持し、当該保持した印刷ジョブのうち、所定のシステム利用者に対応した印刷ジョブに係る印刷ジョブ情報を表示する印刷ジョブ情報表示システムであって、
前記システム利用者を照合するための照合情報を取得する照合情報取得手段と、
前記複数の印刷装置のそれぞれに対応し、且つ各印刷装置に対する印刷ジョブを前記照合情報と対応付けて保持する複数の印刷ジョブ保持手段と、
前記各印刷ジョブ保持手段の保持する印刷ジョブの印刷ジョブ情報のうち、前記取得した照合情報に対応した印刷ジョブ情報を取得する印刷ジョブ情報取得手段と、
前記取得した印刷ジョブ情報を表示する印刷ジョブ情報表示手段と、を備えることを特徴とする印刷ジョブ情報表示システム。
【請求項２】
印刷ジョブに基づき印刷処理を実行する印刷装置を、ネットワークを介して複数接続し、前記複数の印刷装置に対する印刷ジョブを保持し、当該保持した印刷ジョブのうち、所定のシステム利用者に対応した印刷ジョブに係る印刷ジョブ情報を表示可能な印刷システムであって、
前記システム利用者を照合するための照合情報を取得する照合情報取得手段と、
前記複数の印刷装置のそれぞれに対応し、且つ各印刷装置に対する印刷ジョブを前記照合情報と対応付けて保持する複数の印刷ジョブ保持手段と、
前記各印刷ジョブ保持手段の保持する印刷ジョブの印刷ジョブ情報のうち、前記取得した照合情報に対応した印刷ジョブ情報を取得する印刷ジョブ情報取得手段と、
前記取得した印刷ジョブ情報を表示する印刷ジョブ情報表示手段と、を備えることを特徴とする印刷システム。
【請求項３】
前記複数の印刷装置にそれぞれ対応した複数の印刷ジョブ保持装置と、印刷ジョブ管理装置とを、ネットワークを介してそれぞれ互いにデータ通信可能に接続し、
前記各印刷ジョブ保持装置は、
前記印刷ジョブ保持手段と、
前記印刷ジョブ管理装置からの照合情報に基づき、前記印刷ジョブ保持手段の保持する印刷ジョブの中から、当該照合情報に対応した印刷ジョブを検索する印刷ジョブ検索手段と、
前記印刷ジョブ管理装置からの取得要求情報に応じて、前記検索処理によって策出された印刷ジョブに対する印刷ジョブ情報を前記印刷ジョブ管理装置に送信する印刷ジョブ情報送信手段とを備え、
前記印刷ジョブ管理装置は、
前記照合情報取得手段と、
前記印刷ジョブ情報取得手段と、
前記印刷ジョブ情報表示手段とを備え、
前記印刷ジョブ情報取得手段は、前記各印刷ジョブ保持装置に対して、前記照合情報取得手段によって取得した照合情報と、当該照合情報に対応した印刷ジョブ情報の取得要求情報とを送信することを特徴とする請求項２記載の印刷システム。
【請求項４】
前記複数の印刷装置と、印刷ジョブ管理装置とを、ネットワークを介してそれぞれ互いにデータ通信可能に接続し、
前記各印刷装置は、
前記印刷ジョブ保持手段と、
前記印刷ジョブ管理装置からの照合情報に基づき、前記印刷ジョブ保持手段の保持する印刷ジョブの中から、当該照合情報に対応した印刷ジョブを検索する印刷ジョブ検索手段と、
前記印刷ジョブ管理装置からの取得要求情報に応じて、前記検索処理によって策出された印刷ジョブに対する印刷ジョブ情報を前記印刷ジョブ管理装置に送信する印刷ジョブ情報送信手段とを備え、
前記印刷ジョブ管理装置は、
前記照合情報取得手段と、
前記印刷ジョブ情報取得手段と、
前記印刷ジョブ情報表示手段とを備え、
前記印刷ジョブ情報取得手段は、前記各印刷装置に対して、前記照合情報取得手段によって取得された照合情報と、当該照合情報に対応した印刷ジョブ情報の取得要求情報とを送信することを特徴とする請求項２記載の印刷システム。
【請求項５】
システム利用者からの指示に応じて、前記各印刷装置に対して前記印刷ジョブの印刷指示を行う複数の印刷指示装置と、印刷ジョブ管理装置とを、ネットワークを介してそれぞれ互いにデータ通信可能に接続し、
前記各印刷指示装置は、
前記印刷ジョブ保持手段と、
前記印刷ジョブ管理装置からの照合情報に基づき、前記印刷ジョブ保持手段の保持する印刷ジョブの中から、当該照合情報に対応した印刷ジョブを検索する印刷ジョブ検索手段と、
前記印刷ジョブ管理装置からの取得要求情報に応じて、前記検索処理によって策出された印刷ジョブに対する印刷ジョブ情報を前記印刷ジョブ管理装置に送信する印刷ジョブ情報送信手段とを備え、
前記印刷ジョブ管理装置は、
前記照合情報取得手段と、
前記印刷ジョブ情報取得手段と、
前記印刷ジョブ情報表示手段とを備え、
前記印刷ジョブ情報取得手段は、前記各印刷指示装置に対して、前記照合情報取得手段によって取得された照合情報と、当該照合情報に対応した印刷ジョブ情報の取得要求情報とを送信することを特徴とする請求項２記載の印刷システム。
【請求項６】
前記印刷ジョブ取得手段は、前記ネットワークに接続された各装置に、前記照合情報取得手段によって取得された照合情報を送信するようになっていると共に、当該送信した照合情報に対する応答情報に基づき前記取得要求情報の送信処理を行い、
前記印刷ジョブ検索手段を備える装置は、前記照合情報に基づき、前記印刷ジョブ検索手段の検索結果情報を前記印刷ジョブ管理装置に送信する検索結果情報送信手段を備えることを特徴とする請求項３乃至請求項５のいずれか１項に記載の印刷システム。
【請求項７】
前記印刷ジョブ管理装置は、
前記ネットワークに接続された各装置に、前記印刷ジョブ検索手段を備える装置を検索するための検索情報を送信する検索情報送信手段を備え、
前記印刷ジョブ取得手段は、前記検索情報に対する前記各装置からの応答情報に基づき、前記照合情報の送信処理を行い、
前記印刷ジョブ検索手段を備える装置は、前記検索情報に対する応答情報を前記印刷ジョブ管理装置に送信する応答情報送信手段を備えることを特徴とする請求項３乃至請求項５のいずれか１項に記載の印刷システム。
【請求項８】
前記各印刷装置が、
前記照合情報取得手段と、
前記印刷ジョブ保持手段と、
前記照合情報に基づき、前記印刷ジョブ保持手段の保持する印刷ジョブの中から、当該照合情報に対応した印刷ジョブを検索する印刷ジョブ検索手段と、
自印刷装置において取得された前記照合情報に対する印刷ジョブ情報を他の印刷装置から取得する印刷ジョブ情報取得手段と、
他の印刷装置からの取得要求情報に応じて、当該他の印刷装置から取得した照合情報に対する前記検索処理によって策出される印刷ジョブに対する印刷ジョブ情報を当該他の印刷装置に送信する印刷ジョブ情報送信手段と、
前記印刷ジョブ情報表示手段とを備え、
前記印刷ジョブ情報取得手段は、前記他の印刷装置に対して、前記照合情報取得手段によって取得された照合情報と、当該照合情報に対応した印刷ジョブ情報の取得要求情報とを送信し、
前記印刷ジョブ情報表示手段は、前記検索処理によって策出された印刷ジョブに対する印刷ジョブ情報と、前記他の印刷装置から取得した印刷ジョブ情報とを表示することを特徴とする請求項２記載の印刷システム。
【請求項９】
前記複数の印刷装置と、当該複数の印刷装置にそれぞれ対応した印刷ジョブ管理装置とを、ネットワークを介してそれぞれ互いにデータ通信可能に接続し、
前記各印刷ジョブ管理装置は、
前記照合情報取得手段と、
前記印刷ジョブ保持手段と、
前記照合情報に基づき、前記印刷ジョブ保持手段の保持する印刷ジョブの中から、当該照合情報に対応した印刷ジョブを検索する印刷ジョブ検索手段と、
自印刷ジョブ管理装置において取得された前記照合情報に対する印刷ジョブ情報を他の印刷ジョブ管理装置から取得する印刷ジョブ情報取得手段と、
他の印刷ジョブ管理装置からの取得要求情報に応じて、当該他の印刷ジョブ管理装置から取得した照合情報に対する前記検索処理によって策出される印刷ジョブに対する印刷ジョブ情報を当該他の印刷ジョブ管理装置に送信する印刷ジョブ情報送信手段と、
前記印刷ジョブ情報表示手段とを備え、
前記印刷ジョブ情報取得手段は、前記他の印刷ジョブ管理装置に対して、前記照合情報取得手段によって取得された照合情報と、当該照合情報に対応した印刷ジョブ情報の取得要求情報とを送信し、
前記印刷ジョブ情報表示手段は、前記検索処理によって策出された印刷ジョブに対する印刷ジョブ情報と、前記他の印刷ジョブ管理装置から取得した印刷ジョブ情報とを表示することを特徴とする請求項２記載の印刷システム。
【請求項１０】
前記印刷ジョブ情報取得手段は、前記照合情報を他装置に送信するときに、当該照合情報を暗号化してから送信することを特徴とする請求項３乃至請求項９のいずれか１項に記載の印刷システム。
【請求項１１】
前記システム利用者からの指示に応じて、前記印刷ジョブ情報表示手段によって表示された印刷ジョブ情報の中から、前記指示に対応した印刷ジョブ情報を選択する印刷ジョブ情報選択手段と、
前記印刷ジョブ情報選択手段によって選択された印刷ジョブ情報に対応する印刷ジョブの印刷処理を、所定の印刷装置に対して実行させる印刷処理実行手段と、を備えることを特徴とする請求項２乃至請求項１０のいずれか１項に記載の印刷システム。
【請求項１２】
前記システム利用者からの指示に応じて、前記印刷ジョブ情報表示手段によって表示された印刷ジョブ情報の中から、前記指示に対応した印刷ジョブ情報を選択する印刷ジョブ情報選択手段と、
前記印刷ジョブ情報選択手段によって選択された印刷ジョブ情報に対応する印刷ジョブを、当該印刷ジョブを保持する装置から削除する印刷ジョブ削除手段と、を備えることを特徴とする請求項２乃至請求項１１のいずれか１項に記載の印刷システム。
【請求項１３】
前記印刷ジョブ情報表示手段は、前記印刷ジョブ情報を表示する際に、表示対象の印刷ジョブ情報のうち印刷処理の実行される可能性の高い印刷ジョブの印刷ジョブ情報を優先して表示することを特徴とする請求項２乃至請求項１２のいずれか１項に記載の印刷システム。
【請求項１４】
前記印刷ジョブの印刷処理回数の情報を取得する印刷処理回数情報取得手段を備え、
前記印刷ジョブ情報表示手段は、前記取得した印刷処理回数情報に基づき、表示対象の印刷ジョブ情報のうち印刷処理回数の多い印刷ジョブの印刷ジョブ情報から順に優先して表示することを特徴とする請求項１３記載の印刷システム。
【請求項１５】
前記印刷ジョブの印刷処理回数の情報を取得する印刷処理回数情報取得手段を備え、
前記印刷ジョブ情報表示手段は、前記取得した印刷処理回数情報に基づき、表示対象の印刷ジョブ情報のうち印刷処理が未実行の印刷ジョブの印刷ジョブ情報を優先して表示することを特徴とする請求項１３又は請求項１４記載の印刷システム。
【請求項１６】
前記印刷ジョブ表示手段を有する装置と、前記印刷ジョブ保持手段を有する装置との位置関係情報を取得する位置関係情報取得手段を備え、
前記印刷ジョブ情報表示手段は、前記取得した位置関係情報に基づき、表示対象の印刷ジョブ情報のうち、前記印刷ジョブ表示手段を有する装置と前記印刷ジョブ情報保持手段を有する装置との物理的距離が近いほど、その印刷ジョブ保持手段を有する装置の保持する印刷ジョブの印刷ジョブ情報を優先して表示することを特徴とする請求項１３乃至請求項１５のいずれか１項に記載の印刷システム。
【請求項１７】
システム利用者を照合するための照合情報を取得する照合情報取得手段と、
自印刷ジョブ管理装置に対応した印刷装置に対する印刷ジョブを前記照合情報と対応付けて保持する印刷ジョブ保持手段と、
前記照合情報に基づき、前記印刷ジョブ保持手段の保持する印刷ジョブの中から、当該照合情報に対応した印刷ジョブを検索する印刷ジョブ検索手段と、
自印刷ジョブ管理装置において認証されたシステム利用者の照合情報に対する印刷ジョブ情報を他装置から取得する印刷ジョブ情報取得手段と、
前記他装置からの取得要求情報に応じて、当該他装置から取得した照合情報に対する前記検索処理によって策出される印刷ジョブに対する印刷ジョブ情報を当該他装置に送信する印刷ジョブ情報送信手段と、
前記取得した印刷ジョブ情報を表示する印刷ジョブ情報表示手段とを備え、
前記印刷ジョブ情報取得手段は、前記他装置に対して、前記照合情報取得手段によって取得された照合情報と、当該照合情報に対応した印刷ジョブ情報の取得要求情報とを送信し、
前記印刷ジョブ情報表示手段は、前記検索処理によって策出された印刷ジョブに対する印刷ジョブ情報と、前記他装置から取得した印刷ジョブ情報とを表示することを特徴とする印刷ジョブ管理装置。
【請求項１８】
前記印刷ジョブ情報取得手段は、前記照合情報を他装置に送信するときに、当該照合情報を暗号化してから送信することを特徴とする請求項１７記載の印刷ジョブ管理装置。
【請求項１９】
前記システム利用者からの指示に応じて、前記印刷ジョブ情報表示手段によって表示された印刷ジョブ情報の中から、前記指示に対応した印刷ジョブ情報を選択する印刷ジョブ情報選択手段と、
前記印刷ジョブ情報選択手段によって選択された印刷ジョブ情報に対応する印刷ジョブの印刷処理を、所定の印刷装置に対して実行させる印刷処理実行手段と、を備えることを特徴とする請求項１７又は請求項１８記載の印刷ジョブ管理装置。
【請求項２０】
前記システム利用者からの指示に応じて、前記印刷ジョブ情報表示手段によって表示された印刷ジョブ情報の中から、前記指示に対応した印刷ジョブ情報を選択する印刷ジョブ情報選択手段と、
前記印刷ジョブ情報選択手段によって選択された印刷ジョブ情報に対応する印刷ジョブを、当該印刷ジョブを保持する装置から削除する印刷ジョブ削除手段と、を備えることを特徴とする請求項１７乃至請求項１９のいずれか１項に記載の印刷ジョブ管理装置。
【請求項２１】
前記印刷ジョブ情報表示手段は、前記印刷ジョブ情報を表示する際に、表示対象の印刷ジョブ情報のうち印刷処理の実行される可能性の高い印刷ジョブの印刷ジョブ情報を優先して表示することを特徴とする請求項１７乃至請求項２０のいずれか１項に記載の印刷ジョブ管理装置。
【請求項２２】
前記印刷ジョブの印刷処理回数の情報を取得する印刷処理回数情報取得手段を備え、
前記印刷ジョブ情報表示手段は、前記取得した印刷処理回数情報に基づき、表示対象の印刷ジョブ情報のうち印刷処理回数の多い印刷ジョブの印刷ジョブ情報から順に優先して表示することを特徴とする請求項２１記載の印刷ジョブ管理装置。
【請求項２３】
前記印刷ジョブの印刷処理回数の情報を取得する印刷処理回数情報取得手段を備え、
前記印刷ジョブ情報表示手段は、表示対象の印刷ジョブ情報のうち印刷処理が未実行の印刷ジョブの印刷ジョブ情報を優先して表示することを特徴とする請求項２１又は請求項２２記載の印刷ジョブ管理装置。
【請求項２４】
前記印刷ジョブ表示手段を有する装置と、前記印刷ジョブ保持手段を有する装置との位置関係情報を取得する位置関係情報取得手段を備え、
前記印刷ジョブ情報表示手段は、前記取得した位置関係情報に基づき、表示対象の印刷ジョブ情報のうち、前記印刷ジョブ表示手段を有する装置と前記印刷ジョブ情報保持手段を有する装置との物理的距離が近いほど、その印刷ジョブ保持手段を有する装置の保持する印刷ジョブの印刷ジョブ情報を優先して表示することを特徴とする請求項２１乃至請求項２３のいずれか１項に記載の印刷ジョブ管理装置。
【請求項２５】
システム利用者を照合するための照合情報を取得する照合情報取得ステップと、
印刷ジョブを前記照合情報と対応付けて保持する印刷ジョブ保持ステップと、
前記取得した照合情報に基づき、前記印刷ジョブ保持ステップによって保持された印刷ジョブの中から、当該照合情報に対応した印刷ジョブを検索する印刷ジョブ検索ステップと、
前記認証ステップにおいて認証されたシステム利用者の照合情報に対する印刷ジョブ情報を取得する印刷ジョブ情報取得ステップと、
取得要求情報に応じて、前記照合情報に対する前記検索処理によって策出される印刷ジョブに対する印刷ジョブ情報を当該取得要求情報の送信元の装置に送信する印刷ジョブ情報送信ステップと、
前記取得した印刷ジョブ情報を表示する印刷ジョブ情報表示ステップとからなる処理をコンピュータに実行させるのに使用するプログラムを含み、
前記印刷ジョブ情報取得ステップにおいては、前記照合情報取得ステップにおいて取得された照合情報と、当該照合情報に対応した印刷ジョブ情報の取得要求情報とを送信対象の装置に送信し、
前記印刷ジョブ情報表示ステップにおいては、前記検索処理によって策出された印刷ジョブに対する印刷ジョブ情報と、前記送信対象の装置から取得した印刷ジョブ情報とを表示することを特徴とする印刷ジョブ管理装置制御プログラム。
【請求項２６】
システム利用者を照合するための照合情報を取得する照合情報取得ステップと、
印刷ジョブを前記照合情報と対応付けて保持する印刷ジョブ保持ステップと、
印刷ジョブ管理装置からの前記照合情報に基づき、前記印刷ジョブ保持ステップによって保持された印刷ジョブの中から、当該照合情報に対応した印刷ジョブを検索する印刷ジョブ検索ステップと、
前記照合情報取得ステップにおいて取得された照合情報に対する印刷ジョブ情報を取得する印刷ジョブ情報取得ステップと、
取得要求情報に応じて、前記照合情報に対する前記検索処理によって策出される印刷ジョブに対する印刷ジョブ情報を当該取得要求情報の送信元の装置に送信する印刷ジョブ情報送信ステップと、
前記取得した印刷ジョブ情報を表示する印刷ジョブ情報表示ステップと、を含み、
前記印刷ジョブ情報取得ステップにおいては、前記照合情報取得ステップにおいて取得された照合情報と、当該照合情報に対応した印刷ジョブ情報の取得要求情報とを送信対象の装置に送信し、
前記印刷ジョブ情報表示ステップにおいては、前記検索処理によって策出された印刷ジョブに対する印刷ジョブ情報と、前記送信対象の装置から取得した印刷ジョブ情報とを表示することを特徴とする印刷ジョブ管理装置制御方法。
【請求項２７】
システム利用者を照合するための照合情報を取得する照合情報取得手段と、
自印刷装置に対する印刷ジョブを前記照合情報と対応付けて保持する印刷ジョブ保持手段と、
前記照合情報に基づき、前記印刷ジョブ保持手段の保持する印刷ジョブの中から、当該照合情報に対応した印刷ジョブを検索する印刷ジョブ検索手段と、
自印刷装置において取得された照合情報に対する印刷ジョブ情報を他装置から取得する印刷ジョブ情報取得手段と、
前記他装置からの取得要求情報に応じて、当該他装置から取得した照合情報に対する前記検索処理によって策出される印刷ジョブに対する印刷ジョブ情報を当該他装置に送信する印刷ジョブ情報送信手段と、
前記取得した印刷ジョブ情報を表示する印刷ジョブ情報表示手段とを備え、
前記印刷ジョブ情報取得手段は、前記他装置に対して、前記照合情報取得手段によって取得された照合情報と、当該照合情報に対応した印刷ジョブ情報の取得要求情報とを送信し、
前記印刷ジョブ情報表示手段は、前記検索処理によって策出された印刷ジョブに対する印刷ジョブ情報と、前記他装置から取得した印刷ジョブ情報とを表示することを特徴とする印刷装置。
【請求項２８】
前記印刷ジョブ情報取得手段は、前記照合情報を他装置に送信するときに、当該照合情報を暗号化してから送信することを特徴とする請求項２７記載の印刷装置。
【請求項２９】
前記システム利用者からの指示に応じて、前記印刷ジョブ情報表示手段によって表示された印刷ジョブ情報の中から、前記指示に対応した印刷ジョブ情報を選択する印刷ジョブ情報選択手段と、
前記印刷ジョブ情報選択手段によって選択された印刷ジョブ情報に対応する印刷ジョブの印刷処理を、所定の印刷装置に対して実行させる印刷処理実行手段と、を備えることを特徴とする請求項２７又は請求項２８記載の印刷装置。
【請求項３０】
前記システム利用者からの指示に応じて、前記印刷ジョブ情報表示手段によって表示された印刷ジョブ情報の中から、前記指示に対応した印刷ジョブ情報を選択する印刷ジョブ情報選択手段と、
前記印刷ジョブ情報選択手段によって選択された印刷ジョブ情報に対応する印刷ジョブを、当該印刷ジョブを保持する装置から削除する印刷ジョブ削除手段と、を備えることを特徴とする請求項２７乃至請求項２９のいずれか１項に記載の印刷装置。
【請求項３１】
前記印刷ジョブ情報表示手段は、前記印刷ジョブ情報を表示する際に、表示対象の印刷ジョブ情報のうち印刷処理の実行される可能性の高い印刷ジョブの印刷ジョブ情報を優先して表示することを特徴とする請求項２７乃至請求項３０のいずれか１項に記載の印刷装置。
【請求項３２】
前記印刷ジョブの印刷処理回数の情報を取得する印刷処理回数情報取得手段を備え、
前記印刷ジョブ情報表示手段は、前記取得した印刷処理回数情報に基づき、表示対象の印刷ジョブ情報のうち印刷処理回数の多い印刷ジョブの印刷ジョブ情報から順に優先して表示することを特徴とする請求項３１記載の印刷装置。
【請求項３３】
前記印刷ジョブの印刷処理回数の情報を取得する印刷処理回数情報取得手段を備え、
前記印刷ジョブ情報表示手段は、表示対象の印刷ジョブ情報のうち印刷処理が未実行の印刷ジョブの印刷ジョブ情報を優先して表示することを特徴とする請求項３０又は請求項３２記載の印刷装置。
【請求項３４】
前記印刷ジョブ表示手段を有する装置と、前記印刷ジョブ保持手段を有する装置との位置関係情報を取得する位置関係情報取得手段を備え、
前記印刷ジョブ情報表示手段は、前記取得した位置関係情報に基づき、表示対象の印刷ジョブ情報のうち、前記印刷ジョブ表示手段を有する装置と前記印刷ジョブ情報保持手段を有する装置との物理的距離が近いほど、その印刷ジョブ保持手段を有する装置の保持する印刷ジョブの印刷ジョブ情報を優先して表示することを特徴とする請求項３０乃至請求項３３のいずれか１項に記載の印刷装置。
【請求項３５】
システム利用者を照合するための照合情報を取得する照合情報取得ステップと、
自印刷装置に対する印刷ジョブを前記照合情報と対応付けて保持する印刷ジョブ保持ステップと、
前記照合情報に基づき、前記印刷ジョブ保持ステップによって保持された印刷ジョブの中から、当該照合情報に対応した印刷ジョブを検索する印刷ジョブ検索ステップと、
前記照合情報取得ステップにおいて取得された照合情報に対する印刷ジョブ情報を取得する印刷ジョブ情報取得ステップと、
取得要求情報に応じて、前記照合情報に対する前記検索処理によって策出される印刷ジョブに対する印刷ジョブ情報を前記取得要求情報の送信元の装置に送信する印刷ジョブ情報送信ステップと、
前記取得した印刷ジョブ情報を表示する印刷ジョブ情報表示ステップとからなる処理をコンピュータに実行させるのに使用するプログラムを含み、
前記印刷ジョブ情報取得ステップにおいては、前記照合情報取得ステップにおいて取得された照合情報と、当該照合情報に対応した印刷ジョブ情報の取得要求情報とを送信対象の装置に送信し、
前記印刷ジョブ情報表示ステップにおいては、前記検索処理によって策出された印刷ジョブに対する印刷ジョブ情報と、前記他装置から取得した印刷ジョブ情報とを表示することを特徴とする印刷装置制御プログラム。
【請求項３６】
前記印刷ジョブ情報表示ステップにおいては、前記印刷ジョブ情報を表示する際に、表示対象の印刷ジョブ情報のうち印刷処理の実行される可能性の高い印刷ジョブの印刷ジョブ情報を優先して表示することを特徴とする請求項３５記載の印刷装置制御プログラム。
【請求項３７】
システム利用者を照合するための照合情報を取得する照合情報取得ステップと、
自印刷装置に対する印刷ジョブを前記照合情報と対応付けて保持する印刷ジョブ保持ステップと、
前記照合情報に基づき、前記印刷ジョブ保持ステップによって保持された印刷ジョブの中から、当該照合情報に対応した印刷ジョブを検索する印刷ジョブ検索ステップと、
前記照合情報取得ステップにおいて取得された照合情報に対する印刷ジョブ情報を取得する印刷ジョブ情報取得ステップと、
取得要求情報に応じて、前記照合情報に対する前記検索処理によって策出される印刷ジョブに対する印刷ジョブ情報を前記取得要求情報の送信元の装置に送信する印刷ジョブ情報送信ステップと、
前記取得した印刷ジョブ情報を表示する印刷ジョブ情報表示ステップと、を含み、
前記印刷ジョブ情報取得ステップにおいては、前記照合情報取得ステップにおいて取得された照合情報と、当該照合情報に対応した印刷ジョブ情報の取得要求情報とを送信対象の装置に送信し、
前記印刷ジョブ情報表示ステップにおいては、前記検索処理によって策出された印刷ジョブに対する印刷ジョブ情報と、前記他装置から取得した印刷ジョブ情報とを表示することを特徴とする印刷装置制御方法。
【請求項３８】
前記印刷ジョブ情報表示ステップにおいては、前記印刷ジョブ情報を表示する際に、表示対象の印刷ジョブ情報のうち印刷処理の実行される可能性の高い印刷ジョブの印刷ジョブ情報を優先して表示することを特徴とする請求項３７記載の印刷装置制御方法。
【発明の詳細な説明】
【技術分野】
【０００１】
本発明は、システム利用者が認証された印刷ジョブに対してのみ印刷処理を実行する親展印刷システムに係り、特に、親展印刷機能を有する印刷装置がネットワークを介して複数接続された親展印刷システムにおいて、これら複数の印刷装置に対する、認証されたシステム利用者の印刷ジョブに係る印刷ジョブ情報を表示するのに好適な印刷ジョブ情報表示システム、印刷ジョブ情報表示プログラム及び印刷ジョブ情報表示方法、印刷ジョブ保持装置、印刷ジョブ保持装置制御プログラム及び印刷ジョブ保持装置制御方法、印刷ジョブ管理装置、印刷ジョブ管理装置制御プログラム及び印刷ジョブ管理装置制御方法、並びに印刷装置、印刷装置制御プログラム及び印刷装置制御方法に関する。
【背景技術】
【０００２】
従来、印刷指示者が印刷物を第三者に見られることなく印刷物を得られるようにした技術に、特許文献１に記載の画像出力制御方法及び画像出力装置とがある。
特許文献１の画像出力制御方法及び画像出力装置は、クライアント装置から印刷データと共に認証コードが送信されてくると、プリンタシステムは、すぐに印刷処理を実行せず、受信した印刷データから照合用データを生成すると共に、印刷データを認証コードにより暗号化して保管データを生成し、当該保管データと照合用データとを対応付けて記憶装置に記憶する。そして、ユーザが、保管データを選択し、且つ認証コードを入力すると、プリンタサーバは、入力された認証コードを用いて保管データを複合すると共に、当該複合が正しく行われたか否かを判定し、正しく行われた場合に複合結果をプリンタシステムに印刷させる。
【０００３】
上記特許文献１の従来技術のように、画像の印刷にユーザの認証を必要とするシステムにおいては、各プリンタにおいて印刷データを一時的に保持し、ユーザが認証された印刷データに対してのみ印刷処理を実行するようになっている。
また、従来、各ユーザ毎に、印刷装置において保持された印刷ジョブの情報の一覧を表示し、ユーザがその中から印刷したい印刷ジョブの情報を指定することで指定した情報に対応した印刷ジョブの印刷処理を実行する技術がある（特許文献２を参照）。
【特許文献１】特開２００１−３０６２７３号公報
【特許文献２】特開平９−３９３１１号公報
【発明の開示】
【発明が解決しようとする課題】
【０００４】
しかしながら、上記特許文献２において開示された技術においては、例えば、ネットワークを介して接続された複数の印刷装置において、複数の印刷ジョブがばらばらに保持されている場合は、これらばらばらに保持された全ての印刷ジョブの情報を一覧表示することはできない。
また、上記特許文献１及び上記特許文献２のシステムの特性上、印刷ジョブの情報の一覧は第三者に見せたくないものであり、第三者に見られる可能性のある場所で一覧表示した際においては、ユーザが目的の印刷ジョブを出来る限り短時間で探し当てることができることが望ましい。
【０００５】
そこで、本発明は、このような従来の技術の有する未解決の課題に着目してなされたものであって、親展印刷機能を有する印刷装置がネットワークを介して複数接続された親展印刷システムにおいて、これら複数の印刷装置に対する、システム利用者の照合情報に対応した印刷ジョブに係る印刷ジョブ情報を表示するのに好適な印刷ジョブ情報表示システム、印刷システム、印刷ジョブ管理装置、印刷ジョブ管理装置制御プログラム及び印刷ジョブ管理装置制御方法、並びに印刷装置、印刷装置制御プログラム及び印刷装置制御方法を提供することを目的としている。
【課題を解決するための手段】
【０００６】
〔形態１〕  上記目的を達成するために、形態１の印刷ジョブ情報表示システムは、
複数の印刷装置に対する印刷ジョブを保持し、当該保持した印刷ジョブのうち、所定のシステム利用者に対応した印刷ジョブに係る印刷ジョブ情報を表示する印刷ジョブ情報表示システムであって、
前記システム利用者を照合するための照合情報を取得する照合情報取得手段と、
前記複数の印刷装置のそれぞれに対応し、且つ各印刷装置に対する印刷ジョブを前記照合情報と対応付けて保持する複数の印刷ジョブ保持手段と、
前記各印刷ジョブ保持手段の保持する印刷ジョブの印刷ジョブ情報のうち、前記取得した照合情報に対応した印刷ジョブ情報を取得する印刷ジョブ情報取得手段と、
前記取得した印刷ジョブ情報を表示する印刷ジョブ情報表示手段と、を備えることを特徴としている。
【０００７】
このような構成であれば、例えば、印刷装置が、ネットワークを介して複数接続された印刷システムに対して、照合情報取得手段によって、前記システム利用者を照合するための照合情報を取得することが可能であり、複数の印刷ジョブ保持手段によって、前記複数の印刷装置のそれぞれに対応し、且つ各印刷装置に対する印刷ジョブを前記照合情報と対応付けて保持することが可能であり、印刷ジョブ情報取得手段によって、前記各印刷ジョブ保持手段の保持する印刷ジョブの印刷ジョブ情報のうち、前記取得された照合情報に対応した印刷ジョブ情報を取得することが可能であり、印刷ジョブ情報表示手段によって、前記取得した印刷ジョブ情報を表示することが可能である。
【０００８】
従って、例えば、ネットワークを介して接続された複数の印刷装置に対するシステム利用者の全ての印刷ジョブの情報を表示することが可能となるので、当該システム利用者は、ネットワークに接続された複数の印刷装置に対して自分が送信した印刷ジョブの内容を、表示された内容から簡易に知ることができるという効果が得られる。
ここで、上記印刷ジョブとは、印刷処理に係る様々な情報を含んだ構成となっており、例えば、印刷を指示したシステム利用者の情報、カラー印刷、モノクロ印刷、高品質印刷等の印刷処理の内容に係る設定情報、実際に印刷用紙等の印刷媒体に印刷される画像データ、文書データ等の印刷データ本体などが含まれた情報である。以下の、印刷システム、印刷プログラム及び印刷方法、印刷ジョブ保持装置、印刷ジョブ保持装置制御プログラム及び印刷ジョブ保持装置制御方法、印刷ジョブ管理装置、印刷ジョブ管理装置制御プログラム及び印刷ジョブ管理装置制御方法、並びに印刷装置、印刷装置制御プログラム及び印刷装置制御方法の各形態において同じである。
【０００９】
また、上記照合情報とは、システム利用者を識別するためのシステム利用者固有の情報や、システム利用者の所属するグループを識別するためのグループ固有の情報等の、個人やグループを識別するための情報である。以下の、印刷システム、印刷プログラム及び印刷方法、印刷ジョブ保持装置、印刷ジョブ保持装置制御プログラム及び印刷ジョブ保持装置制御方法、印刷ジョブ管理装置、印刷ジョブ管理装置制御プログラム及び印刷ジョブ管理装置制御方法、並びに印刷装置、印刷装置制御プログラム及び印刷装置制御方法の各形態において同じである。
【００１０】
また、上記印刷ジョブ情報とは、予め印刷ジョブ毎に設定されたインデックス情報や、印刷ジョブに含まれるデータファイルのファイル名など、印刷ジョブを特定可能な情報のことである。以下の、印刷システム、印刷プログラム及び印刷方法、印刷ジョブ保持装置、印刷ジョブ保持装置制御プログラム及び印刷ジョブ保持装置制御方法、印刷ジョブ管理装置、印刷ジョブ管理装置制御プログラム及び印刷ジョブ管理装置制御方法、並びに印刷装置、印刷装置制御プログラム及び印刷装置制御方法の各形態において同じである。
【００１１】
〔形態２〕  また、上記目的を達成するために、形態２の印刷ジョブ情報表示プログラムは、
複数の印刷装置に対する印刷ジョブを保持し、当該保持した印刷ジョブのうち、所定のシステム利用者に対応した印刷ジョブに係る印刷ジョブ情報を表示するのに使用する印刷ジョブ情報表示プログラムであって、
前記システム利用者に係る照合情報を取得する照合情報取得ステップと、
前記複数の印刷装置のそれぞれに対応し、且つ各印刷装置に対する印刷ジョブを前記照合情報と対応付けて保持する複数の印刷ジョブ保持ステップと、
前記各印刷ジョブ保持手段の保持する印刷ジョブの印刷ジョブ情報のうち、前記取得した照合情報に対応した印刷ジョブ情報を取得する印刷ジョブ情報取得ステップと、
前記取得した印刷ジョブ情報を表示する印刷ジョブ情報表示ステップとからなる処理をコンピュータに実行させるのに使用するプログラムを含むことを特徴としている。
【００１２】
このような構成であれば、コンピュータによってプログラムが読み取られ、読み取られたプログラムに従ってコンピュータが処理を実行すると、形態１の印刷ジョブ情報表示システムと同等の作用および効果が得られる。
【００１３】
〔形態３〕  また、上記目的を達成するために、形態３の印刷ジョブ情報表示方法は、
複数の印刷装置に対する印刷ジョブを保持し、当該保持した印刷ジョブのうち、所定のシステム利用者に対応した印刷ジョブに係る印刷ジョブ情報を表示するのに使用する印刷ジョブ情報表示方法であって、
前記システム利用者に係る照合情報を取得する照合情報取得ステップと、
前記複数の印刷装置のそれぞれに対応し、且つ各印刷装置に対する印刷ジョブを前記照合情報と対応付けて保持する複数の印刷ジョブ保持ステップと、
前記各印刷ジョブ保持手段の保持する印刷ジョブの印刷ジョブ情報のうち、前記取得した照合情報に対応した印刷ジョブ情報を取得する印刷ジョブ情報取得ステップと、
前記取得した印刷ジョブ情報を表示する印刷ジョブ情報表示ステップと、を含むことを特徴としている。
これにより、形態１の印刷ジョブ情報表示システムと同等の作用効果が得られる。
【００１４】
〔形態４〕  一方、上記目的を達成するために、形態４の印刷システムは、
印刷ジョブに基づき印刷処理を実行する印刷装置を、ネットワークを介して複数接続し、前記複数の印刷装置に対する印刷ジョブを保持し、当該保持した印刷ジョブのうち、所定のシステム利用者に対応した印刷ジョブに係る印刷ジョブ情報を表示可能な印刷システムであって、
前記システム利用者を照合するための照合情報を取得する照合情報取得手段と、
前記複数の印刷装置のそれぞれに対応し、且つ各印刷装置に対する印刷ジョブを前記照合情報と対応付けて保持する複数の印刷ジョブ保持手段と、
前記各印刷ジョブ保持手段の保持する印刷ジョブの印刷ジョブ情報のうち、前記取得した照合情報に対応した印刷ジョブ情報を取得する印刷ジョブ情報取得手段と、
前記取得した印刷ジョブ情報を表示する印刷ジョブ情報表示手段と、を備えることを特徴としている。
【００１５】
このような構成であれば、照合情報取得手段によって、前記システム利用者を照合するための照合情報を取得することが可能であり、複数の印刷ジョブ保持手段によって、前記複数の印刷装置のそれぞれに対応し、且つ各印刷装置に対する印刷ジョブを前記照合情報と対応付けて保持することが可能であり、印刷ジョブ情報取得手段によって、前記各印刷ジョブ保持手段の保持する印刷ジョブの印刷ジョブ情報のうち、前記取得された照合情報に対応した印刷ジョブ情報を取得することが可能であり、印刷ジョブ情報表示手段によって、前記取得した印刷ジョブ情報を表示することが可能である。
【００１６】
従って、ネットワークを介して接続された印刷装置に対するシステム利用者の全ての印刷ジョブの情報を表示することが可能となるので、当該システム利用者は、ネットワークに接続された複数の印刷装置に対して自分が送信した印刷ジョブの内容を、表示された内容から簡易に知ることができるという効果が得られる。
【００１７】
〔形態５〕  また、形態５の印刷システムは、形態４の印刷システムにおいて、
前記複数の印刷装置にそれぞれ対応した複数の印刷ジョブ保持装置と、印刷ジョブ管理装置とを、ネットワークを介してそれぞれ互いにデータ通信可能に接続し、
前記各印刷ジョブ保持装置は、
前記印刷ジョブ保持手段と、
前記印刷ジョブ管理装置からの照合情報に基づき、前記印刷ジョブ保持手段の保持する印刷ジョブの中から、当該照合情報に対応した印刷ジョブを検索する印刷ジョブ検索手段と、
前記印刷ジョブ管理装置からの取得要求情報に応じて、前記検索処理によって策出された印刷ジョブに対する印刷ジョブ情報を前記印刷ジョブ管理装置に送信する印刷ジョブ情報送信手段とを備え、
前記印刷ジョブ管理装置は、
前記照合情報取得手段と、
前記印刷ジョブ情報取得手段と、
前記印刷ジョブ情報表示手段とを備え、
前記印刷ジョブ情報取得手段は、前記各印刷ジョブ保持装置に対して、前記照合情報取得手段によって取得した照合情報と、当該照合情報に対応した印刷ジョブ情報の取得要求情報とを送信することを特徴としている。
【００１８】
このような構成であれば、印刷ジョブ保持装置は、印刷ジョブ保持手段によって、印刷装置に対する印刷ジョブを前記照合情報と対応付けて保持することが可能であり、印刷ジョブ検索手段によって、前記印刷ジョブ管理装置からの照合情報に基づき、前記印刷ジョブ保持手段の保持する印刷ジョブの中から、当該照合情報に対応した印刷ジョブを検索することが可能であり、印刷ジョブ情報送信手段によって、前記印刷ジョブ管理装置からの取得要求情報に応じて、前記検索処理によって策出された印刷ジョブに対する印刷ジョブ情報を前記印刷ジョブ管理装置に送信することが可能である。
【００１９】
また、印刷ジョブ管理装置は、照合情報取得手段によって、システム利用者を照合するための照合情報を取得することが可能であり、印刷ジョブ情報取得手段によって、前記各印刷ジョブ保持装置の保持する印刷ジョブの印刷ジョブ情報のうち、前記取得された照合情報に対応した印刷ジョブ情報を取得することが可能であり、印刷ジョブ情報表示手段によって、前記取得した印刷ジョブ情報を表示することが可能である。
【００２０】
更に、前記印刷ジョブ情報取得手段は、前記各印刷ジョブ保持装置に対して、前記照合情報取得手段によって取得された照合情報と、当該照合情報に対応した印刷ジョブ情報の取得要求情報とを送信することが可能である。
従って、ネットワークを介して接続された印刷装置に対するシステム利用者の全ての印刷ジョブの情報を表示することが可能となるので、当該システム利用者は、ネットワークに接続された複数の印刷装置に対して自分が送信した印刷ジョブの内容を、表示された内容から簡易に知ることができるという効果が得られる。
【００２１】
また、印刷ジョブ保持装置及び印刷ジョブ管理装置を、既存の印刷システムに対して付加するだけで親展印刷の機能を付加でき、更に上記のような効果を簡易に得ることが可能となる。
【００２２】
〔形態６〕  また、形態６の印刷システムは、形態４の印刷システムにおいて、
前記複数の印刷装置と、印刷ジョブ管理装置とを、ネットワークを介してそれぞれ互いにデータ通信可能に接続し、
前記各印刷装置は、
前記印刷ジョブ保持手段と、
前記印刷ジョブ管理装置からの照合情報に基づき、前記印刷ジョブ保持手段の保持する印刷ジョブの中から、当該照合情報に対応した印刷ジョブを検索する印刷ジョブ検索手段と、
前記印刷ジョブ管理装置からの取得要求情報に応じて、前記検索処理によって策出された印刷ジョブに対する印刷ジョブ情報を前記印刷ジョブ管理装置に送信する印刷ジョブ情報送信手段とを備え、
前記印刷ジョブ管理装置は、
前記照合情報取得手段と、
前記印刷ジョブ情報取得手段と、
前記印刷ジョブ情報表示手段とを備え、
前記印刷ジョブ情報取得手段は、前記各印刷装置に対して、前記照合情報取得手段によって取得された照合情報と、当該照合情報に対応した印刷ジョブ情報の取得要求情報とを送信することを特徴としている。
【００２３】
このような構成であれば、印刷装置は、印刷ジョブ保持手段によって、印刷装置に対する印刷ジョブを前記照合情報と対応付けて保持することが可能であり、印刷ジョブ検索手段によって、前記印刷ジョブ管理装置からの照合情報に基づき、前記印刷ジョブ保持手段の保持する印刷ジョブの中から、当該照合情報に対応した印刷ジョブを検索することが可能であり、印刷ジョブ情報送信手段によって、前記印刷ジョブ管理装置からの取得要求情報に応じて、前記検索処理によって策出された印刷ジョブに対する印刷ジョブ情報を前記印刷ジョブ管理装置に送信することが可能である。
【００２４】
また、印刷ジョブ管理装置は、照合情報取得手段によって、システム利用者を照合するための照合情報を取得することが可能であり、印刷ジョブ情報取得手段によって、前記各印刷ジョブ保持装置の保持する印刷ジョブの印刷ジョブ情報のうち、前記取得された照合情報に対応した印刷ジョブ情報を取得することが可能であり、印刷ジョブ情報表示手段によって、前記取得した印刷ジョブ情報を表示することが可能である。
【００２５】
更に、前記印刷ジョブ情報取得手段は、前記各印刷装置に対して、前記照合情報取得手段によって取得された照合情報と、当該照合情報に対応した印刷ジョブ情報の取得要求情報とを送信することが可能である。
従って、ネットワークを介して接続された印刷装置に対するシステム利用者の全ての印刷ジョブの情報を表示することが可能となるので、当該システム利用者は、ネットワークに接続された複数の印刷装置に対して自分が送信した印刷ジョブの内容を、表示された内容から簡易に知ることができるという効果が得られる。
【００２６】
また、印刷ジョブの保持機能や、検索機能等を印刷装置に持たせるようにしたので、これらの機能を別体としたときと比較して、親展印刷システムの構成を簡易化することができるという効果が得られる。
【００２７】
〔形態７〕  また、形態７の印刷システムは、形態４の印刷システムにおいて、
システム利用者からの指示に応じて、前記各印刷装置に対して前記印刷ジョブの印刷指示を行う複数の印刷指示装置と、印刷ジョブ管理装置とを、ネットワークを介してそれぞれ互いにデータ通信可能に接続し、
前記各印刷指示装置は、
前記印刷ジョブ保持手段と、
前記印刷ジョブ管理装置からの照合情報に基づき、前記印刷ジョブ保持手段の保持する印刷ジョブの中から、当該照合情報に対応した印刷ジョブを検索する印刷ジョブ検索手段と、
前記印刷ジョブ管理装置からの取得要求情報に応じて、前記検索処理によって策出された印刷ジョブに対する印刷ジョブ情報を前記印刷ジョブ管理装置に送信する印刷ジョブ情報送信手段とを備え、
前記印刷ジョブ管理装置は、
前記照合情報取得手段と、
前記印刷ジョブ情報取得手段と、
前記印刷ジョブ情報表示手段とを備え、
前記印刷ジョブ情報取得手段は、前記各印刷指示装置に対して、前記照合情報取得手段によって取得された照合情報と、当該照合情報に対応した印刷ジョブ情報の取得要求情報とを送信することを特徴としている。
【００２８】
このような構成であれば、印刷指示装置は、印刷ジョブ保持手段によって、印刷装置に対する印刷ジョブを前記照合情報と対応付けて保持することが可能であり、印刷ジョブ検索手段によって、前記印刷ジョブ管理装置からの照合情報に基づき、前記印刷ジョブ保持手段の保持する印刷ジョブの中から、当該照合情報に対応した印刷ジョブを検索することが可能であり、印刷ジョブ情報送信手段によって、前記印刷ジョブ管理装置からの取得要求情報に応じて、前記検索処理によって策出された印刷ジョブに対する印刷ジョブ情報を前記印刷ジョブ管理装置に送信することが可能である。
【００２９】
また、印刷ジョブ管理装置は、照合情報取得手段によって、システム利用者を照合するための照合情報を取得することが可能であり、印刷ジョブ情報取得手段によって、前記各印刷ジョブ保持装置の保持する印刷ジョブの印刷ジョブ情報のうち、前記認証されたシステム利用者に対する印刷ジョブ情報を取得することが可能であり、印刷ジョブ情報表示手段によって、前記取得した印刷ジョブ情報を表示することが可能である。
【００３０】
更に、前記印刷ジョブ情報取得手段は、前記各印刷装置に対して、前記照合情報取得手段によって取得された照合情報と、当該照合情報に対応した印刷ジョブ情報の取得要求情報とを送信することが可能である。
従って、ネットワークを介して接続された印刷装置に対するシステム利用者の全ての印刷ジョブの情報を表示することが可能となるので、当該システム利用者は、ネットワークに接続された複数の印刷装置に対して自分が送信した印刷ジョブの内容を、表示された内容から簡易に知ることができるという効果が得られる。
【００３１】
また、印刷ジョブの保持機能や、検索機能等を、システム利用者が印刷装置に対して印刷指示を行うのに用いる印刷指示装置に持たせるようにしたので、これらの機能を別体としたときと比較して、親展印刷システムの構成を簡易化することができるという効果が得られる。
【００３２】
〔形態８〕  更に、形態８の印刷システムは、形態５乃至７のいずれか１の印刷システムにおいて、
前記印刷ジョブ取得手段は、前記ネットワークに接続された各装置に、前記照合情報取得手段によって取得された照合情報を送信するようになっていると共に、当該送信した照合情報に対する応答情報に基づき前記取得要求情報の送信処理を行い、
前記印刷ジョブ検索手段を備える装置は、前記照合情報に基づき、前記印刷ジョブ検索手段の検索結果情報を前記印刷ジョブ管理装置に送信する検索結果情報送信手段を備えることを特徴としている。
【００３３】
このような構成であれば、照合情報をブロードキャストすることになり、少ない通信回数で、システム利用者の照合情報に対応した印刷ジョブを保持している装置を検出することができるという効果が得られる。
【００３４】
〔形態９〕  更に、形態９の印刷システムは、形態５乃至７のいずれか１の印刷システムにおいて、
前記印刷ジョブ管理装置は、
前記ネットワークに接続された各装置に、前記印刷ジョブ検索手段を備える装置を検索するための検索情報を送信する検索情報送信手段を備え、
前記印刷ジョブ取得手段は、前記検索情報に対する前記各装置からの応答情報に基づき、前記照合情報の送信処理を行い、
前記印刷ジョブ検索手段を備える装置は、前記検索情報に対する応答情報を前記印刷ジョブ管理装置に送信する応答情報送信手段を備えることを特徴としている。
【００３５】
このような構成であれば、システム利用者の照合情報をブロードキャストする等の照合情報を不要な装置に送信するようなことをせずに、印刷ジョブの保持手段を備える装置のみに照合情報を送信することができるので、比較的安全に処理を行うことができるという効果が得られる。
【００３６】
〔形態１０〕  また、形態１０の印刷システムは、形態４の印刷システムにおいて、
前記各印刷装置が、
前記照合情報取得手段と、
前記印刷ジョブ保持手段と、
前記照合情報に基づき、前記印刷ジョブ保持手段の保持する印刷ジョブの中から、当該照合情報に対応した印刷ジョブを検索する印刷ジョブ検索手段と、
自印刷装置において取得された前記照合情報に対する印刷ジョブ情報を他の印刷装置から取得する印刷ジョブ情報取得手段と、
他の印刷装置からの取得要求情報に応じて、当該他の印刷装置から取得した照合情報に対する前記検索処理によって策出される印刷ジョブに対する印刷ジョブ情報を当該他の印刷装置に送信する印刷ジョブ情報送信手段と、
前記印刷ジョブ情報表示手段とを備え、
前記印刷ジョブ情報取得手段は、前記他の印刷装置に対して、前記照合情報取得手段によって取得された照合情報と、当該照合情報に対応した印刷ジョブ情報の取得要求情報とを送信し、
前記印刷ジョブ情報表示手段は、前記検索処理によって策出された印刷ジョブに対する印刷ジョブ情報と、前記他の印刷装置から取得した印刷ジョブ情報とを表示することを特徴としている。
【００３７】
このような構成であれば、印刷装置は、照合情報取得手段によって、システム利用者を照合するための照合情報を取得することが可能であり、印刷ジョブ保持手段によって、印刷装置に対する印刷ジョブを前記照合情報と対応付けて保持することが可能であり、印刷ジョブ検索手段によって、前記照合情報に基づき、前記印刷ジョブ保持手段の保持する印刷ジョブの中から、当該照合情報に対応した印刷ジョブを検索することが可能であり、印刷ジョブ情報取得手段によって、自印刷装置において取得された前記照合情報に対する印刷ジョブ情報を他の印刷装置から取得することが可能であり、印刷ジョブ情報送信手段によって、他の印刷装置からの取得要求情報に応じて、前記検索処理によって策出された印刷ジョブに対する印刷ジョブ情報を前記他の印刷装置に送信することが可能であり、印刷ジョブ情報表示手段によって、前記取得した印刷ジョブ情報を表示することが可能である。
【００３８】
更に、前記印刷ジョブ情報取得手段は、前記他の印刷装置に対して、前記照合情報取得手段にによって取得された照合情報と、当該照合情報に対応した印刷ジョブ情報の取得要求情報とを送信することが可能であり、前記印刷ジョブ情報表示手段は、前記検索処理によって策出された印刷ジョブに対する印刷ジョブ情報と、前記他の印刷装置から取得した印刷ジョブ情報とを表示することが可能である。
【００３９】
従って、ネットワークを介して接続された印刷装置に対するシステム利用者の全ての印刷ジョブの情報を表示することが可能となるので、当該システム利用者は、ネットワークに接続された複数の印刷装置に対して自分が送信した印刷ジョブの内容を、表示された内容から簡易に知ることができるという効果が得られる。
また、本発明の機能を、全て印刷装置に持たせるようにしたので、これらの機能を別体としたときと比較して、親展印刷システムの構成を簡易化することができるという効果が得られる。
【００４０】
〔形態１１〕  また、形態１１の印刷システムは、形態４の印刷システムにおいて、
前記複数の印刷装置と、当該複数の印刷装置にそれぞれ対応した印刷ジョブ管理装置とを、ネットワークを介してそれぞれ互いにデータ通信可能に接続し、
前記各印刷ジョブ管理装置は、
前記照合情報取得手段と、
前記印刷ジョブ保持手段と、
前記照合情報に基づき、前記印刷ジョブ保持手段の保持する印刷ジョブの中から、当該照合情報に対応した印刷ジョブを検索する印刷ジョブ検索手段と、
自印刷ジョブ管理装置において取得された前記照合情報に対する印刷ジョブ情報を他の印刷ジョブ管理装置から取得する印刷ジョブ情報取得手段と、
他の印刷ジョブ管理装置からの取得要求情報に応じて、当該他の印刷ジョブ管理装置から取得した照合情報に対する前記検索処理によって策出される印刷ジョブに対する印刷ジョブ情報を当該他の印刷ジョブ管理装置に送信する印刷ジョブ情報送信手段と、
前記印刷ジョブ情報表示手段とを備え、
前記印刷ジョブ情報取得手段は、前記他の印刷ジョブ管理装置に対して、前記照合情報取得手段によって取得された照合情報と、当該照合情報に対応した印刷ジョブ情報の取得要求情報とを送信し、
前記印刷ジョブ情報表示手段は、前記検索処理によって策出された印刷ジョブに対する印刷ジョブ情報と、前記他の印刷ジョブ管理装置から取得した印刷ジョブ情報とを表示することを特徴としている。
【００４１】
このような構成であれば、印刷ジョブ管理装置は、照合情報取得手段によって、システム利用者を照合するための照合情報を取得することが可能であり、印刷ジョブ保持手段によって、印刷装置に対する印刷ジョブを前記照合情報と対応付けて保持することが可能であり、印刷ジョブ検索手段によって、前記照合情報に基づき、前記印刷ジョブ保持手段の保持する印刷ジョブの中から、当該照合情報に対応した印刷ジョブを検索することが可能であり、印刷ジョブ情報取得手段によって、自印刷ジョブ管理装置において取得された照合情報に対する印刷ジョブ情報を他の印刷ジョブ管理装置から取得することが可能であり、印刷ジョブ情報送信手段によって、他の印刷ジョブ管理装置からの取得要求情報に応じて、前記検索処理によって策出された印刷ジョブに対する印刷ジョブ情報を前記他の印刷ジョブ管理装置に送信することが可能であり、印刷ジョブ情報表示手段によって、前記取得した印刷ジョブ情報を表示することが可能である。
【００４２】
更に、前記印刷ジョブ情報取得手段は、前記他の印刷ジョブ管理装置に対して、前記照合情報取得手段によって取得された照合情報と、当該照合情報に対応した印刷ジョブ情報の取得要求情報とを送信することが可能であり、前記印刷ジョブ情報表示手段は、前記検索処理によって策出された印刷ジョブに対する印刷ジョブ情報と、前記他の印刷ジョブ管理装置から取得した印刷ジョブ情報とを表示することが可能である。
【００４３】
従って、ネットワークを介して接続された複数の印刷装置に対するシステム利用者の全ての印刷ジョブの情報を表示することが可能となるので、当該システム利用者は、ネットワークに接続された複数の印刷装置に対して自分が送信した印刷ジョブの内容を、表示された内容から簡易に知ることができるという効果が得られる。
また、本発明の機能を、全て印刷ジョブ管理装置に持たせるようにしたので、当該印刷ジョブ管理装置を、既存の印刷システムに対して付加するだけで親展印刷の機能を付加でき、更に上記のような効果を簡易に得ることが可能となる。
【００４４】
〔形態１２〕  更に、形態１２の印刷システムは、形態５乃至１１のいずれか１の印刷システムにおいて、
前記印刷ジョブ情報取得手段は、前記照合情報を他装置に送信するときに、当該照合情報を暗号化してから送信することを特徴としている。
このような構成であれば、ネットワーク上の照合情報を不正者に奪われても、システム利用者を識別することを困難なものにすることが可能となるので、安全に印刷ジョブ情報の表示処理を行うことができるという効果が得られる。
【００４５】
〔形態１３〕  更に、形態１３の印刷システムは、形態４乃至１２のいずれか１の印刷システムにおいて、
前記システム利用者からの指示に応じて、前記印刷ジョブ情報表示手段によって表示された印刷ジョブ情報の中から、前記指示に対応した印刷ジョブ情報を選択する印刷ジョブ情報選択手段と、
前記印刷ジョブ情報選択手段によって選択された印刷ジョブ情報に対応する印刷ジョブの印刷処理を、所定の印刷装置に対して実行させる印刷処理実行手段と、を備えることを特徴としている。
【００４６】
このような構成であれば、印刷ジョブ情報選択手段によって、前記システム利用者からの指示に応じて、前記印刷ジョブ情報表示手段によって表示された印刷ジョブ情報の中から、前記指示に対応した印刷ジョブ情報を選択することが可能であり、印刷処理実行手段によって、前記印刷ジョブ情報選択手段によって選択された印刷ジョブ情報に対応する印刷ジョブの印刷処理を、所定の印刷装置に対して実行させることが可能となる。
【００４７】
従って、システム利用者は、印刷ジョブ情報を表示する装置から、ネットワークに接続された印刷装置に対して保持された全ての印刷ジョブの中から、任意の印刷ジョブを選択して、簡易に当該印刷ジョブの印刷処理を実行させることができるという効果が得られる。
【００４８】
〔形態１４〕  更に、形態１４の印刷システムは、形態４乃至１３のいずれか１の印刷システムにおいて、
前記システム利用者からの指示に応じて、前記印刷ジョブ情報表示手段によって表示された印刷ジョブ情報の中から、前記指示に対応した印刷ジョブ情報を選択する印刷ジョブ情報選択手段と、
前記印刷ジョブ情報選択手段によって選択された印刷ジョブ情報に対応する印刷ジョブを、当該印刷ジョブを保持する装置から削除する印刷ジョブ削除手段と、を備えることを特徴としている。
【００４９】
このような構成であれば、印刷ジョブ情報選択手段によって、前記システム利用者からの指示に応じて、前記印刷ジョブ情報表示手段によって表示された印刷ジョブ情報の中から、前記指示に対応した印刷ジョブ情報を選択することが可能であり、印刷ジョブ削除手段によって、前記印刷ジョブ情報選択手段によって選択された印刷ジョブ情報に対応する印刷ジョブを、当該印刷ジョブを保持する装置から削除することが可能である。
【００５０】
従って、システム利用者は、印刷ジョブ情報を表示する装置から、ネットワークに接続された印刷装置に対して保持された全ての印刷ジョブの中から、任意の印刷ジョブを選択して簡易に削除することができるという効果が得られる。
【００５１】
〔形態１５〕  更に、形態１５の印刷システムは、形態４乃至１４のいずれか１の印刷システムにおいて、
前記印刷ジョブ情報表示手段は、前記印刷ジョブ情報を表示する際に、表示対象の印刷ジョブ情報のうち印刷処理の実行される可能性の高い印刷ジョブの印刷ジョブ情報を優先して表示することを特徴としている。
【００５２】
このような構成であれば、印刷する可能性の高い印刷ジョブを優先して表示するので、システム利用者は、印刷処理を実行させたい印刷ジョブを見つけ出しやすくなるので、印刷ジョブの表示時間を短くして、表示された情報を第三者に見られる可能性を低減することができるという効果が得られる。
【００５３】
〔形態１６〕  更に、形態１６の印刷システムは、形態１５の印刷システムにおいて、
前記印刷ジョブの印刷処理回数の情報を取得する印刷処理回数情報取得手段を備え、
前記印刷ジョブ情報表示手段は、前記取得した印刷処理回数情報に基づき、表示対象の印刷ジョブ情報のうち印刷処理回数の多い印刷ジョブの印刷ジョブ情報から順に優先して表示することを特徴としている。
【００５４】
このような構成であれば、印刷処理回数情報取得手段によって、前記印刷ジョブの印刷処理回数の情報を取得することが可能であり、前記印刷ジョブ情報表示手段は、前記取得した印刷処理回数情報に基づき、表示対象の印刷ジョブ情報のうち印刷処理回数の多い印刷ジョブの印刷ジョブ情報から順に優先して表示することが可能である。
従って、印刷頻度の高い印刷ジョブは、繰り返し印刷処理が実行される可能性が高いことから、印刷する可能性の高い印刷ジョブを優先して表示することとなり、システム利用者は、印刷処理を実行させたい印刷ジョブを見つけ出しやすくなるので、印刷ジョブの表示時間を短くして、表示された情報を第三者に見られる可能性を低減することができるという効果が得られる。
【００５５】
〔形態１７〕  更に、形態１７の印刷システムは、形態１５又は１６の印刷システムにおいて、
前記印刷ジョブの印刷処理回数の情報を取得する印刷処理回数情報取得手段を備え、
前記印刷ジョブ情報表示手段は、前記取得した印刷処理回数情報に基づき、表示対象の印刷ジョブ情報のうち印刷処理が未実行の印刷ジョブの印刷ジョブ情報を優先して表示することを特徴としている。
【００５６】
このような構成であれば、印刷処理回数情報取得手段によって、前記印刷ジョブの印刷処理回数の情報を取得することが可能であり、前記印刷ジョブ情報表示手段は、表示対象の印刷ジョブ情報のうち印刷処理が未実行の印刷ジョブの印刷ジョブ情報を優先して表示することが可能である。
従って、保持されている印刷ジョブに印刷処理が未処理のものがあれば、この印刷ジョブを次に印刷処理する可能性が高いことから、印刷する可能性の高い印刷ジョブを優先して表示することとなり、システム利用者は、印刷処理を実行させたい印刷ジョブを見つけ出しやすくなるので、印刷ジョブの表示時間を短くして、表示された情報を第三者に見られる可能性を低減することができるという効果が得られる。
【００５７】
〔形態１８〕  更に、形態１８の印刷システムは、形態１５乃至１７のいずれか１の印刷システムにおいて、
前記印刷ジョブ表示手段を有する装置と、前記印刷ジョブ保持手段を有する装置との位置関係情報を取得する位置関係情報取得手段を備え、
前記印刷ジョブ情報表示手段は、前記取得した位置関係情報に基づき、表示対象の印刷ジョブ情報のうち、前記印刷ジョブ表示手段を有する装置と前記印刷ジョブ情報保持手段を有する装置との物理的距離が近いほど、その印刷ジョブ保持手段を有する装置の保持する印刷ジョブの印刷ジョブ情報を優先して表示することを特徴としている。
【００５８】
このような構成であれば、位置関係情報取得手段によって、前記印刷ジョブ表示手段を有する装置と、前記印刷ジョブ保持手段を有する装置との位置関係情報を取得することが可能であり、前記印刷ジョブ情報表示手段は、前記取得した位置関係情報に基づき、表示対象の印刷ジョブ情報のうち、前記印刷ジョブ表示手段を有する装置と前記印刷ジョブ情報保持手段を有する装置との物理的距離が近いほど、その印刷ジョブ保持手段を有する装置の保持する印刷ジョブの印刷ジョブ情報を優先して表示することが可能である。
【００５９】
例えば、印刷ジョブ表示手段を有する装置と印刷装置とが近くにあり、且つ印刷ジョブ保持手段を有する装置と印刷装置とが近くにある場合（あるいは一体化されている場合）に、システム利用者が印刷装置等の操作場所を変更する理由として、本来印刷処理を実行させようと思っていた印刷装置が故障中又は長時間使用中などで使用不可能となっている場合が考えられる。つまり、本形態の構成であれば、操作を行った装置から最も近い位置にある装置の保持している印刷ジョブを優先して表示することができるので、システム利用者が、印刷処理を実行させたい印刷ジョブを見つけ出しやすくなる可能性が高くなり、印刷ジョブの表示時間を短くして、表示された情報を第三者に見られる可能性を低減することができるという効果が得られる。
【００６０】
〔形態１９〕  一方、上記目的を達成するために、形態１９の印刷プログラムは、
印刷ジョブに基づき印刷処理を実行する印刷装置を、ネットワークを介して複数接続し、前記複数の印刷装置に対する印刷ジョブを保持し、当該保持した印刷ジョブのうち、所定のシステム利用者に対応した印刷ジョブに係る印刷ジョブ情報を表示するのに使用する印刷プログラムであって、
前記システム利用者に係る照合情報を取得する照合情報取得ステップと、
前記複数の印刷装置のそれぞれに対応し、且つ各印刷装置に対する印刷ジョブを前記照合情報と対応付けて保持する複数の印刷ジョブ保持ステップと、
前記各印刷ジョブ保持手段の保持する印刷ジョブの印刷ジョブ情報のうち、前記取得した照合情報に対応した印刷ジョブ情報を取得する印刷ジョブ情報取得ステップと、
前記取得した印刷ジョブ情報を表示する印刷ジョブ情報表示ステップとからなる処理をコンピュータに実行させるのに使用するプログラムを含むことを特徴としている。
【００６１】
このような構成であれば、コンピュータによってプログラムが読み取られ、読み取られたプログラムに従ってコンピュータが処理を実行すると、形態２の印刷システムと同等の作用および効果が得られる。
【００６２】
〔形態２０〕  更に、形態２０の印刷プログラムは、形態１９の印刷プログラムにおいて、
前記印刷ジョブ情報取得ステップにおいては、前記照合情報を他装置に送信するときに、当該照合情報を暗号化してから送信することを特徴としている。
このような構成であれば、コンピュータによってプログラムが読み取られ、読み取られたプログラムに従ってコンピュータが処理を実行すると、形態１０の印刷システムと同等の作用および効果が得られる。
【００６３】
〔形態２１〕  更に、形態２１の印刷プログラムは、形態１９又は２０の印刷プログラムにおいて、
前記システム利用者からの指示に応じて、前記印刷ジョブ情報表示ステップにおいて表示された印刷ジョブ情報の中から、前記指示に対応した印刷ジョブ情報を選択する印刷ジョブ情報選択ステップと、
前記印刷ジョブ情報選択ステップにおいて選択された印刷ジョブ情報に対応する印刷ジョブの印刷処理を、所定の印刷装置に対して実行させる印刷処理実行ステップとからなる処理をコンピュータに実行させるのに使用するプログラムを更に含むことを特徴としている。
【００６４】
このような構成であれば、コンピュータによってプログラムが読み取られ、読み取られたプログラムに従ってコンピュータが処理を実行すると、形態１１の印刷システムと同等の作用および効果が得られる。
【００６５】
〔形態２２〕  更に、形態２２の印刷プログラムは、形態１９乃至２１のいずれか１の印刷プログラムにおいて、
前記システム利用者からの指示に応じて、前記印刷ジョブ情報表示ステップにおいて表示された印刷ジョブ情報の中から、前記指示に対応した印刷ジョブ情報を選択する印刷ジョブ情報選択ステップと、
前記印刷ジョブ情報選択ステップにおいて選択された印刷ジョブ情報に対応する印刷ジョブを、当該印刷ジョブを保持する装置から削除する印刷ジョブ削除ステップとからなる処理をコンピュータに実行させるのに使用するプログラムを更に含むことを特徴としている。
【００６６】
このような構成であれば、コンピュータによってプログラムが読み取られ、読み取られたプログラムに従ってコンピュータが処理を実行すると、形態１４の印刷システムと同等の作用および効果が得られる。
【００６７】
〔形態２３〕  更に、形態２３の印刷プログラムは、形態１９乃至２２のいずれか１の印刷プログラムにおいて、
前記印刷ジョブ情報表示ステップにおいては、前記印刷ジョブ情報を表示する際に、表示対象の印刷ジョブ情報のうち印刷処理の実行される可能性の高い印刷ジョブの印刷ジョブ情報を優先して表示することを特徴としている。
このような構成であれば、コンピュータによってプログラムが読み取られ、読み取られたプログラムに従ってコンピュータが処理を実行すると、形態１５の印刷システムと同等の作用および効果が得られる。
【００６８】
〔形態２４〕  更に、形態２４の印刷プログラムは、形態２３の印刷プログラムにおいて、
前記印刷ジョブの印刷処理回数の情報を取得する印刷処理回数情報取得ステップをコンピュータに実行させるのに使用するプログラムを含み、
前記印刷ジョブ情報表示ステップにおいては、前記取得した印刷処理回数情報に基づき、表示対象の印刷ジョブ情報のうち印刷処理回数の多い印刷ジョブの印刷ジョブ情報から順に優先して表示することを特徴としている。
【００６９】
このような構成であれば、コンピュータによってプログラムが読み取られ、読み取られたプログラムに従ってコンピュータが処理を実行すると、形態１６の印刷ジョブ情報表示システムと同等の作用および効果が得られる。
【００７０】
〔形態２５〕  更に、形態２５の印刷プログラムは、形態２３又は２４の印刷プログラムにおいて、
前記印刷ジョブの印刷処理回数の情報を取得する印刷処理回数情報取得ステップをコンピュータに実行させるのに使用するプログラムを含み、
前記印刷ジョブ情報表示ステップにおいては、前記取得した印刷処理回数情報に基づき、表示対象の印刷ジョブ情報のうち印刷処理が未実行の印刷ジョブの印刷ジョブ情報を優先して表示することを特徴としている。
【００７１】
このような構成であれば、コンピュータによってプログラムが読み取られ、読み取られたプログラムに従ってコンピュータが処理を実行すると、形態１７の印刷システムと同等の作用および効果が得られる。
【００７２】
〔形態２６〕  更に、形態２６の印刷プログラムは、形態２３乃至２５のいずれか１の印刷プログラムにおいて、
前記印刷ジョブ情報表示ステップを実行する装置と、前記印刷ジョブ保持ステップを実行する装置との位置関係情報を取得する位置関係情報取得ステップをコンピュータに実行させるのに使用するプログラムを含み、
前記印刷ジョブ情報表示ステップにおいては、前記取得した位置関係情報に基づき、表示対象の印刷ジョブ情報のうち、前記印刷ジョブ表示ステップを実行する装置と前記印刷ジョブ情報保持ステップを実行する装置との物理的距離が近いほど、その印刷ジョブ保持ステップを実行する装置の保持する印刷ジョブの印刷ジョブ情報を優先して表示することを特徴としている。
【００７３】
このような構成であれば、コンピュータによってプログラムが読み取られ、読み取られたプログラムに従ってコンピュータが処理を実行すると、形態１８の印刷システムと同等の作用および効果が得られる。
【００７４】
〔形態２７〕  一方、上記目的を達成するために、形態２７の印刷プログラムを記憶したコンピュータ読み取り可能な記録媒体は、
形態１９乃至形態２６のいずれか１の印刷プログラムが記録されていることを特徴としている。
これによって、形態１９乃至形態２６のいずれか１の印刷プログラムと同様の作用及び効果が得られると共に、ＣＤ−ＲＯＭやＤＶＤ−ＲＯＭ、ＭＯなどの記録媒体を介して前記印刷ジョブ情報表示プログラムを容易に授受することが可能となる。
【００７５】
〔形態２８〕  また、上記目的を達成するために、形態２８の印刷方法は、
印刷ジョブに基づき印刷処理を実行する印刷装置を、ネットワークを介して複数接続し、前記複数の印刷装置に対する印刷ジョブを保持し、当該保持した印刷ジョブのうち、所定のシステム利用者に対応した印刷ジョブに係る印刷ジョブ情報を表示するのに使用する印刷方法であって、
前記システム利用者に係る照合情報を取得する照合情報取得ステップと、
前記複数の印刷装置のそれぞれに対応し、且つ各印刷装置に対する印刷ジョブを前記照合情報と対応付けて保持する複数の印刷ジョブ保持ステップと、
前記各印刷ジョブ保持手段の保持する印刷ジョブの印刷ジョブ情報のうち、前記取得した照合情報に対応した印刷ジョブ情報を取得する印刷ジョブ情報取得ステップと、
前記取得した印刷ジョブ情報を表示する印刷ジョブ情報表示ステップと、を含むことを特徴としている。
これにより、形態４の印刷システムと同等の作用効果が得られる。
【００７６】
〔形態２９〕  更に、形態２９の印刷方法は、形態２８の印刷方法において、
前記印刷ジョブ情報取得ステップにおいては、前記照合情報を他装置に送信するときに、当該照合情報を暗号化してから送信することを特徴としている。
これにより、形態１２の印刷システムと同等の作用効果が得られる。
【００７７】
〔形態３０〕  更に、形態３０の印刷方法は、形態２８又は２９の印刷方法において、
前記システム利用者からの指示に応じて、前記印刷ジョブ情報表示ステップにおいて表示された印刷ジョブ情報の中から、前記指示に対応した印刷ジョブ情報を選択する印刷ジョブ情報選択ステップと、
前記印刷ジョブ情報選択ステップにおいて選択された印刷ジョブ情報に対応する印刷ジョブの印刷処理を、所定の印刷装置に対して実行させる印刷処理実行ステップと、を更に含むことを特徴としている。
これにより、形態１３の印刷システムと同等の作用効果が得られる。
【００７８】
〔形態３１〕  更に、形態３１の印刷方法は、形態２８乃至３０のいずれか１の印刷方法において、
前記システム利用者からの指示に応じて、前記印刷ジョブ情報表示ステップにおいて表示された印刷ジョブ情報の中から、前記指示に対応した印刷ジョブ情報を選択する印刷ジョブ情報選択ステップと、
前記印刷ジョブ情報選択ステップにおいて選択された印刷ジョブ情報に対応する印刷ジョブを、当該印刷ジョブを保持する装置から削除する印刷ジョブ削除ステップと、を更に含むことを特徴としている。
これにより、形態１４の印刷システムと同等の作用効果が得られる。
【００７９】
〔形態３２〕  更に、形態３２の印刷方法は、形態２８乃至３１のいずれか１の印刷方法において、
前記印刷ジョブ情報表示ステップにおいては、前記印刷ジョブ情報を表示する際に、表示対象の印刷ジョブ情報のうち印刷処理の実行される可能性の高い印刷ジョブの印刷ジョブ情報を優先して表示することを特徴としている。
これにより、形態１５の印刷システムと同等の作用効果が得られる。
【００８０】
〔形態３３〕  更に、形態３３の印刷方法は、形態３２の印刷方法において、
前記印刷ジョブの印刷処理回数の情報を取得する印刷処理回数情報取得ステップを含み、
前記印刷ジョブ情報表示ステップにおいては、前記取得した印刷処理回数情報に基づき、表示対象の印刷ジョブ情報のうち印刷処理回数の多い印刷ジョブの印刷ジョブ情報から順に優先して表示することを特徴としている。
これにより、形態１６の印刷システムと同等の作用効果が得られる。
【００８１】
〔形態３４〕  更に、形態３４の印刷方法は、形態３２又は３３の印刷方法において、
前記印刷ジョブの印刷処理回数の情報を取得する印刷処理回数情報取得ステップを含み、
前記印刷ジョブ情報表示ステップにおいては、前記取得した印刷処理回数情報に基づき、表示対象の印刷ジョブ情報のうち印刷処理が未実行の印刷ジョブの印刷ジョブ情報を優先して表示することを特徴としている。
これにより、形態１７の印刷システムと同等の作用効果が得られる。
【００８２】
〔形態３５〕  更に、形態３５の印刷方法は、形態３２乃至３４のいずれか１の印刷方法において、
前記印刷ジョブ情報表示ステップを実行する装置と、前記印刷ジョブ保持ステップを実行する装置との位置関係情報を取得する位置関係情報取得ステップをコンピュータに実行させるのに使用するプログラムを含み、
前記印刷ジョブ情報表示ステップにおいては、前記取得した位置関係情報に基づき、表示対象の印刷ジョブ情報のうち、前記印刷ジョブ表示ステップを実行する装置と前記印刷ジョブ情報保持ステップを実行する装置との物理的距離が近いほど、その印刷ジョブ保持ステップを実行する装置の保持する印刷ジョブの印刷ジョブ情報を優先して表示することを特徴としている。
これにより、形態１８の印刷システムと同等の作用効果が得られる。
【００８３】
〔形態３６〕  一方、上記目的を達成するために、形態３６の印刷ジョブ保持装置は、
印刷ジョブに基づき印刷処理を実行する印刷装置を、ネットワークを介して複数接続した印刷システムにおける、前記複数の印刷装置に対する印刷ジョブを保持する印刷ジョブ保持装置であって、
自印刷装置に対する印刷ジョブを、システム利用者を照合するための照合情報と対応付けて保持する印刷ジョブ保持手段と、
印刷ジョブ管理装置からの照合情報に基づき、前記印刷ジョブ保持手段の保持する印刷ジョブの中から、当該照合情報に対応した印刷ジョブを検索する印刷ジョブ検索手段と、
前記印刷ジョブ管理装置からの前記照合情報に対応した取得要求情報に応じて、前記検索処理によって策出された印刷ジョブに対する印刷ジョブ情報を前記印刷ジョブ管理装置に送信する印刷ジョブ情報送信手段と、を備えることを特徴としている。
このような構成であれば、形態５の印刷ジョブ保持装置と同様の作用及び効果が得られる。
【００８４】
〔形態３７〕  また、上記目的を達成するために、形態３７の印刷ジョブ保持装置制御プログラムは、
印刷ジョブに基づき印刷処理を実行する印刷装置を、ネットワークを介して複数接続した印刷システムにおける、前記複数の印刷装置に対する印刷ジョブを保持する印刷ジョブ保持装置を制御するのに使用する印刷ジョブ保持装置制御プログラムであって、
自印刷装置に対する印刷ジョブを、システム利用者を照合するための照合情報と対応付けて保持する印刷ジョブ保持ステップと、
印刷ジョブ管理装置からの照合情報に基づき、前記印刷ジョブ保持ステップによって保持された印刷ジョブの中から、当該照合情報に対応した印刷ジョブを検索する印刷ジョブ検索ステップと、
前記印刷ジョブ管理装置からの前記照合情報に対応した取得要求情報に応じて、前記検索処理によって策出された印刷ジョブに対する印刷ジョブ情報を前記印刷ジョブ管理装置に送信する印刷ジョブ情報送信ステップとからなる処理をコンピュータに実行させるのに使用するプログラムを含むことを特徴としている。
【００８５】
このような構成であれば、コンピュータによってプログラムが読み取られ、読み取られたプログラムに従ってコンピュータが処理を実行すると、形態３６の印刷ジョブ保持装置と同等の作用および効果が得られる。
【００８６】
〔形態３８〕  一方、上記目的を達成するために、形態３７の印刷ジョブ保持装置制御プログラムを記憶したコンピュータ読み取り可能な記録媒体は、
形態３７の印刷ジョブ保持装置制御プログラムが記録されていることを特徴としている。
これによって、形態３７の印刷ジョブ保持装置制御プログラムと同様の作用及び効果が得られると共に、ＣＤ−ＲＯＭやＤＶＤ−ＲＯＭ、ＭＯなどの記録媒体を介して前記印刷ジョブ保持装置制御プログラムを容易に授受することが可能となる。
【００８７】
〔形態３９〕  また、上記目的を達成するために、形態３９の印刷ジョブ保持装置制御方法は、
印刷ジョブに基づき印刷処理を実行する印刷装置を、ネットワークを介して複数接続した印刷システムにおける、前記複数の印刷装置に対する印刷ジョブを保持する印刷ジョブ保持装置を制御するのに使用する印刷ジョブ保持装置制御方法であって、
自印刷装置に対する印刷ジョブを、システム利用者を照合するための照合情報と対応付けて保持する印刷ジョブ保持ステップと、
印刷ジョブ管理装置からの照合情報に基づき、前記印刷ジョブ保持ステップによって保持された印刷ジョブの中から、当該照合情報に対応した印刷ジョブを検索する印刷ジョブ検索ステップと、
前記印刷ジョブ管理装置からの前記照合情報に対応した取得要求情報に応じて、前記検索処理によって策出された印刷ジョブに対する印刷ジョブ情報を前記印刷ジョブ管理装置に送信する印刷ジョブ情報送信ステップと、を含むことを特徴としている。
これにより、発明３６の印刷ジョブ保持装置と同等の作用効果が得られる。
【００８８】
〔形態４０〕  一方、上記目的を達成するために、形態４０の印刷ジョブ管理装置は、
システム利用者を照合するための照合情報を取得する照合情報取得手段と、
自印刷ジョブ管理装置に対応した印刷装置に対する印刷ジョブを保持する印刷ジョブ保持装置の保持する印刷ジョブの印刷ジョブ情報のうち、前記取得した照合情報に対応した印刷ジョブ情報を取得する印刷ジョブ情報取得手段と、
前記取得した印刷ジョブ情報を表示する印刷ジョブ情報表示手段とを備え、
前記印刷ジョブ情報取得手段は、前記印刷ジョブ保持装置に対して、前記照合情報取得手段によって取得された照合情報と、当該照合情報に対応した印刷ジョブ情報の取得要求情報とを送信することを特徴としている。
【００８９】
このような構成であれば、形態５乃至７のいずれか１の印刷システムにおける印刷ジョブ管理装置と同様の作用及び効果が得られる。
【００９０】
〔形態４１〕  また、上記目的を達成するために、形態４１の印刷ジョブ管理装置は、
システム利用者を照合するための照合情報を取得する照合情報取得手段と、
自印刷ジョブ管理装置に対応した印刷装置に対する印刷ジョブを前記照合情報と対応付けて保持する印刷ジョブ保持手段と、
前記照合情報に基づき、前記印刷ジョブ保持手段の保持する印刷ジョブの中から、当該照合情報に対応した印刷ジョブを検索する印刷ジョブ検索手段と、
自印刷ジョブ管理装置において認証されたシステム利用者の照合情報に対する印刷ジョブ情報を他装置から取得する印刷ジョブ情報取得手段と、
前記他装置からの取得要求情報に応じて、当該他装置から取得した照合情報に対する前記検索処理によって策出される印刷ジョブに対する印刷ジョブ情報を当該他装置に送信する印刷ジョブ情報送信手段と、
前記取得した印刷ジョブ情報を表示する印刷ジョブ情報表示手段とを備え、
前記印刷ジョブ情報取得手段は、前記他装置に対して、前記照合情報取得手段によって取得された照合情報と、当該照合情報に対応した印刷ジョブ情報の取得要求情報とを送信し、
前記印刷ジョブ情報表示手段は、前記検索処理によって策出された印刷ジョブに対する印刷ジョブ情報と、前記他装置から取得した印刷ジョブ情報とを表示することを特徴としている。
【００９１】
このような構成であれば、形態１１の印刷システムにおける印刷ジョブ管理装置と同様の作用及び効果が得られる。
【００９２】
〔形態４２〕  更に、形態４２の印刷ジョブ管理装置は、形態４０又は４１の印刷ジョブ管理装置において、
前記印刷ジョブ情報取得手段は、前記照合情報を他装置に送信するときに、当該照合情報を暗号化してから送信することを特徴としている。
このような構成であれば、形態１２の印刷システムと同様の作用及び効果が得られる。
【００９３】
〔形態４３〕  更に、形態４３の印刷ジョブ管理装置は、形態４０乃至４２のいずれか１の印刷ジョブ管理装置において、
前記システム利用者からの指示に応じて、前記印刷ジョブ情報表示手段によって表示された印刷ジョブ情報の中から、前記指示に対応した印刷ジョブ情報を選択する印刷ジョブ情報選択手段と、
前記印刷ジョブ情報選択手段によって選択された印刷ジョブ情報に対応する印刷ジョブの印刷処理を、所定の印刷装置に対して実行させる印刷処理実行手段と、を備えることを特徴としている。
このような構成であれば、形態１３の印刷システムと同様の作用及び効果が得られる。
【００９４】
〔形態４４〕  更に、形態４４の印刷ジョブ管理装置は、形態４０乃至４３のいずれか１の印刷ジョブ管理装置において、
前記システム利用者からの指示に応じて、前記印刷ジョブ情報表示手段によって表示された印刷ジョブ情報の中から、前記指示に対応した印刷ジョブ情報を選択する印刷ジョブ情報選択手段と、
前記印刷ジョブ情報選択手段によって選択された印刷ジョブ情報に対応する印刷ジョブを、当該印刷ジョブを保持する装置から削除する印刷ジョブ削除手段と、を備えることを特徴としている。
このような構成であれば、形態１４の印刷システムと同様の作用及び効果が得られる。
【００９５】
〔形態４５〕  更に、形態４５の印刷ジョブ管理装置は、形態４０乃至４４のいずれか１の印刷ジョブ管理装置において、
前記印刷ジョブ情報表示手段は、前記印刷ジョブ情報を表示する際に、表示対象の印刷ジョブ情報のうち印刷処理の実行される可能性の高い印刷ジョブの印刷ジョブ情報を優先して表示することを特徴としている。
このような構成であれば、形態１５の印刷システムと同様の作用及び効果が得られる。
【００９６】
〔形態４６〕  更に、形態４６の印刷ジョブ管理装置は、形態４５の印刷ジョブ管理装置において、
前記印刷ジョブの印刷処理回数の情報を取得する印刷処理回数情報取得手段を備え、
前記印刷ジョブ情報表示手段は、前記取得した印刷処理回数情報に基づき、表示対象の印刷ジョブ情報のうち印刷処理回数の多い印刷ジョブの印刷ジョブ情報から順に優先して表示することを特徴としている。
このような構成であれば、形態１６の印刷システムと同様の作用及び効果が得られる。
【００９７】
〔形態４７〕  更に、形態４７の印刷ジョブ管理装置は、形態４５又は４６の印刷ジョブ管理装置において、
前記印刷ジョブの印刷処理回数の情報を取得する印刷処理回数情報取得手段を備え、
前記印刷ジョブ情報表示手段は、前記取得した印刷処理回数情報に基づき、表示対象の印刷ジョブ情報のうち印刷処理が未実行の印刷ジョブの印刷ジョブ情報を優先して表示することを特徴としている。
このような構成であれば、形態１７の印刷システムと同様の作用及び効果が得られる。
【００９８】
〔形態４８〕  更に、形態４８の印刷ジョブ管理装置は、形態４５乃至４７のいずれか１の印刷ジョブ管理装置において、
前記印刷ジョブ表示手段を有する装置と、前記印刷ジョブ保持手段を有する装置との位置関係情報を取得する位置関係情報取得手段を備え、
前記印刷ジョブ情報表示手段は、前記取得した位置関係情報に基づき、表示対象の印刷ジョブ情報のうち、前記印刷ジョブ表示手段を有する装置と前記印刷ジョブ情報保持手段を有する装置との物理的距離が近いほど、その印刷ジョブ保持手段を有する装置の保持する印刷ジョブの印刷ジョブ情報を優先して表示することを特徴としている。
このような構成であれば、形態１８の印刷システムと同様の作用及び効果が得られる。
【００９９】
〔形態４９〕  また、上記目的を達成するために、形態４９の印刷ジョブ管理装置制御プログラムは、
システム利用者を照合するための照合情報を取得する照合情報取得ステップと、
自印刷ジョブ管理装置に対応した印刷装置に対する印刷ジョブを保持する印刷ジョブ保持装置の保持する印刷ジョブの印刷ジョブ情報のうち、前記取得した照合情報に対応した印刷ジョブ情報を取得する印刷ジョブ情報取得ステップと、
前記取得した印刷ジョブ情報を表示する印刷ジョブ情報表示ステップとからなる処理をコンピュータに実行させるのに使用するプログラムを含み、
前記印刷ジョブ情報取得ステップにおいては、前記印刷ジョブ保持装置に対して、前記照合情報取得ステップにおいて取得された照合情報と、当該照合情報に対応した印刷ジョブ情報の取得要求情報とを送信することを特徴としている。
【０１００】
このような構成であれば、コンピュータによってプログラムが読み取られ、読み取られたプログラムに従ってコンピュータが処理を実行すると、形態４０の印刷ジョブ管理装置と同等の作用および効果が得られる。
【０１０１】
〔形態５０〕  また、上記目的を達成するために、形態５０の印刷ジョブ管理装置制御プログラムは、
システム利用者を照合するための照合情報を取得する照合情報取得ステップと、
印刷ジョブを前記照合情報と対応付けて保持する印刷ジョブ保持ステップと、
前記取得した照合情報に基づき、前記印刷ジョブ保持ステップによって保持された印刷ジョブの中から、当該照合情報に対応した印刷ジョブを検索する印刷ジョブ検索ステップと、
前記認証ステップにおいて認証されたシステム利用者の照合情報に対する印刷ジョブ情報を取得する印刷ジョブ情報取得ステップと、
取得要求情報に応じて、前記照合情報に対する前記検索処理によって策出される印刷ジョブに対する印刷ジョブ情報を当該取得要求情報の送信元の装置に送信する印刷ジョブ情報送信ステップと、
前記取得した印刷ジョブ情報を表示する印刷ジョブ情報表示ステップとからなる処理をコンピュータに実行させるのに使用するプログラムを含み、
前記印刷ジョブ情報取得ステップにおいては、前記照合情報取得ステップにおいて取得された照合情報と、当該照合情報に対応した印刷ジョブ情報の取得要求情報とを送信対象の装置に送信し、
前記印刷ジョブ情報表示ステップにおいては、前記検索処理によって策出された印刷ジョブに対する印刷ジョブ情報と、前記送信対象の装置から取得した印刷ジョブ情報とを表示することを特徴としている。
【０１０２】
このような構成であれば、コンピュータによってプログラムが読み取られ、読み取られたプログラムに従ってコンピュータが処理を実行すると、形態４１の印刷ジョブ管理装置と同等の作用および効果が得られる。
【０１０３】
〔形態５１〕  更に、形態５１の印刷ジョブ管理装置制御プログラムは、形態４９又は５０の印刷ジョブ管理装置制御プログラムにおいて、
前記印刷ジョブ情報取得ステップにおいては、前記照合情報を他装置に送信するときに、当該照合情報を暗号化してから送信することを特徴としている。
このような構成であれば、コンピュータによってプログラムが読み取られ、読み取られたプログラムに従ってコンピュータが処理を実行すると、形態４２の印刷ジョブ管理装置と同等の作用および効果が得られる。
【０１０４】
〔形態５２〕  更に、形態５２の印刷ジョブ管理装置制御プログラムは、形態４９乃至５１のいずれか１の印刷ジョブ管理装置制御プログラムにおいて、
前記システム利用者からの指示に応じて、前記印刷ジョブ情報表示ステップにおいて表示された印刷ジョブ情報の中から、前記指示に対応した印刷ジョブ情報を選択する印刷ジョブ情報選択ステップと、
前記印刷ジョブ情報選択ステップにおいて選択された印刷ジョブ情報に対応する印刷ジョブの印刷処理を、所定の印刷装置に対して実行させる印刷処理実行ステップとからなる処理をコンピュータに実行させるのに使用するプログラムを更に含むことを特徴としている。
【０１０５】
このような構成であれば、コンピュータによってプログラムが読み取られ、読み取られたプログラムに従ってコンピュータが処理を実行すると、形態４３の印刷ジョブ管理装置と同等の作用および効果が得られる。
【０１０６】
〔形態５３〕  更に、形態５３の印刷ジョブ管理装置制御プログラムは、形態４９乃至５２のいずれか１の印刷ジョブ管理装置制御プログラムにおいて、
前記システム利用者からの指示に応じて、前記印刷ジョブ情報表示ステップにおいて表示された印刷ジョブ情報の中から、前記指示に対応した印刷ジョブ情報を選択する印刷ジョブ情報選択ステップと、
前記印刷ジョブ情報選択ステップにおいて選択された印刷ジョブ情報に対応する印刷ジョブを、当該印刷ジョブを保持する装置から削除する印刷ジョブ削除ステップとからなる処理をコンピュータに実行させるのに使用するプログラムを更に含むことを特徴としている。
【０１０７】
このような構成であれば、コンピュータによってプログラムが読み取られ、読み取られたプログラムに従ってコンピュータが処理を実行すると、形態４４の印刷ジョブ管理装置と同等の作用および効果が得られる。
【０１０８】
〔形態５４〕  更に、形態５４の印刷ジョブ管理装置制御プログラムは、形態４９乃至５３のいずれか１の印刷ジョブ管理装置制御プログラムにおいて、
前記印刷ジョブ情報表示ステップにおいては、前記印刷ジョブ情報を表示する際に、表示対象の印刷ジョブ情報のうち印刷処理の実行される可能性の高い印刷ジョブの印刷ジョブ情報を優先して表示することを特徴としている。
このような構成であれば、コンピュータによってプログラムが読み取られ、読み取られたプログラムに従ってコンピュータが処理を実行すると、形態４５の印刷ジョブ管理装置と同等の作用および効果が得られる。
【０１０９】
〔形態５５〕  更に、形態５５の印刷ジョブ管理装置制御プログラムは、形態５４の印刷ジョブ管理装置制御プログラムにおいて、
前記印刷ジョブの印刷処理回数の情報を取得する印刷処理回数情報取得ステップをコンピュータに実行させるのに使用するプログラムを含み、
前記印刷ジョブ情報表示ステップにおいては、前記取得した印刷処理回数情報に基づき、表示対象の印刷ジョブ情報のうち印刷処理回数の多い印刷ジョブの印刷ジョブ情報から順に優先して表示することを特徴としている。
【０１１０】
このような構成であれば、コンピュータによってプログラムが読み取られ、読み取られたプログラムに従ってコンピュータが処理を実行すると、形態４６の印刷ジョブ管理装置と同等の作用および効果が得られる。
【０１１１】
〔形態５６〕  更に、形態５６の印刷ジョブ管理装置制御プログラムは、形態５４又は５５の印刷ジョブ管理装置制御プログラムにおいて、
前記印刷ジョブの印刷処理回数の情報を取得する印刷処理回数情報取得ステップをコンピュータに実行させるのに使用するプログラムを含み、
前記印刷ジョブ情報表示ステップにおいては、前記取得した印刷処理回数情報に基づき、表示対象の印刷ジョブ情報のうち印刷処理が未実行の印刷ジョブの印刷ジョブ情報を優先して表示することを特徴としている。
【０１１２】
このような構成であれば、コンピュータによってプログラムが読み取られ、読み取られたプログラムに従ってコンピュータが処理を実行すると、形態４７の印刷ジョブ管理装置と同等の作用および効果が得られる。
【０１１３】
〔形態５７〕  更に、形態５７の印刷ジョブ管理装置制御プログラムは、形態５４乃至５５のいずれか１の印刷ジョブ管理装置制御プログラムにおいて、
前記印刷ジョブ情報表示ステップを実行する装置と、前記印刷ジョブ保持ステップを実行する装置との位置関係情報を取得する位置関係情報取得ステップをコンピュータに実行させるのに使用するプログラムを含み、
前記印刷ジョブ情報表示ステップにおいては、前記取得した位置関係情報に基づき、表示対象の印刷ジョブ情報のうち、前記印刷ジョブ表示ステップを実行する装置と前記印刷ジョブ情報保持ステップを実行する装置との物理的距離が近いほど、その印刷ジョブ保持ステップを実行する装置の保持する印刷ジョブの印刷ジョブ情報を優先して表示することを特徴としている。
【０１１４】
このような構成であれば、コンピュータによってプログラムが読み取られ、読み取られたプログラムに従ってコンピュータが処理を実行すると、形態４８の印刷ジョブ管理装置と同等の作用および効果が得られる。
【０１１５】
〔形態５８〕  一方、上記目的を達成するために、形態５８の印刷ジョブ管理装置制御プログラムを記憶したコンピュータ読み取り可能な記録媒体は、
形態４９乃至５７のいずれか１の印刷ジョブ管理装置制御プログラムが記録されていることを特徴としている。
これによって、形態４９乃至５７のいずれか１の印刷ジョブ管理装置制御プログラムと同様の作用及び効果が得られると共に、ＣＤ−ＲＯＭやＤＶＤ−ＲＯＭ、ＭＯなどの記録媒体を介して前記印刷ジョブ保持装置制御プログラムを容易に授受することが可能となる。
【０１１６】
〔形態５９〕  また、上記目的を達成するために、形態５９の印刷ジョブ管理装置制御方法は、
システム利用者を照合するための照合情報を取得する照合情報取得ステップと、
印刷ジョブ保持装置の保持する印刷ジョブの印刷ジョブ情報のうち、前記取得した照合情報に対応した印刷ジョブ情報を取得する印刷ジョブ情報取得ステップと、
前記取得した印刷ジョブ情報を表示する印刷ジョブ情報表示ステップと、を含み、
前記印刷ジョブ情報取得ステップにおいては、前記印刷ジョブ保持装置に対して、前記照合情報取得ステップにおいて取得された照合情報と、当該照合情報に対応した印刷ジョブ情報の取得要求情報とを送信することを特徴としている。
これにより、形態４０の印刷ジョブ管理装置と同等の作用および効果が得られる。
【０１１７】
〔形態６０〕  また、上記目的を達成するために、形態６０の印刷ジョブ管理装置制御方法は、
システム利用者を照合するための照合情報を取得する照合情報取得ステップと、
印刷ジョブを前記照合情報と対応付けて保持する印刷ジョブ保持ステップと、
印刷ジョブ管理装置からの前記照合情報に基づき、前記印刷ジョブ保持ステップによって保持された印刷ジョブの中から、当該照合情報に対応した印刷ジョブを検索する印刷ジョブ検索ステップと、
前記照合情報取得ステップにおいて取得された照合情報に対する印刷ジョブ情報を取得する印刷ジョブ情報取得ステップと、
取得要求情報に応じて、前記照合情報に対する前記検索処理によって策出される印刷ジョブに対する印刷ジョブ情報を当該取得要求情報の送信元の装置に送信する印刷ジョブ情報送信ステップと、
前記取得した印刷ジョブ情報を表示する印刷ジョブ情報表示ステップと、を含み、
前記印刷ジョブ情報取得ステップにおいては、前記照合情報取得ステップにおいて取得された照合情報と、当該照合情報に対応した印刷ジョブ情報の取得要求情報とを送信対象の装置に送信し、
前記印刷ジョブ情報表示ステップにおいては、前記検索処理によって策出された印刷ジョブに対する印刷ジョブ情報と、前記送信対象の装置から取得した印刷ジョブ情報とを表示することを特徴としている。
これにより、形態４１の印刷ジョブ管理装置と同等の作用および効果が得られる。
【０１１８】
〔形態６１〕  更に、形態６１の印刷ジョブ管理装置制御方法は、形態５９又は６０の印刷ジョブ管理装置制御方法において、
前記印刷ジョブ情報取得ステップにおいては、前記照合情報を他装置に送信するときに、当該照合情報を暗号化してから送信することを特徴としている。
これにより、形態４２の印刷ジョブ管理装置と同等の作用および効果が得られる。
【０１１９】
〔形態６２〕  更に、形態６２の印刷ジョブ管理装置制御方法は、形態５９乃至６１のいずれか１の印刷ジョブ管理装置制御方法において、
前記システム利用者からの指示に応じて、前記印刷ジョブ情報表示ステップにおいて表示された印刷ジョブ情報の中から、前記指示に対応した印刷ジョブ情報を選択する印刷ジョブ情報選択ステップと、
前記印刷ジョブ情報選択ステップにおいて選択された印刷ジョブ情報に対応する印刷ジョブの印刷処理を、所定の印刷装置に対して実行させる印刷処理実行ステップと、を更に含むことを特徴としている。
これにより、形態４３の印刷ジョブ管理装置と同等の作用および効果が得られる。
【０１２０】
〔形態６３〕  更に、形態６３の印刷ジョブ管理装置制御方法は、形態５９乃至６２のいずれか１の印刷ジョブ管理装置制御方法において、
前記システム利用者からの指示に応じて、前記印刷ジョブ情報表示ステップにおいて表示された印刷ジョブ情報の中から、前記指示に対応した印刷ジョブ情報を選択する印刷ジョブ情報選択ステップと、
前記印刷ジョブ情報選択ステップにおいて選択された印刷ジョブ情報に対応する印刷ジョブを、当該印刷ジョブを保持する装置から削除する印刷ジョブ削除ステップと、を更に含むことを特徴としている。
これにより、形態４４の印刷ジョブ管理装置と同等の作用および効果が得られる。
【０１２１】
〔形態６４〕  更に、形態６４の印刷ジョブ管理装置制御方法は、形態５９乃至６３のいずれか１の印刷ジョブ管理装置制御方法において、
前記印刷ジョブ情報表示ステップにおいては、前記印刷ジョブ情報を表示する際に、表示対象の印刷ジョブ情報のうち印刷処理の実行される可能性の高い印刷ジョブの印刷ジョブ情報を優先して表示することを特徴としている。
これにより、形態４５の印刷ジョブ管理装置と同等の作用および効果が得られる。
【０１２２】
〔形態６５〕  更に、形態６５の印刷ジョブ管理装置制御方法は、形態６４の印刷ジョブ管理装置制御方法において、
前記印刷ジョブの印刷処理回数の情報を取得する印刷処理回数情報取得ステップを含み、
前記印刷ジョブ情報表示ステップにおいては、前記取得した印刷処理回数情報に基づき、表示対象の印刷ジョブ情報のうち印刷処理回数の多い印刷ジョブの印刷ジョブ情報から順に優先して表示することを特徴としている。
これにより、形態４６の印刷ジョブ管理装置と同等の作用および効果が得られる。
【０１２３】
〔形態６６〕  更に、形態６６の印刷ジョブ管理装置制御方法は、形態６４又は６５の印刷ジョブ管理装置制御方法において、
前記印刷ジョブの印刷処理回数の情報を取得する印刷処理回数情報取得ステップを含み、
前記印刷ジョブ情報表示ステップにおいては、前記取得した印刷処理回数情報に基づき、表示対象の印刷ジョブ情報のうち印刷処理が未実行の印刷ジョブの印刷ジョブ情報を優先して表示することを特徴としている。
これにより、形態４７の印刷ジョブ管理装置と同等の作用および効果が得られる。
【０１２４】
〔形態６７〕  更に、形態６７の印刷ジョブ管理装置制御方法は、形態６４乃至６６のいずれか１の印刷ジョブ管理装置制御方法において、
前記印刷ジョブ情報表示ステップを実行する装置と、前記印刷ジョブ保持ステップを実行する装置との位置関係情報を取得する位置関係情報取得ステップを含み、
前記印刷ジョブ情報表示ステップにおいては、前記取得した位置関係情報に基づき、表示対象の印刷ジョブ情報のうち、前記印刷ジョブ表示ステップを実行する装置と前記印刷ジョブ情報保持ステップを実行する装置との物理的距離が近いほど、その印刷ジョブ保持ステップを実行する装置の保持する印刷ジョブの印刷ジョブ情報を優先して表示することを特徴としている。
これにより、形態４８の印刷ジョブ管理装置と同等の作用および効果が得られる。
【０１２５】
〔形態６８〕  一方、上記目的を達成するために、形態６８の印刷装置は、
印刷ジョブに基づき印刷処理を実行する印刷装置であって、
自印刷装置に対する印刷ジョブを、システム利用者を照合するための照合情報と対応付けて保持する印刷ジョブ保持手段と、
印刷ジョブ管理装置からの照合情報に基づき、前記印刷ジョブ保持手段の保持する印刷ジョブの中から、当該照合情報に対応した印刷ジョブを検索する印刷ジョブ検索手段と、
前記印刷ジョブ管理装置からの取得要求情報に応じて、前記検索処理によって策出された印刷ジョブに対する印刷ジョブ情報を前記印刷ジョブ管理装置に送信する印刷ジョブ情報送信手段とを備えることを特徴としている。
【０１２６】
このような構成であれば、形態６の印刷システムにおける印刷装置と同様の作用及び効果が得られる。
【０１２７】
〔形態６９〕  また、上記目的を達成するために、形態６９の印刷装置は、
システム利用者を照合するための照合情報を取得する照合情報取得手段と、
自印刷装置に対する印刷ジョブを前記照合情報と対応付けて保持する印刷ジョブ保持手段と、
前記照合情報に基づき、前記印刷ジョブ保持手段の保持する印刷ジョブの中から、当該照合情報に対応した印刷ジョブを検索する印刷ジョブ検索手段と、
自印刷装置において取得された照合情報に対する印刷ジョブ情報を他装置から取得する印刷ジョブ情報取得手段と、
前記他装置からの取得要求情報に応じて、当該他装置から取得した照合情報に対する前記検索処理によって策出される印刷ジョブに対する印刷ジョブ情報を当該他装置に送信する印刷ジョブ情報送信手段と、
前記取得した印刷ジョブ情報を表示する印刷ジョブ情報表示手段とを備え、
前記印刷ジョブ情報取得手段は、前記他装置に対して、前記照合情報取得手段によって取得された照合情報と、当該照合情報に対応した印刷ジョブ情報の取得要求情報とを送信し、
前記印刷ジョブ情報表示手段は、前記検索処理によって策出された印刷ジョブに対する印刷ジョブ情報と、前記他装置から取得した印刷ジョブ情報とを表示することを特徴としている。
【０１２８】
このような構成であれば、形態１０の印刷システムにおける印刷装置と同様の作用及び効果が得られる。
【０１２９】
〔形態７０〕  更に、形態７０の印刷装置は、形態６９の印刷装置において、
前記印刷ジョブ情報取得手段は、前記照合情報を他装置に送信するときに、当該照合情報を暗号化してから送信することを特徴としている。
このような構成であれば、形態１２の印刷システムと同様の作用及び効果が得られる。
【０１３０】
〔形態７１〕  更に、形態７１の印刷装置は、形態６９又は７０の印刷装置において、
前記システム利用者からの指示に応じて、前記印刷ジョブ情報表示手段によって表示された印刷ジョブ情報の中から、前記指示に対応した印刷ジョブ情報を選択する印刷ジョブ情報選択手段と、
前記印刷ジョブ情報選択手段によって選択された印刷ジョブ情報に対応する印刷ジョブの印刷処理を、所定の印刷装置に対して実行させる印刷処理実行手段と、を備えることを特徴としている。
このような構成であれば、形態１３の印刷システムと同様の作用及び効果が得られる。
【０１３１】
〔形態７２〕  更に、形態７２の印刷装置は、形態６９乃至７１のいずれか１の印刷装置において、
前記システム利用者からの指示に応じて、前記印刷ジョブ情報表示手段によって表示された印刷ジョブ情報の中から、前記指示に対応した印刷ジョブ情報を選択する印刷ジョブ情報選択手段と、
前記印刷ジョブ情報選択手段によって選択された印刷ジョブ情報に対応する印刷ジョブを、当該印刷ジョブを保持する装置から削除する印刷ジョブ削除手段と、を備えることを特徴としている。
このような構成であれば、形態１４の印刷システムと同様の作用及び効果が得られる。
【０１３２】
〔形態７３〕  更に、形態７３の印刷装置は、形態６９乃至７２のいずれか１の印刷装置において、
前記印刷ジョブ情報表示手段は、前記印刷ジョブ情報を表示する際に、表示対象の印刷ジョブ情報のうち印刷処理の実行される可能性の高い印刷ジョブの印刷ジョブ情報を優先して表示することを特徴としている。
このような構成であれば、形態１５の印刷システムと同様の作用及び効果が得られる。
【０１３３】
〔形態７４〕  更に、形態７４の印刷装置は、形態７３の印刷ジョブ管理装置において、
前記印刷ジョブの印刷処理回数の情報を取得する印刷処理回数情報取得手段を備え、
前記印刷ジョブ情報表示手段は、前記取得した印刷処理回数情報に基づき、表示対象の印刷ジョブ情報のうち印刷処理回数の多い印刷ジョブの印刷ジョブ情報から順に優先して表示することを特徴としている。
このような構成であれば、形態１６の印刷システムと同様の作用及び効果が得られる。
【０１３４】
〔形態７５〕  更に、形態７５の印刷装置は、形態７３又は７４の印刷ジョブ管理装置において、
前記印刷ジョブの印刷処理回数の情報を取得する印刷処理回数情報取得手段を備え、
前記印刷ジョブ情報表示手段は、前記取得した印刷処理回数情報に基づき、表示対象の印刷ジョブ情報のうち印刷処理が未実行の印刷ジョブの印刷ジョブ情報を優先して表示することを特徴としている。
このような構成であれば、形態１７の印刷システムと同様の作用及び効果が得られる。
【０１３５】
〔形態７６〕  更に、形態７６の印刷装置は、形態７３乃至７５のいずれか１の印刷ジョブ管理装置において、
前記印刷ジョブ表示手段を有する装置と、前記印刷ジョブ保持手段を有する装置との位置関係情報を取得する位置関係情報取得手段を備え、
前記印刷ジョブ情報表示手段は、前記取得した位置関係情報に基づき、表示対象の印刷ジョブ情報のうち、前記印刷ジョブ表示手段を有する装置と前記印刷ジョブ情報保持手段を有する装置との物理的距離が近いほど、その印刷ジョブ保持手段を有する装置の保持する印刷ジョブの印刷ジョブ情報を優先して表示することを特徴としている。
このような構成であれば、形態１８の印刷システムと同様の作用及び効果が得られる。
【０１３６】
〔形態７７〕  また、上記目的を達成するために、形態７７の印刷装置制御プログラムは、
印刷ジョブに基づき印刷処理を実行する印刷装置を制御するのに使用する印刷装置制御プログラムであって、
前記印刷ジョブを、システム利用者を照合するための照合情報と対応付けて保持する印刷ジョブ保持ステップと、
前記照合情報に基づき、前記印刷ジョブ保持ステップにおいて保持された印刷ジョブの中から、当該照合情報に対応した印刷ジョブを検索する印刷ジョブ検索ステップと、
取得要求情報に応じて、前記検索処理によって策出された印刷ジョブに対する印刷ジョブ情報を前記取得要求情報の送信元の装置に送信する印刷ジョブ情報送信ステップとからなる処理をコンピュータに実行させるのに使用するプログラムを含むことを特徴としている。
【０１３７】
このような構成であれば、コンピュータによってプログラムが読み取られ、読み取られたプログラムに従ってコンピュータが処理を実行すると、形態６８の印刷装置と同等の作用および効果が得られる。
【０１３８】
〔形態７８〕  また、上記目的を達成するために、形態７８の印刷装置制御プログラムは、
システム利用者を照合するための照合情報を取得する照合情報取得ステップと、
自印刷装置に対する印刷ジョブを前記照合情報と対応付けて保持する印刷ジョブ保持ステップと、
前記照合情報に基づき、前記印刷ジョブ保持ステップによって保持された印刷ジョブの中から、当該照合情報に対応した印刷ジョブを検索する印刷ジョブ検索ステップと、
前記照合情報取得ステップにおいて取得された照合情報に対する印刷ジョブ情報を取得する印刷ジョブ情報取得ステップと、
取得要求情報に応じて、前記照合情報に対する前記検索処理によって策出される印刷ジョブに対する印刷ジョブ情報を前記取得要求情報の送信元の装置に送信する印刷ジョブ情報送信ステップと、
前記取得した印刷ジョブ情報を表示する印刷ジョブ情報表示ステップとからなる処理をコンピュータに実行させるのに使用するプログラムを含み、
前記印刷ジョブ情報取得ステップにおいては、前記照合情報取得ステップにおいて取得された照合情報と、当該照合情報に対応した印刷ジョブ情報の取得要求情報とを送信対象の装置に送信し、
前記印刷ジョブ情報表示ステップにおいては、前記検索処理によって策出された印刷ジョブに対する印刷ジョブ情報と、前記他装置から取得した印刷ジョブ情報とを表示することを特徴としている。
【０１３９】
このような構成であれば、コンピュータによってプログラムが読み取られ、読み取られたプログラムに従ってコンピュータが処理を実行すると、形態６９の印刷装置と同等の作用および効果が得られる。
【０１４０】
〔形態７９〕  更に、形態７９の印刷装置制御プログラムは、形態７８の印刷装置制御プログラムにおいて、
前記印刷ジョブ情報取得ステップにおいては、前記照合情報を他装置に送信するときに、当該照合情報を暗号化してから送信することを特徴としている。
このような構成であれば、コンピュータによってプログラムが読み取られ、読み取られたプログラムに従ってコンピュータが処理を実行すると、形態７０の印刷装置と同等の作用および効果が得られる。
【０１４１】
〔形態８０〕  更に、形態８０の印刷装置制御プログラムは、形態７８又は７９の印刷装置制御プログラムにおいて、
前記システム利用者からの指示に応じて、前記印刷ジョブ情報表示ステップにおいて表示された印刷ジョブ情報の中から、前記指示に対応した印刷ジョブ情報を選択する印刷ジョブ情報選択ステップと、
前記印刷ジョブ情報選択ステップにおいて選択された印刷ジョブ情報に対応する印刷ジョブの印刷処理を、所定の印刷装置に対して実行させる印刷処理実行ステップとからなる処理をコンピュータに実行させるのに使用するプログラムを更に含むことを特徴としている。
【０１４２】
このような構成であれば、コンピュータによってプログラムが読み取られ、読み取られたプログラムに従ってコンピュータが処理を実行すると、形態７１の印刷装置と同等の作用および効果が得られる。
【０１４３】
〔形態８１〕  更に、形態８１の印刷装置制御プログラムは、形態７８乃至８０のいずれか１の印刷装置制御プログラムにおいて、
前記システム利用者からの指示に応じて、前記印刷ジョブ情報表示ステップにおいて表示された印刷ジョブ情報の中から、前記指示に対応した印刷ジョブ情報を選択する印刷ジョブ情報選択ステップと、
前記印刷ジョブ情報選択ステップにおいて選択された印刷ジョブ情報に対応する印刷ジョブを、当該印刷ジョブを保持する装置から削除する印刷ジョブ削除ステップとからなる処理をコンピュータに実行させるのに使用するプログラムを更に含むことを特徴としている。
【０１４４】
このような構成であれば、コンピュータによってプログラムが読み取られ、読み取られたプログラムに従ってコンピュータが処理を実行すると、形態７２の印刷装置と同等の作用および効果が得られる。
【０１４５】
〔形態８２〕  更に、形態８２の印刷装置制御プログラムは、形態７８乃至８１のいずれか１の印刷装置制御プログラムにおいて、
前記印刷ジョブ情報表示ステップにおいては、前記印刷ジョブ情報を表示する際に、表示対象の印刷ジョブ情報のうち印刷処理の実行される可能性の高い印刷ジョブの印刷ジョブ情報を優先して表示することを特徴としている。
このような構成であれば、コンピュータによってプログラムが読み取られ、読み取られたプログラムに従ってコンピュータが処理を実行すると、形態７３の印刷装置と同等の作用および効果が得られる。
【０１４６】
〔形態８３〕  更に、形態８３の印刷装置制御プログラムは、形態８２の印刷装置制御プログラムにおいて、
前記印刷ジョブの印刷処理回数の情報を取得する印刷処理回数情報取得ステップをコンピュータに実行させるのに使用するプログラムを含み、
前記印刷ジョブ情報表示ステップにおいては、前記取得した印刷処理回数情報に基づき、表示対象の印刷ジョブ情報のうち印刷処理回数の多い印刷ジョブの印刷ジョブ情報から順に優先して表示することを特徴としている。
【０１４７】
このような構成であれば、コンピュータによってプログラムが読み取られ、読み取られたプログラムに従ってコンピュータが処理を実行すると、形態７４の印刷装置と同等の作用および効果が得られる。
【０１４８】
〔形態８４〕  更に、形態８４の印刷装置制御プログラムは、形態８２又は８３の印刷装置制御プログラムにおいて、
前記印刷ジョブの印刷処理回数の情報を取得する印刷処理回数情報取得ステップをコンピュータに実行させるのに使用するプログラムを含み、
前記印刷ジョブ情報表示ステップにおいては、前記取得した印刷処理回数情報に基づき、表示対象の印刷ジョブ情報のうち印刷処理が未実行の印刷ジョブの印刷ジョブ情報を優先して表示することを特徴としている。
【０１４９】
このような構成であれば、コンピュータによってプログラムが読み取られ、読み取られたプログラムに従ってコンピュータが処理を実行すると、形態７５の印刷装置と同等の作用および効果が得られる。
【０１５０】
〔形態８５〕  更に、形態８５の印刷装置制御プログラムは、形態８２乃至８４のいずれか１の印刷装置制御プログラムにおいて、
前記印刷ジョブ情報表示ステップを実行する装置と、前記印刷ジョブ保持ステップを実行する装置との位置関係情報を取得する位置関係情報取得ステップをコンピュータに実行させるのに使用するプログラムを含み、
前記印刷ジョブ情報表示ステップにおいては、前記取得した位置関係情報に基づき、表示対象の印刷ジョブ情報のうち、前記印刷ジョブ表示ステップを実行する装置と前記印刷ジョブ情報保持ステップを実行する装置との物理的距離が近いほど、その印刷ジョブ保持ステップを実行する装置の保持する印刷ジョブの印刷ジョブ情報を優先して表示することを特徴としている。
【０１５１】
このような構成であれば、コンピュータによってプログラムが読み取られ、読み取られたプログラムに従ってコンピュータが処理を実行すると、形態７６の印刷装置と同等の作用および効果が得られる。
【０１５２】
〔形態８６〕  一方、上記目的を達成するために、形態８６の印刷装置制御プログラムを記憶したコンピュータ読み取り可能な記録媒体は、
形態７７乃至８５のいずれか１の印刷装置制御プログラムが記録されていることを特徴としている。
これによって、形態７７乃至８５のいずれか１の印刷装置制御プログラムと同様の作用及び効果が得られると共に、ＣＤ−ＲＯＭやＤＶＤ−ＲＯＭ、ＭＯなどの記録媒体を介して前記印刷装置制御プログラムを容易に授受することが可能となる。
【０１５３】
〔形態８７〕  また、上記目的を達成するために、形態８７の印刷装置制御方法は、
印刷ジョブに基づき印刷処理を実行する印刷装置を制御するのに使用する印刷装置制御方法であって、
前記印刷ジョブを、システム利用者を照合するための照合情報と対応付けて保持する印刷ジョブ保持ステップと、
前記照合情報に基づき、前記印刷ジョブ保持ステップにおいて保持された印刷ジョブの中から、当該照合情報に対応した印刷ジョブを検索する印刷ジョブ検索ステップと、
取得要求情報に応じて、前記検索処理によって策出された印刷ジョブに対する印刷ジョブ情報を前記取得要求情報の送信元の装置に送信する印刷ジョブ情報送信ステップと、を含むことを特徴としている。
これにより、形態６８の印刷装置と同等の作用および効果が得られる。
【０１５４】
〔形態８８〕  また、上記目的を達成するために、形態８８の印刷装置制御方法は、
システム利用者を照合するための照合情報を取得する照合情報取得ステップと、
自印刷装置に対する印刷ジョブを前記照合情報と対応付けて保持する印刷ジョブ保持ステップと、
前記照合情報に基づき、前記印刷ジョブ保持ステップによって保持された印刷ジョブの中から、当該照合情報に対応した印刷ジョブを検索する印刷ジョブ検索ステップと、
前記照合情報取得ステップにおいて取得された照合情報に対する印刷ジョブ情報を取得する印刷ジョブ情報取得ステップと、
取得要求情報に応じて、前記照合情報に対する前記検索処理によって策出される印刷ジョブに対する印刷ジョブ情報を前記取得要求情報の送信元の装置に送信する印刷ジョブ情報送信ステップと、
前記取得した印刷ジョブ情報を表示する印刷ジョブ情報表示ステップと、を含み、
前記印刷ジョブ情報取得ステップにおいては、前記照合情報取得ステップにおいて取得された照合情報と、当該照合情報に対応した印刷ジョブ情報の取得要求情報とを送信対象の装置に送信し、
前記印刷ジョブ情報表示ステップにおいては、前記検索処理によって策出された印刷ジョブに対する印刷ジョブ情報と、前記他装置から取得した印刷ジョブ情報とを表示することを特徴としている。
これにより、形態６９の印刷装置と同等の作用および効果が得られる。
【０１５５】
〔形態８９〕  更に、形態８９の印刷装置制御方法は、形態８８の印刷装置制御方法において、
前記印刷ジョブ情報取得ステップにおいては、前記照合情報を他装置に送信するときに、当該照合情報を暗号化してから送信することを特徴としている。
これにより、形態７０の印刷装置と同等の作用および効果が得られる。
【０１５６】
〔形態９０〕  更に、形態９０の印刷装置制御方法は、形態８８又は８９の印刷装置制御方法において、
前記システム利用者からの指示に応じて、前記印刷ジョブ情報表示ステップにおいて表示された印刷ジョブ情報の中から、前記指示に対応した印刷ジョブ情報を選択する印刷ジョブ情報選択ステップと、
前記印刷ジョブ情報選択ステップにおいて選択された印刷ジョブ情報に対応する印刷ジョブの印刷処理を、所定の印刷装置に対して実行させる印刷処理実行ステップと、を更に含むことを特徴としている。
これにより、形態７１の印刷装置と同等の作用および効果が得られる。
【０１５７】
〔形態９１〕  更に、形態９１の印刷装置制御方法は、形態８８乃至９０のいずれか１の印刷装置制御方法において、
前記システム利用者からの指示に応じて、前記印刷ジョブ情報表示ステップにおいて表示された印刷ジョブ情報の中から、前記指示に対応した印刷ジョブ情報を選択する印刷ジョブ情報選択ステップと、
前記印刷ジョブ情報選択ステップにおいて選択された印刷ジョブ情報に対応する印刷ジョブを、当該印刷ジョブを保持する装置から削除する印刷ジョブ削除ステップと、を更に含むことを特徴としている。
これにより、形態７２の印刷装置と同等の作用および効果が得られる。
【０１５８】
〔形態９２〕  更に、形態９２の印刷装置制御方法は、形態８８乃至９１のいずれか１の印刷装置制御方法において、
前記印刷ジョブ情報表示ステップにおいては、前記印刷ジョブ情報を表示する際に、表示対象の印刷ジョブ情報のうち印刷処理の実行される可能性の高い印刷ジョブの印刷ジョブ情報を優先して表示することを特徴としている。
これにより、形態７３の印刷装置と同等の作用および効果が得られる。
【０１５９】
〔形態９３〕  更に、形態９３の印刷装置制御方法は、形態９２の印刷装置制御方法において、
前記印刷ジョブの印刷処理回数の情報を取得する印刷処理回数情報取得ステップを含み、
前記印刷ジョブ情報表示ステップにおいては、前記取得した印刷処理回数情報に基づき、表示対象の印刷ジョブ情報のうち印刷処理回数の多い印刷ジョブの印刷ジョブ情報から順に優先して表示することを特徴としている。
これにより、形態７４の印刷装置と同等の作用および効果が得られる。
【０１６０】
〔形態９４〕  更に、形態９４の印刷装置制御方法は、形態９２又は９３の印刷装置制御方法において、
前記印刷ジョブの印刷処理回数の情報を取得する印刷処理回数情報取得ステップを含み、
前記印刷ジョブ情報表示ステップにおいては、前記取得した印刷処理回数情報に基づき、表示対象の印刷ジョブ情報のうち印刷処理が未実行の印刷ジョブの印刷ジョブ情報を優先して表示することを特徴としている。
これにより、形態７５の印刷装置と同等の作用および効果が得られる。
【０１６１】
〔形態９５〕  更に、形態９５の印刷装置制御方法は、形態９２乃至９４のいずれか１の印刷装置制御方法において、
前記印刷ジョブ情報表示ステップを実行する装置と、前記印刷ジョブ保持ステップを実行する装置との位置関係情報を取得する位置関係情報取得ステップを含み、
前記印刷ジョブ情報表示ステップにおいては、前記取得した位置関係情報に基づき、表示対象の印刷ジョブ情報のうち、前記印刷ジョブ表示ステップを実行する装置と前記印刷ジョブ情報保持ステップを実行する装置との物理的距離が近いほど、その印刷ジョブ保持ステップを実行する装置の保持する印刷ジョブの印刷ジョブ情報を優先して表示することを特徴としている。
これにより、形態７６の印刷装置と同等の作用および効果が得られる。
【発明を実施するための最良の形態】
【０１６２】
以下、本発明の実施の形態を図面に基づき説明する。図１〜図２１は、本発明に係る印刷ジョブ情報表示システム、印刷システム、印刷ジョブ管理装置、印刷ジョブ管理装置制御プログラム及び印刷ジョブ管理装置制御方法、並びに印刷装置、印刷装置制御プログラム及び印刷装置制御方法の実施の形態を示す図である。
まず、本発明に係る親展印刷システムの構成を図１に基づき説明する。図１は、本発明に係る親展印刷システムの構成を示すブロック図である。
【０１６３】
親展印刷システム１は、印刷ジョブの生成や印刷ジョブの印刷指示などを行う印刷指示装置２と、印刷ジョブに基づき印刷処理を行う第１〜第３の印刷装置３Ａ〜３Ｃと、当該第１〜第３の印刷装置３Ａ〜３Ｃにそれぞれ一対一に接続され、これら第１〜第３の印刷装置３Ａ〜３Ｃの近傍にそれぞれ位置する印刷ジョブの保持処理及び印刷ジョブ情報の表示処理等を行う第１〜第３の印刷ジョブ管理装置４Ａ〜４Ｃと、印刷指示装置２及び印刷ジョブ管理装置４Ａ〜４Ｃの各装置間でデータ送受信可能にこれら各装置を接続するネットワーク５とを含んだ構成となっている。
【０１６４】
なお、第１〜第３の印刷装置３Ａ〜３Ｃは、いずれも同様の機能構成を有しているので、以降は、適宜、これらを総じて印刷装置３として取り扱うこととする。
また、第１〜第３の印刷ジョブ管理装置４Ａ〜４Ｃは、いずれも同様の機能構成を有しているので、以降は、適宜、これらを総じて印刷ジョブ管理装置４として取り扱うこととする。
【０１６５】
更に、図２に基づき、印刷指示装置２の詳細な機能構成を説明する。ここで、図２は、印刷指示装置２の詳細な機能構成を示すブロック図である。
印刷指示装置２は、図２に示すように、データ通信部２ａと、データ制御部２ｂと、データ記憶部２ｃと、印刷ジョブ生成部２ｄとを含んだ構成となっている。
データ通信部２ａは、印刷ジョブを、ネットワーク５を介して第１〜第３の印刷装置３Ａ〜３Ｃのいずれかに送信したりするなど、ネットワーク５に接続された第１〜第３の印刷ジョブ管理装置４Ａ〜４Ｃ等の各装置間のデータの送受信を行う機能を有している。
【０１６６】
データ制御部２ｂは、データ通信部２ａを介して外部装置から取得したデータをデータ記憶部２ｃに記憶したり、データ記憶部２ｃに記憶された各種データを各構成要素に伝送したり、各構成要素間のデータ授受を制御したり、印刷ジョブ生成部２ｄにおいて生成された印刷ジョブをデータ通信部２ａを介して第１〜第３の印刷装置３Ａ〜３Ｃのいずれかに送信したりするなど、印刷指示装置２におけるデータの流れを統括性御する機能を有している。
【０１６７】
データ記憶部２ｃは、エディタ等により生成された文書データや画像データ等の他、印刷ジョブを生成するためのデータや、各構成要素で行われる処理に必要なデータ等を記憶する機能を有している。
印刷ジョブ生成部２ｄは、データ記憶部２ｃに記憶された文書データや画像データを、エディタ等からの印刷指示に応じて読み出し、当該読み出した印刷データに対し、印刷指示を行ったシステム利用者の情報を付加して印刷ジョブを生成する。そして、印刷ジョブが生成されると、当該印刷ジョブを、データ制御部２ｂを介して第１〜第３の印刷ジョブ管理装置４Ａ〜４Ｃのいずれかの印刷ジョブ管理装置に送信する。本実施の形態において、印刷ジョブの送信先は、印刷指示を与えるユーザが任意に選択できることとする。
【０１６８】
ここで、印刷指示装置２は、図示しない、プロセッサと、ＲＡＭ（Random Access Memory）と、専用のプログラムの記憶されたＲＯＭ（Read Only Memory）とを備えており、プロセッサにより専用のプログラムを実行することにより上記各部の機能を果たす。また、上記各部は、専用のプログラムのみでその機能を果たすもの、専用のプログラムによりハードウェアを制御してその機能を果たすもの等が混在している。
【０１６９】
更に、図３に基づき、印刷装置３の詳細な機能構成を説明する。ここで、図３は、印刷装置３の詳細な機能構成を示すブロック図である。
印刷装置３は、図３に示すように、データ通信部３ａと、データ制御部３ｂと、印刷処理部３ｃとを含んだ構成となっている。
データ通信部３ａは、有線又は無線によって、印刷ジョブ管理装置４からの印刷ジョブを受信したり、印刷処理結果の情報などを印刷ジョブ管理装置４に送信したりするなど、印刷ジョブ管理装置４との間のデータの送受信を行う機能を有している。
【０１７０】
データ制御部３ｂは、データ通信部３ａを介して、印刷ジョブ管理装置４から受信した印刷ジョブを印刷処理部３ｃに伝送したり、印刷処理部３ｃからの印刷結果情報を、データ通信部３ａを介して印刷ジョブ管理装置４に送信するなど、印刷装置３におけるデータの流れを統括性御する機能を有している。
印刷処理部３ｃは、印刷ジョブ管理装置４から受信した印刷ジョブに基づき、当該印刷ジョブを構成する画像データの画像や文書データの文書等の印刷処理を行う機能を有している。
【０１７１】
ここで、印刷装置３は、図示しない、プロセッサと、ＲＡＭ（Random Access Memory）と、専用のプログラムの記憶されたＲＯＭ（Read Only Memory）とを備えており、プロセッサにより専用のプログラムを実行することにより上記各部の機能を果たす。また、上記各部は、専用のプログラムのみでその機能を果たすもの、専用のプログラムによりハードウェアを制御してその機能を果たすもの等が混在している。
【０１７２】
更に、図４に基づき、印刷ジョブ管理装置４の詳細な機能構成を説明する。ここで、図４は、印刷ジョブ管理装置４の詳細な機能構成を示すブロック図である。
印刷ジョブ管理装置４は、図４に示すように、データ通信部４ａと、データ制御部４ｂと、データ記憶部４ｃと、照合情報取得部４ｄとを含んだ構成となっている。
データ通信部４ａは、ネットワーク５を介して、印刷指示装置２からの印刷ジョブを受信したり、印刷ジョブ情報の取得要求情報を他の印刷ジョブ保持機器（図１では、第１〜第３の印刷ジョブ管理装置４Ａ〜４Ｃのいずれか）に送信したり、ネットワーク５に接続された他の機器の中から印刷ジョブの保持機能を有する機器（以下、印刷ジョブ保持機器と称す）を検索するための検索情報を、当該他の機器に送信したり、印刷ジョブ保持機器からの印刷ジョブ情報、印刷ジョブ情報の取得要求、印刷ジョブなどを受信したりするなど、自装置と、ネットワーク５に接続された印刷指示装置２、印刷ジョブ管理装置４等の各装置との間においてデータの送受信を行う機能を有している。
【０１７３】
データ制御部４ｂは、照合情報取得部４ｄにおいて取得された照合情報に対応する印刷ジョブをデータ記憶部４ｃに記憶された印刷ジョブの中から検索したり、印刷ジョブ保持機器検出部４ｇにおいて検出された印刷ジョブ保持機器に対して、前記取得した照合情報に対応する印刷ジョブ情報の取得要求をデータ通信部４ａを介して送信したり、データ通信部４ａを介して受信したデータを各構成要素に伝送したり、データ記憶部４ｃに記憶された各種データを各構成要素に伝送したり、各構成要素間のデータの授受を制御したりするなど、印刷ジョブ管理装置４におけるデータの流れを統括性御する機能を有している。更に、印刷装置３からの印刷処理結果の情報に基づき、データ記憶部４ｃに記憶された印刷ジョブに対する印刷処理回数の情報を各印刷ジョブ情報に対応付けて記録すると共に、印刷処理が行われる毎に対象印刷ジョブの印刷処理回数を更新する機能を有している。
【０１７４】
つまり、本実施の形態において、印刷ジョブ管理装置４は、印刷処理が行われた印刷ジョブをその印刷回数情報と共に所定期間保存し続けるようになっている。
データ記憶部４ｃは、印刷指示装置２からデータ通信部４ａを介して受信した印刷ジョブを記憶したり、印刷ジョブ管理装置４の位置情報を記憶したり、各構成要素において実行される処理に必要なデータ等を記憶したりする機能を有している。
【０１７５】
照合情報取得部４ｄは、システム利用者の有するカード型の記憶媒体（ＩＣカード等）から、システム利用者の照合情報を読み取ってデータ制御部４ｂに伝送する機能を有している。
印刷ジョブ管理装置４は、図４に示すように、更に、印刷ジョブ保持機器検索部４ｅと、印刷ジョブ情報表示処理部４ｆと、表示部４ｇと、操作部４ｈと、印刷処理制御部４ｉとを含んだ構成となっている。
【０１７６】
印刷ジョブ保持機器検索部４ｅは、データ制御部４ｂからの検索指示及び照合情報に応じて、当該照合情報に対応した印刷ジョブを保持している印刷ジョブ保持機器を検索し、当該検索結果をデータ制御部４ｂに伝送する機能を有している。本実施の形態においては、他の装置から印刷ジョブ情報を取得する際のアクセス方法として、（１）ネットワーク５に接続された機器の全てに対して印刷ジョブの取得要求情報をブロードキャストする方法と、（２）ネットワーク５に接続された機器から印刷ジョブ保持器機を検出し、当該検出した印刷ジョブ保持機器のみに対して照合情報を含んでなる印刷ジョブの取得要求情報を送信する方法との２種類の方法があり、システム利用者が任意の方法を選択できるようになっている。
【０１７７】
印刷ジョブ情報表示処理部４ｆは、データ制御部からの表示指示及び印刷ジョブ情報に基づき、印刷ジョブ情報を印刷処理を実行する可能性の高い順に並び替える処理を行って印刷ジョブ情報を並び替え、当該並び替えられた印刷ジョブ情報を表示部４ｇに表示させる機能を有している。
表示部４ｇは、液晶ディスプレイ等の表示装置であり、印刷ジョブ情報表示処理部４ｆからの画像信号に応じて所定の画像を表示する機能を有している。
【０１７８】
操作部４ｈは、システム利用者が、表示部４ｇに表示された印刷ジョブ情報から任意の印刷ジョブ情報を選択したり、当該選択した印刷ジョブ情報に対して、印刷指示や削除指示等を行う、操作パネル、ポインティングデバイス、キーボード、タッチパネル等の操作手段を備えており、システム利用者による操作手段を介した各種指示をデータ制御部４ｂに伝送する機能を有している。
【０１７９】
印刷処理制御部４ｉは、データ制御部４ｂからのシステム利用者の表示部４ｇに表示された印刷ジョブ情報に対する印刷指示に応じて、自印刷ジョブ管理装置のデータ記憶部４ｃに該当の印刷ジョブ情報に対応した印刷ジョブがある場合は、当該印刷ジョブ情報の印刷ジョブをデータ制御部４ｂを介してデータ記憶部４ｃから取得し、一方、該当の印刷ジョブがない場合は、データ制御部４ｂ及びデータ通信部４ａを介して印刷指示に対応する印刷ジョブを当該印刷ジョブを保持している装置から取得し、更に、当該取得した印刷ジョブを印刷装置３に伝送して、当該印刷ジョブの印刷処理を実行させる機能を有している。
【０１８０】
ネットワーク５は、ＬＡＮやＷＡＮなどの公知の情報通信ネットワークであり、上記各装置は、当該ネットワーク５を介して各装置間のデータの授受を行うようになっている。
更に、印刷指示装置２は、ＣＰＵによって、ＲＯＭの所定領域に格納されている所定のプログラムを起動させ、そのプログラムに従って、図５のフローチャートに示す印刷ジョブ送信処理を実行するようになっている。
【０１８１】
図５は、印刷指示装置２における印刷ジョブ送信処理を示すフローチャートである。
印刷ジョブ送信処理は、ＣＰＵによって実行されると、図５に示すように、まず、ステップＳ１００に移行するようになっている。
ステップＳ１００では、データ制御部２ｂにおいて、エディタ等からの印刷対象のデータ（以下、印刷データと称す）に対する印刷指示情報を受信したか否かを判定することで印刷指示があったか否かを判定し、印刷指示があったと判定された場合(Yes)は、印刷ジョブの生成指示を印刷ジョブ生成部２ｄに伝送してステップＳ１０２に移行し、そうでない場合(No)は印刷指示があるまで判定処理を繰り返す。
【０１８２】
ここで、印刷指示情報には、印刷指示をしたシステム利用者を識別可能な照合情報、印刷ジョブの送信先である印刷ジョブの保持機能を有する装置の情報（ＩＰアドレス、ＭＡＣアドレス等）などが含まれている。
ステップＳ１０２に移行した場合は、印刷ジョブ生成部２ｄにおいて、データ制御部２ｂからの印刷ジョブの生成指示に応じて、データ制御部２ｂを介してデータ記憶部２ｃから印刷指示情報に対応した印刷データを読み出してステップＳ１０４に移行する。
【０１８３】
ステップＳ１０４では、印刷ジョブ生成部２ｄにおいて、ステップＳ１００で受信した印刷指示情報と、ステップＳ１０２で読み出した印刷データに基づき、印刷ジョブを生成してステップＳ１０６に移行する。ここで、印刷ジョブは、印刷指示情報に含まれる照合情報及び印刷ジョブ送信先の装置情報を含むヘッダ情報を、印刷データに付加したデータ構造となっている。
【０１８４】
ステップＳ１０６では、ステップＳ１０４で生成した印刷ジョブを印刷ジョブ送信先の装置に送信してステップＳ１００に移行する。
更に、印刷ジョブ管理装置４は、ＣＰＵによって、ＲＯＭの所定領域に格納されている所定のプログラムを起動させ、そのプログラムに従って、図６のフローチャートに示す印刷ジョブの保存処理を実行するようになっている。
【０１８５】
図６は、印刷ジョブ管理装置４における印刷ジョブの保存処理を示すフローチャートである。
印刷ジョブの保存処理は、ＣＰＵによって実行されると、図６に示すように、まず、ステップＳ２００に移行するようになっている。
ステップＳ２００では、データ制御部４ｂにおいて、データ通信部４ａを介して印刷指示装置２からの印刷ジョブを受信したか否かを判定し、受信したと判定された場合(Yes)は、ステップＳ２０２に移行し、そうでない場合(No)は受信するまで判定処理を繰り返す。
【０１８６】
ステップＳ２０２に移行した場合は、データ制御部４ｂにおいて、ステップＳ２００で受信した印刷ジョブに印刷回数情報（初期値は印刷回数０回となる）を対応付けてデータ記憶部４ｃに記憶してステップＳ２００に移行する。
また、印刷ジョブ管理装置４は、ＣＰＵによって、ＲＯＭの所定領域に格納されている所定のプログラムを起動させ、そのプログラムに従って、図７のフローチャートに示す第１の印刷ジョブ情報表示処理を実行するようになっている。
【０１８７】
図７は、印刷ジョブ管理装置４における、第１の印刷ジョブ情報表示処理を示すフローチャートである。
第１の印刷ジョブ情報表示処理は、上記（１）のアクセス方法を用いた印刷ジョブ情報の表示処理であって、ＣＰＵによって実行されると、図７に示すように、まず、ステップＳ３００に移行するようになっている。
【０１８８】
ステップＳ３００では、データ制御部４ｂにおいて、照合情報取得部４ｄを介して照合情報を取得したか否かを判定し、取得したと判定された場合(Yes)は、取得した照合情報を印刷ジョブ保持機器検索部４ｅに伝送してステップＳ３０２に移行し、そうでない場合(No)は、取得するまで判定処理を繰り返す。
ステップＳ３０２に移行した場合は、データ制御部４ｂにおいて、データ記憶部４ｃからステップＳ３００で取得した照合情報に対応した印刷ジョブを検索してステップＳ３０４に移行する。
【０１８９】
ステップＳ３０４では、データ制御部４ｂにおいて、照合情報に対応した印刷ジョブが索出されたか否かを判定し、索出されたと判定された場合(Yes)は、ステップＳ３０６に移行し、そうでない場合(No)は、ステップＳ３３０に移行する。
ステップＳ３０６に移行した場合は、ステップＳ３０４で索出された印刷ジョブの印刷ジョブ情報を取得し、当該取得した印刷ジョブ情報を印刷ジョブ情報表示処理部４ｆに伝送してステップＳ３０８に移行する。ここで、印刷ジョブ情報は、印刷データのタイトル情報（ファイル名の情報）、印刷回数情報及び印刷ジョブ保持器機に対応した印刷装置の位置情報等が含まれている。
【０１９０】
ステップＳ３０８では、印刷ジョブ情報表示処理部４ｆにおいて、データ制御部４ｂから取得した印刷ジョブ情報に対し、その表示順位を決定してステップＳ３１０に移行する。
ステップＳ３１０では、印刷ジョブ情報表示処理部４ｆにおいて、ステップＳ３０８で決定した表示順位に基づき、データ制御部から取得した印刷ジョブ情報を表示部４ｇに表示してステップＳ３１２に移行する。
【０１９１】
ステップＳ３１２では、データ制御部４ｂにおいて、操作部４ｈからの操作情報に基づき、システム利用者からのネットワーク検索指示があったか否かを判定し、検索指示があったと判定された場合(Yes)は、ステップＳ３１４に移行し、そうでない場合(No)は、ステップＳ３２８に移行する。
ステップＳ３１４に移行した場合は、印刷ジョブ保持機器検索部４ｅにおいて、ステップＳ３００で取得した照合情報を含む印刷ジョブ情報の取得要求を、ネットワーク５に接続された全ての機器に対してブロードキャストしてステップＳ３１６に移行する。
【０１９２】
ステップＳ３１６では、データ制御部４ｂにおいて、データ通信部４ａを介して印刷ジョブ情報を受信したか否かを判定し、受信したと判定された場合(Yes)は、当該受信した印刷ジョブ情報を印刷ジョブ情報表示処理部４ｆに伝送してステップＳ３１８に移行し、そうでない場合(No)はステップＳ３２２に移行する。
ステップＳ３１８に移行した場合は、印刷ジョブ情報表示処理部４ｆにおいて、データ制御部４ｂから取得した全ての印刷ジョブ情報に対し、その表示順位を決定してステップＳ３２０に移行する。
【０１９３】
ステップＳ３２０では、印刷ジョブ情報表示処理部４ｆにおいて、ステップＳ３１８で決定した表示順位で、データ制御部から取得した印刷ジョブ情報を表示部４ｇに表示してステップＳ３００に移行する。
一方、ステップＳ３１６において、印刷ジョブ情報が受信されずにステップＳ３２２に移行した場合は、印刷ジョブ情報表示処理部４ｆにおいて、表示している印刷ジョブ情報があるか否かを判定し、あると判定された場合(Yes)は、ステップＳ３２４に移行し、そうでない場合(No)は、ステップＳ３２６に移行する。
【０１９４】
ステップＳ３２４に移行した場合は、印刷ジョブ情報表示処理部４ｆにおいて、現在表示されている印刷ジョブ情報の表示を継続してステップＳ３００に移行する。
一方、ステップＳ３２６に移行した場合は、印刷ジョブ情報表示処理部４ｆにおいて、ネットワークに接続された機器にも印刷ジョブが存在しないことを示す情報を表示部４ｇに表示してステップＳ３００に移行する。喫煙
また、ステップＳ３１２において、ネットワークの検索指示がなくステップＳ３２８に移行した場合は、データ制御部４ｂにおいて、照合情報取得部４ｄを介して照合情報を取得したか否かを判定し、取得したと判定された場合(Yes)は、取得した照合情報を印刷ジョブ保持機器検索部４ｅに伝送してステップＳ３０２に移行し、そうでない場合(No)は、ステップＳ３１２に移行する。
【０１９５】
また、ステップＳ３０４において、印刷ジョブが索出されずにステップＳ３３０に移行した場合は、印刷ジョブ情報表示処理部４ｆにおいて、自装置において印刷ジョブを保持していないことを示す情報を表示部４ｇに表示してステップＳ３１２に移行する。
また、印刷ジョブ管理装置４は、ＣＰＵによって、ＲＯＭの所定領域に格納されている所定のプログラムを起動させ、そのプログラムに従って、図８のフローチャートに示す第２の印刷ジョブ情報表示処理を実行するようになっている。
【０１９６】
図８は、印刷ジョブ管理装置４における、第２の印刷ジョブ情報表示処理を示すフローチャートである。
第２の印刷ジョブ情報表示処理は、上記（２）のアクセス方法を用いた印刷ジョブ情報の表示処理であって、ＣＰＵによって実行されると、図８に示すように、まず、ステップＳ４００に移行するようになっている。
【０１９７】
ここで、ステップＳ４００〜ステップＳ４１２の処理、並びにステップＳ４２０〜ステップＳ４３４の処理は、それぞれ、上記図７のフローチャートにおける、ステップＳ３００〜ステップＳ３１２の処理、並びにステップＳ３１６〜ステップＳ３３０と同様となるので説明を省略する。従って、以下、ステップＳ４１２〜ステップＳ４１８の処理を説明する。
【０１９８】
ステップＳ４１４では、印刷ジョブ保持機器検索部４ｅにおいて、印刷ジョブ保持器機の検索要求情報を、ネットワーク５に接続された全ての機器に対してブロードキャストしてステップＳ４１６に移行する。
ステップＳ４１６では、データ制御部４ｂにおいて、データ通信部４ａを介して印刷ジョブ保持機器からの応答情報を受信したか否かを判定し、受信したと判定された場合(Yes)は、ステップＳ４１８に移行し、そうでない場合(No)はステップＳ４２６に移行する。
【０１９９】
ステップＳ４１８に移行した場合は、ステップＳ４００で取得した照合情報を含む印刷ジョブ情報の取得要求を、ステップＳ４１６で受信した応答情報に対応する印刷ジョブ保持機器に対して送信しステップＳ４２０に移行する。
つまり、ネットワーク５に接続された全機器から印刷ジョブ保持機器を検索し、次いで、当該検索により索出された印刷ジョブ保持器機にのみ照合情報を含む印刷ジョブ情報の取得要求情報を送信する。
【０２００】
更に、図９に基づき、ステップＳ３１０，Ｓ３１４，Ｓ３２０，Ｓ４１４，Ｓ４１８，Ｓ４２４の表示順位決定処理を詳細に説明する。
図９は、印刷ジョブ管理装置４の印刷ジョブ情報表示処理部４ｆにおける、表示順位決定処理を示すフローチャートである。
この表示順位決定処理は、照合情報に対応する印刷ジョブ情報の表示順位を決定する処理であって、ステップＳ３１０，Ｓ３１４，Ｓ３２０，Ｓ４１４，Ｓ４１８，Ｓ４２４のいずれかにおいて実行されると、図９に示すように、まず、ステップＳ５００に移行するようになっている。
【０２０１】
ステップＳ５００では、印刷ジョブ情報が複数あるか否かを判定し、複数あると判定された場合(Yes)は、ステップＳ５０２に移行し、そうでない場合(No)はステップＳ５１０に移行する。
ステップＳ５０２に移行した場合は、印刷ジョブ情報に含まれる印刷回数情報に基づき、印刷回数の多い方から順に印刷ジョブ情報の表示順位を並び替えてステップＳ５０４に移行する。
【０２０２】
ステップＳ５０４では、印刷回数情報に基づき、印刷回数が「０」回の印刷ジョブ情報があるか否かを判定し、あると判定された場合(Yes)は、ステップＳ５０６に移行し、そうでない場合(No)は、ステップＳ５０８に移行する。
ステップＳ５０６に移行した場合は、印刷回数が「０」回の印刷ジョブが先頭になるように優先した順番に並び替えてステップＳ５０８に移行する。
【０２０３】
ステップＳ５０８では、印刷回数情報に基づき、印刷回数が同じ印刷ジョブ情報が複数あるか否かを判定し、複数あると判定された場合(Yes)は、ステップＳ５１０に移行し、そうでない場合(No)は、ステップＳ５１２に移行する。
ステップＳ５１０に移行した場合は、印刷ジョブ情報に含まれる印刷装置の位置情報に基づき、自印刷管理装置４に対応した印刷装置３と物理的距離の近い他の印刷装置３に対応した印刷ジョブ保持機器の有する印刷ジョブ情報が印刷回数が同じなかで先頭となるように順番を並び替えてステップＳ５１２に移行する。
【０２０４】
ステップＳ５１２では、印刷ジョブ情報の表示順位を現在の順位に確定し、一連の処理を終了し元の処理に復帰する。
更に、印刷ジョブ管理装置４は、ＣＰＵによって、ＲＯＭの所定領域に格納されている所定のプログラムを起動させ、そのプログラムに従って、図１０のフローチャートに示す第１の印刷ジョブ検索応答処理を実行するようになっている。
【０２０５】
図１０は、印刷ジョブ管理装置４における第１の印刷ジョブ検索応答処理を示すフローチャートである。
第１の印刷ジョブ検索応答処理は、印刷ジョブ保持機器検索部４ｅにおける上記（１）のアクセス方法に対応した処理であって、ＣＰＵによって実行されると、図１０に示すように、まず、ステップＳ６００に移行するようになっている。
【０２０６】
ステップＳ６００では、データ制御部４ｂにおいて、データ通信部４ａを介して印刷ジョブ取得要求情報を受信したか否かを判定し、受信したと判定された場合(Yes)は、ステップＳ６０２に移行し、そうでない場合(No)は、印刷ジョブ取得要求情報を受信するまで判定処理を繰り返す。
ステップＳ６０２に移行した場合は、データ制御部４ｂにおいて、ステップＳ６００で受信した印刷ジョブ情報要求情報から照合情報を抽出してステップＳ６０４に移行する。
【０２０７】
ステップＳ６０４では、データ制御部４ｂにおいて、データ記憶部４ｃに記憶された印刷ジョブの中から、ステップＳ６０２で抽出した照合情報に対応する印刷ジョブを検索してステップＳ６０６に移行する。
ステップＳ６０６では、ステップＳ６０４の検索処理によって、照合情報に対応する印刷ジョブが索出されたか否かを判定し、索出されたと判定された場合(Yes)は、索出した印刷ジョブの印刷ジョブ情報を、印刷ジョブ情報の取得要求元の機器に送信してステップＳ６００に移行する。
【０２０８】
一方、ステップＳ６０４の検索処理によって、照合情報に対応する印刷ジョブが索出されなかずステップＳ６１０に移行した場合は、該当する印刷ジョブを保持していないことを示す情報を、印刷ジョブ情報の要求元の機器に送信してステップＳ６００に移行する。
また、印刷ジョブ管理装置４は、ＣＰＵによって、ＲＯＭの所定領域に格納されている所定のプログラムを起動させ、そのプログラムに従って、図１１のフローチャートに示す第２の印刷ジョブ検索応答処理を実行するようになっている。
【０２０９】
図１１は、印刷ジョブ管理装置４における第２の印刷ジョブ検索応答処理を示すフローチャートである。
第２の印刷ジョブ検索応答処理は、印刷ジョブ保持機器検索部４ｅにおける上記（２）のアクセス方法に対応した処理であって、ＣＰＵによって実行されると、図１１に示すように、まず、ステップＳ７００に移行するようになっている。
【０２１０】
ステップＳ７００では、データ制御部４ｂにおいて、データ通信部４ａを介して印刷ジョブ保持機器検索要求情報を受信したか否かを判定し、受信したと判定された場合(Yes)は、ステップＳ７０２に移行し、そうでない場合(No)は、印刷ジョブ保持機器検索要求情報を受信するまで判定処理を繰り返す。
ステップＳ７０２に移行した場合は、データ制御部４ｂにおいて、自己が印刷ジョブ保持機器であることを示す情報を、データ通信部４ａを介して、印刷ジョブ保持機器検索要求元の機器に送信してステップＳ７０４に移行する。
【０２１１】
ステップＳ７０４では、データ制御部４ｂにおいて、データ通信部４ａを介して印刷ジョブ取得要求を受信したか否かを判定し、受信したと判定された場合(Yes)は、ステップＳ７０６に移行し、そうでない場合(No)は、ステップＳ７１６に移行する。
ステップＳ７１６に移行した場合は、データ制御部４ｂにおいて、所定時間が経過したか否かを判定し、所定時間が経過したと判定された場合(Yes)は、ステップＳ７００に移行し、そうでない場合(No)は、ステップＳ７０４に移行する。
【０２１２】
ここで、ステップＳ７０６〜ステップＳ７１４の処理は、上記図１０のフローチャートにおけるステップＳ６０２〜ステップＳ６１０の処理と同様となるので説明を省略する。
また、印刷ジョブ管理装置４は、ＣＰＵによって、ＲＯＭの所定領域に格納されている所定のプログラムを起動させ、そのプログラムに従って、図１２のフローチャートに示す指定印刷ジョブの印刷／削除処理を実行するようになっている。
【０２１３】
図１２は、印刷ジョブ管理装置４における指定印刷ジョブの印刷／削除処理を示すフローチャートである。
指定印刷ジョブの印刷／削除処理は、ＣＰＵによって実行されると、図１２に示すように、まず、ステップＳ８００に移行するようになっている。
ステップＳ８００では、データ制御部４ｂにおいて、操作部４ｈからの操作情報に基づき、表示された印刷ジョブ情報の中からシステム利用者によって印刷ジョブ情報が選択されたか否かを判定し、選択されたと判定された場合(Yes)は、ステップＳ８０２に移行し、そうでない場合(No)は、印刷ジョブ情報が選択されるまで判定処理を繰り替えす。
【０２１４】
ステップＳ８０２に移行した場合は、データ制御部４ｂにおいて、操作部４ｈからの操作情報に基づき、選択された印刷ジョブ情報の印刷ジョブに対して印刷指示があったか否かを判定し、印刷指示があったと判定された場合(Yes)は、ステップＳ８０４に移行し、そうでない場合(No)は、ステップＳ８１８に移行する。
ステップＳ８０４に移行した場合は、データ制御部４ｂにおいて、データ記憶部４ｃを検索することにより、ステップＳ８００で選択された印刷ジョブ情報の印刷ジョブのうち、自装置において保持しているものはあるか否かを判定し、あると判定された場合(Yes)は、ステップＳ８０６に移行し、そうでない場合(No)はステップＳ８１２に移行する。
【０２１５】
ステップＳ８０６に移行した場合は、データ制御部４ｂにおいて、データ記憶部４ｃから、該当する印刷ジョブを読み出し当該印刷ジョブ及び当該印刷ジョブの印刷指示を印刷処理制御部４ｉに伝送してステップＳ８０８に移行する。
ステップＳ８０８では、印刷処理制御部４ｉにおいて、データ制御部４ｂからの印刷ジョブ及び印刷指示に基づき、印刷ジョブを含む印刷処理実行要求を印刷装置３に伝送してステップＳ８１０に移行する。
【０２１６】
ステップＳ８１０では、データ制御部４ｂにおいて、ステップＳ８００で選択された印刷ジョブ情報の印刷ジョブのうち自装置で保持していないものはあるか否かを判定し、あると判定された場合(Yes)は、ステップＳ８１２に移行し、そうでない場合(No)は、ステップＳ８００に移行する。
ステップＳ８１２に移行した場合は、データ制御部４ｂにおいて、自装置で保持していない印刷ジョブに該当する印刷ジョブを保持する印刷ジョブ保持機器に、該当印刷ジョブの取得要求情報を送信してステップＳ８１４に移行する。
【０２１７】
ステップＳ８１４では、データ制御部４ｂにおいて、データ通信部４ａを介して該当印刷ジョブを受信したか否かを判定し、受信したと判定された場合(Yes)は、当該受信した印刷ジョブ及び当該印刷ジョブの印刷指示を印刷処理制御部４ｉに伝送してステップＳ８１６に移行する。
ステップＳ８１６では、印刷処理制御部４ｉにおいて、データ制御部４ｂからの印刷ジョブ及び印刷指示に基づき、印刷ジョブを含む印刷処理実行要求を印刷装置３に伝送してステップＳ８１０に移行する。
【０２１８】
一方、ステップＳ８０２において、選択された印刷ジョブ情報の印刷ジョブに対して印刷指示がなくステップＳ８１８に移行した場合は、データ制御部４ｂにおいて、操作部４ｈからの操作情報に基づき、選択された印刷ジョブ情報の印刷ジョブに対して削除指示があったか否かを判定し、削除指示があったと判定された場合(Yes)は、ステップＳ８２０に移行し、そうでない場合(No)は、ステップＳ８００に移行する。
【０２１９】
ステップＳ８２０に移行した場合は、データ制御部４ｂにおいて、データ記憶部４ｃを検索することにより、ステップＳ８００で選択された印刷ジョブ情報の印刷ジョブのうち、自装置において保持しているものはあるか否かを判定し、あると判定された場合(Yes)は、ステップＳ８２２に移行し、そうでない場合(No)はステップＳ８２６に移行する。
ステップＳ８２２に移行した場合は、データ制御部４ｂにおいて、データ記憶部４ｃから、該当する印刷ジョブを削除してステップＳ８２４に移行する。
【０２２０】
ステップＳ８２４では、データ制御部４ｂにおいて、ステップＳ８００で選択された印刷ジョブ情報の印刷ジョブのうち自装置で保持していないものはあるか否かを判定し、あると判定された場合(Yes)は、ステップＳ８２６に移行し、そうでない場合(No)は、ステップＳ８００に移行する。
ステップＳ８２６に移行した場合は、データ制御部４ｂにおいて、自装置で保持していない印刷ジョブに該当する印刷ジョブを保持する印刷ジョブ保持機器に、該当印刷ジョブの削除要求情報を送信してステップＳ８００に移行する。
【０２２１】
また、印刷ジョブ管理装置４は、ＣＰＵによって、ＲＯＭの所定領域に格納されている所定のプログラムを起動させ、そのプログラムに従って、図１３のフローチャートに示す指定印刷ジョブの印刷／削除処理を実行するようになっている。
図１３は、印刷ジョブ管理装置４における指定印刷ジョブの送信／削除処理を示すフローチャートである。
【０２２２】
指定印刷ジョブの送信／削除処理は、ＣＰＵによって実行されると、図１３に示すように、まず、ステップＳ９００に移行するようになっている。
ステップＳ９００では、データ制御部４ｂにおいて、データ通信部４ａを介して指定印刷ジョブの取得要求情報を受信したか否かを判定し、受信したと判定された場合(Yes)は、ステップＳ９０２に移行し、そうでない場合(No)は、ステップＳ９０６に移行する。
【０２２３】
ステップＳ９０２に移行した場合は、データ制御部４ｂにおいて、ステップＳ９００で取得した指定印刷ジョブの取得要求情報に含まれる印刷ジョブ情報に対応した印刷ジョブを、データ記憶部４ｃから読み出してステップＳ９０４に移行する。
ステップＳ９０４では、データ制御部４ｂにおいて、ステップＳ９０２で読み出した印刷ジョブを、データ通信部４ａを介して取得要求元の機器に送信してステップＳ９００に移行する。
【０２２４】
一方、ステップＳ９００で指定印刷ジョブの取得要求情報を受信せずにステップＳ９０６に移行した場合は、データ制御部４ｂにおいて、データ通信部４ａを介して指定印刷ジョブの削除要求情報を受信したか否かを判定し、受信したと判定された場合(Yes)は、ステップＳ９０８に移行し、そうでない場合(No)は、ステップＳ９００に移行する。
ステップＳ９０８に移行した場合は、データ制御部４ｂにおいて、データ記憶部４ｃから、削除要求情報に含まれる印刷ジョブ情報に該当する印刷ジョブを削除してステップＳ９００に移行する。
【０２２５】
更に、印刷装置３は、ＣＰＵによって、ＲＯＭの所定領域に格納されている所定のプログラムを起動させ、そのプログラムに従って、図１４のフローチャートに示す印刷処理を実行するようになっている。
図１４は、印刷装置３における印刷処理を示すフローチャートである。
印刷処理は、ＣＰＵによって実行されると、図１４に示すように、まず、ステップＳ１０００に移行するようになっている。
【０２２６】
ステップＳ１０００では、データ制御部４ｂにおいて、データ通信部３ａを介して印刷ジョブを含む印刷処理実行要求情報を受信したか否かを判定し、受信したと判定された場合(Yes)は、印刷ジョブを印刷処理部３ｃに伝送してステップＳ１００２に移行し、そうでない場合(No)は、受信するまで判定処理を繰り返す。
ステップＳ１００２に移行した場合は、印刷処理部３ｃにおいて、データ制御部３ｂから取得した印刷ジョブに基づき、印刷データの印刷処理を実行してステップＳ１００４に移行する。
【０２２７】
ステップＳ１００４では、データ制御部３ｂにおいて、印刷処理部３ｃからの印刷処理結果情報に基づき、印刷処理が成功したか否かを判定し、成功したと判定された場合(Yes)はステップＳ１００６に移行し、そうでない場合(No)は、ステップＳ１００８に移行する。
ステップＳ１００６に移行した場合は、データ制御部３ｂにおいて、印刷成功を示す情報を、データ通信部３ａを介して自装置に対応する印刷ジョブ管理装置４に送信してステップＳ１０００に移行する。
【０２２８】
一方、ステップＳ１００８に移行した場合は、データ制御部３ｂにおいて、印刷失敗を示す情報を、データ通信部３ａを介して自装置に対応する印刷ジョブ管理装置４に送信してステップＳ１０００に移行する。
次に、図１５〜図２１に基づき、本実施の形態の動作を説明する。
【０２２９】
ここで、図１５（ａ）〜（ｃ）は、第１〜第３の印刷ジョブ管理装置４Ａ〜４Ｃがそれぞれ保持する印刷ジョブの印刷ジョブ情報の一例を示す図である。また、図１６（ａ）〜（ｃ）は、第１〜第３の印刷ジョブ管理装置４Ａ〜４Ｃがそれぞれ保持する特定のシステム利用者の印刷ジョブ情報の一例を示す図である。また、図１７は、印刷ジョブ管理装置４Ｂの保持する特定のシステム利用者の印刷ジョブ情報の表示例を示す図である。また、図１８（ａ）は、印刷処理回数の多いものを優先して並び替えた表示順位の一例を示す図であり、（ｂ）は、（ａ）に加え、更に、印刷処理回数が０回のものを優先して並び替えた表示順位の一例を示す図である。また、図１９（ａ）は、第１〜第３の印刷ジョブ管理装置４Ａ〜４Ｃの実空間上における位置関係の一例を示す図であり、（ｂ）は、（ａ）の位置関係に基づき並び替えた表示順位の一例を示す図である。また、図２０は、第１〜第３の印刷ジョブ管理装置４Ａ〜４Ｃの保持する特定のシステム利用者の印刷ジョブ情報の表示例を示す図である。また、図２１は、印刷ジョブ情報の選択状態の一例を示す図である。
【０２３０】
まず、印刷指示装置２において、文書エディタ等を介したシステム利用者からの印刷指示があると（ステップＳ１００）、印刷ジョブ生成部２ｄによって、データ記憶部２ｃから印刷指示情報に対応した印刷データを読み出し（ステップＳ１０２）、当該印刷データに、印刷指示情報に含まれる照合情報（ここでは、システム利用者固有の識別番号（例えば、０ＡＢ１２３など）とする）、印刷ジョブ送信先のＩＰアドレス（ここでは、第１〜第３の印刷ジョブ管理装置４Ａ〜４ＣのＩＰアドレスとする）等のヘッダ情報を付加して印刷ジョブを生成し（ステップＳ１０４）、当該生成した印刷ジョブを、データ制御部２ｂ及びデータ通信部２ａを介して印刷ジョブの送信先である印刷ジョブ管理装置４に送信する（ステップＳ１０６）。
【０２３１】
一方、第１〜第３の印刷ジョブ管理装置４Ａ〜４Ｃは、それぞれ、データ通信部４ａを介して印刷指示装置２から自装置宛に送信された印刷ジョブを受信すると（ステップＳ２００）、データ制御部４ｂにおいて、当該受信した印刷ジョブをデータ記憶部４ｃに記憶する。本実施の形態において、印刷ジョブは、システム利用者の識別番号、印刷ジョブ名（印刷データのファイル名）、印刷データ本体、印刷処理回数及び最終印刷処理日時等の情報を対応付けたデータテーブルの形式で記憶される。
【０２３２】
ここで、本実施の形態においては、第１〜第３の印刷ジョブ管理装置４Ａ〜４Ｃの保持する印刷ジョブに対して、少なくともその一部に対しては１回〜複数回の印刷処理が行われた状態であるとする。
このような状態において、システム利用者は、例えば、印刷結果を出力させたい第２の印刷装置３Ｂに対応する第２の印刷ジョブ管理装置４Ｂの備える照合情報取得部４ｄ（ここでは、カードリーダとする）に、自己の識別番号の書き込まれたＩＣカードを読み取らせる。これにより、照合情報取得部４ｄにおいて、例えば、システム利用者Ｂの識別番号である「０Ａ１２３」が照合情報として取得される（ステップＳ３００又はステップＳ４００）。
【０２３３】
このようにして、システム利用者Ｂの照合情報「０Ａ１２３」が取得されると、第２の印刷ジョブ管理装置４Ｂは、データ制御部４ｂにおいて、照合情報「０Ａ１２３」に対応する印刷ジョブを、データ記憶部４ｃから検索する処理を実行する（ステップＳ３０２又はステップＳ４０２）。ここで、本実施の形態において、第２の印刷ジョブ管理装置４Ｂは、図１５（ｂ）に示すような、４つの印刷ジョブ情報に対応した印刷ジョブを保持していることとする。つまり、本実施の形態において、印刷ジョブ情報は、印刷ジョブ名（印刷データのファイル名）、印刷処理回数及び最終印刷日時を示す情報となる。従って、これら４つの印刷ジョブ情報の印刷ジョブから「０Ａ１２３」に対応する「ＦｉｌｅＦ．ｄｏｃ」及び「ＦｉｌｅＧ．ｄｏｃ」の２つの印刷ジョブが索出されることとなる（ステップＳ３０４又はステップＳ４０４）。
【０２３４】
このようにして、照合情報に対応する印刷ジョブが索出されると、データ制御部４ｂは、当該索出された２つの印刷ジョブに対する印刷ジョブ情報を取得し、当該取得した印刷ジョブ情報を印刷ジョブ情報表示処理部４ｆに伝送する（ステップＳ３０６又はステップＳ４０６）。これにより、印刷ジョブ情報表示処理部４ｆは、データ制御部４ｂから取得した２つの印刷ジョブ情報に基づき、これら２つの印刷ジョブ情報の表示順位を決定する処理を実行する（ステップＳ３０８又はステップＳ４０８）。
【０２３５】
この表示順位の決定処理は、まず、データ制御部４ｂから取得した印刷ジョブ情報が複数あるか否かを判定し（ステップＳ５００）、複数ある場合はそれぞれの印刷処理回数に基づき、表示順位を並び替える。この場合は、印刷ジョブ情報は、「ＦｉｌｅＦ．ｄｏｃ」及び「ＦｉｌｅＧ．ｄｏｃ」の２つあるので、これら２つの印刷処理回数を比較する。これら２つの印刷処理回数は、図１６（ｂ）に示すように、「ＦｉｌｅＦ．ｄｏｃ」が１２回、「ＦｉｌｅＧ．ｄｏｃ」が０回となっており、まず印刷回数の多い「ＦｉｌｅＦ．ｄｏｃ」が先頭になるように並び替えを行う（ステップＳ５０２）。次いで、印刷ジョブ情報のなかに印刷処理回数が０回のものがあるか否かを判定し（ステップＳ５０４）、ここでは、「ＦｉｌｅＧ．ｄｏｃ」が０回なので、「ＦｉｌｅＧ．ｄｏｃ」が先頭となるように並び替えを行う（ステップＳ５０６）。更に、印刷処理回数が同じ回数の印刷ジョブ情報が複数あるか否かを判定し（ステップＳ５０８）、ここでは、同じ回数のものは１つもないので、表示順位を確定する。このようにして、表示順位が決定されると、印刷ジョブ情報表示処理部４ｆは、上記決定された表示順位で印刷ジョブ情報を表示部４ｇに表示する。この表示結果は、図１７に示すように、「ＦｉｌｅＧ．ｄｏｃ」が先頭で、その下に「ＦｉｌｅＦ．ｄｏｃ」がくるように表示され、更に、本実施の形態においては、一画面に最大３つの印刷ジョブ情報が表示される（ここでは、印刷ジョブ名のみ表示）。また、画面に表示された各ボタンは、操作部４ｈの操作によって押下することが可能となっている。つまり、矢印ボタン「←」又は「→」を押下することで表示ページを切り替えることができ、「Ｎｅｔｗｏｒｋ検索」ボタンを押下することで印刷ジョブ情報のネットワーク検索処理が実行される。更に、操作部４ｈの操作によって画面に表示された印刷ジョブ情報を選択した後に、「印刷」ボタンを押下すると、選択した印刷ジョブ情報の印刷ジョブの印刷処理が実行され、一方、「削除」ボタンを押下すると、選択した印刷ジョブ情報の印刷ジョブの削除処理が実行される。
【０２３６】
このようにして、第２の印刷ジョブ管理装置４Ｂが保持する照合情報に対応した印刷ジョブ情報を表示することができ、また、この表示処理において、印刷処理回数に基づき、未印刷の印刷ジョブに対応した印刷ジョブ情報を優先して表示するようにしたので、システム利用者が印刷を指示をする可能性が比較的高い印刷ジョブの印刷ジョブ情報が優先して表示されるので、表示順位の変更を行わないよりも、システム利用者は素早く目的の印刷ジョブ情報を探し出すことが可能となる。
【０２３７】
更に、システム利用者Ｂの操作部４ｈの操作によって「Ｎｅｔｗｏｒｋ検索」ボタンが押下された場合の動作を、印刷ジョブ保持器機検索部４ｅにおける上記２種類のアクセス方法についてそれぞれ説明する。
まず、上記（１）のアクセス方法を用いた場合の動作を説明する。
第２の印刷ジョブ管理装置４Ｂは、「Ｎｅｔｗｏｒｋ検索」ボタンが押下されることによって、データ制御部４ｂにおいて、ネットワーク検索指示があったと判定すると（ステップＳ３１２の「Ｙｅｓ」の分岐）、印刷ジョブ保持器機検索部４ｅにおいて、ネットワーク５に接続された、印刷指示装置２、第１の印刷ジョブ管理装置４Ａ及び第３の印刷ジョブ管理装置４Ｃに対して、照合情報「０Ａ１２３」を含む印刷ジョブ情報の取得要求情報を、データ制御部４ｂ及びデータ通信部４ａを介して送信する（ステップＳ３１４）。
【０２３８】
一方、印刷指示装置２は、第２の印刷ジョブ管理装置４Ｂからの取得要求情報を受信すると、処理対象の情報では無いと判断して、当該受信した取得要求情報を破棄する。
また、第１の印刷ジョブ管理装置４Ａは、第２の印刷ジョブ管理装置４Ｂからの取得要求情報を受信すると（ステップＳ６００）、データ制御部４ｂにおいて、当該受信した取得要求情報から照合情報「０Ａ１２３」を抽出し（ステップＳ６０２）、当該抽出した照合情報に対応した印刷ジョブを、データ記憶部４ｃから検索する処理を実行する（ステップＳ６０４）。ここで、本実施の形態において、第１の印刷ジョブ管理装置４Ａは、図１５（ａ）に示すような、４つの印刷ジョブ情報に対応した印刷ジョブを保持していることとする。従って、これら４つの印刷ジョブ情報の印刷ジョブから「０Ａ１２３」に対応する「ＦｉｌｅＡ．ｄｏｃ」、「ＦｉｌｅＣ．ｄｏｃ」及び「ＦｉｌｅＤ．ｄｏｃ」の３つの印刷ジョブが索出されることとなる（ステップＳ６０６の「Ｙｅｓ」の分岐）。このようにして、照合情報「０Ａ１２３」に対応する印刷ジョブが索出されると、データ制御部４ｂは、当該索出された３つの印刷ジョブに対する印刷ジョブ情報を取得し、当該取得した印刷ジョブ情報に自装置の情報を付加した情報を、データ通信部４ａを介して取得要求情報の送信元である第２の印刷ジョブ管理装置４Ｂに送信する。
【０２３９】
本実施の形態において、自装置の情報とは、印刷ジョブ管理装置４のＩＰアドレス、印刷ジョブ管理装置４の位置情報となる。
また、第３の印刷ジョブ管理装置４Ｃは、第２の印刷ジョブ管理装置４Ｂからの取得要求情報を受信すると（ステップＳ６００）、第１の印刷ジョブ管理装置４Ａと同様に、データ制御部４ｂにおいて照合情報に対応する印刷ジョブの検索処理を実行する。ここで、本実施の形態において、第３の印刷ジョブ管理装置４Ｃは、図１５（ｃ）に示すような、７つの印刷ジョブ情報に対応した印刷ジョブを保持していることとする。従って、これら７つの印刷ジョブ情報の印刷ジョブから照合情報「０Ａ１２３」に対応する「ＦｉｌｅＨ．ｄｏｃ」、「ＦｉｌｅＫ．ｄｏｃ」、「ＦｉｌｅＭ．ｄｏｃ」、「ＦｉｌｅＱ．ｄｏｃ」及び「ＦｉｌｅＲ．ｄｏｃ」の５つの印刷ジョブが索出されることとなる（ステップＳ６０６の「Ｙｅｓ」の分岐）。このようにして、照合情報「０Ａ１２３」に対応する印刷ジョブが索出されると、上記第１の印刷ジョブ管理装置４Ａと同様に、索出された５つの印刷ジョブ情報に自装置の情報を付加した情報を、データ通信部４ａを介して取得要求情報の送信元である第２の印刷ジョブ管理装置４Ｂに送信する。
【０２４０】
一方、第２の印刷ジョブ管理装置４Ｂは、第１の印刷ジョブ管理装置４Ａ及び第３の印刷ジョブ管理装置４Ｃからの各装置情報を含む印刷ジョブ情報を受信すると（ステップＳ３１６）、印刷ジョブ情報表示処理部４ｆにおいて、図１６（ａ）〜（ｃ）に示すように、第１の印刷ジョブ管理装置４Ａ及び第３の印刷ジョブ管理装置４Ｃからの印刷ジョブ情報に加え、自装置において索出された印刷ジョブ情報を含む全ての印刷ジョブ情報に基づき、これら全ての印刷ジョブ情報の表示順位を決定する処理を実行する（ステップＳ３１８）。
【０２４１】
この場合の表示順位の決定処理は、上記同様に、まず、それぞれの印刷処理回数に基づき、表示順位を並び替える。それぞれの印刷処理回数を比較して、刷処理回数の多い方から順に優先して並び替えを行うと、図１６（ａ）に示すように、「ＦｉｌｅＱ．ｄｏｃ」を先頭に、印刷処理回数の多い順に印刷ジョブ情報（ここでは、印刷ジョブ名）が並び替えられる（ステップＳ５０２）。次いで、印刷ジョブ情報のなかに印刷処理回数が０回のものがあるか否かを判定し（ステップＳ５０４）、ここでは、「ＦｉｌｅＢ．ｄｏｃ」「ＦｉｌｅＧ．ｄｏｃ」、「ＦｉｌｅＨ．ｄｏｃ」及び「ＦｉｌｅＭ．ｄｏｃ」が０回なので、これら４つの印刷ジョブ情報が先頭から並ぶように並び替えを行う（ステップＳ５０６）。更に、印刷処理回数が同じ回数の印刷ジョブ情報が複数あるか否かを判定し（ステップＳ５０８）、ここでは、印刷処理回数０回のものと２回のものとがそれぞれ複数あるので、図１６（ａ）〜（ｃ）に示す、各印刷ジョブ管理装置４のＩＰアドレス及びこれらの位置情報である物理配置情報とに基づき、印刷ジョブ情報の表示処理を行う印刷ジョブ保持器機との距離が近い印刷ジョブ保持機器（本実施の形態では、印刷ジョブ管理装置４となる）ほど、その保持する印刷ジョブの印刷ジョブ情報が優先して表示されるように並び替えを行う。本実施の形態においては、図１９（ａ）に示すように、印刷装置管理装置４を配置する実空間に２次元の座標（ｘ，ｙ）＝（０，０）〜（１００，１００）を対応付け、第１〜第３の印刷ジョブ管理装置４Ａ〜４Ｃの配置位置を、それぞれ２次元の座標で表すようにした。つまり、図１９（ａ）に示すように、第１の印刷ジョブ管理装置４Ａは、ＩＰアドレス「１２３．４５６．７８９．００１」、座標（９０，５０）に対応し、第２の印刷ジョブ管理装置４Ｂは、ＩＰアドレス「１２３．４５６．７８９．００２」、座標（１０，４０）に対応し、第３の印刷ジョブ管理装置４Ｃは、ＩＰアドレス「１２３．４５６．７８９．００３」、座標（９０，５０）に対応する。
【０２４２】
そして、下式（１）に従い、第２の印刷ジョブ管理装置４Ｂと各保持機器との間の距離ｄを算出し、当該算出結果に基づき印刷ジョブ情報の並び替えを行う。
ｄ＝｛（ｘ2−ｘ1）2＋（ｙ2−ｙ1）2｝1/2      ・・・（１）
上式（１）に、上記座標情報を代入して第２の印刷ジョブ管理装置４Ｂと第１の印刷ジョブ管理装置４Ａ及び第３の印刷ジョブ管理装置４Ｃとの距離をそれぞれ算出すると、第２の印刷ジョブ管理装置４Ｂと第１の印刷ジョブ管理装置４Ａとの距離は「９４」、第２の印刷ジョブ管理装置４Ｂと第２の印刷ジョブ管理装置４Ｂとの距離は「０」（保持器機としての機能を有しているので距離は「０」となる）、第２の印刷ジョブ管理装置４Ｂと第３の印刷ジョブ管理装置４Ｃとの距離は「５０」とそれぞれ算出される。
【０２４３】
従って、第２の印刷ジョブ管理装置４Ｂと最も近いのは自装置４Ｂであり、次いで、第３の印刷ジョブ管理装置４Ｃ、そして最も遠いのが第１の印刷ジョブ管理装置４Ａとなる。
このようにして各距離が算出されると、印刷ジョブ情報表示処理部４ｆは、図１９（ｂ）に示すように、同じ印刷処理回数の中で、距離が近い方から順に優先して表示されるように、印刷ジョブ情報の並び替えを行う。例えば、印刷処理回数０回の印刷ジョブ情報に着目すると、図１８（ｂ）の並び替え結果では２番目だった「ＦｉｌｅＧ．ｄｏｃ」が、この印刷ジョブを、距離が最も近い第２の印刷ジョブ管理装置４Ｂが保持しているためにその表示順位が最も高くなるように、先頭へと並び替えられる。同様に、距離が最も遠い第１の印刷ジョブ管理装置４Ａが保持している「ＦｉｌｅＢ．ｄｏｃ」は、印刷処理回数０回の印刷ジョブ情報の中で一番低い順位へと並び替えられる。そして、物理配置位置による並び替えが終了すると、表示順位を確定する。
【０２４４】
このようにして、表示順位が決定されると、印刷ジョブ情報表示処理部４ｆは、上記決定された表示順位で印刷ジョブ情報を表示部４ｇに表示する。この表示結果は、図２０に示すように、まず、「ＦｉｌｅＧ．ｄｏｃ」が先頭で、その下に「ＦｉｌｅＨ．ｄｏｃ」、その次に「ＦｉｌｅＭ．ｄｏｃ」が並ぶ内容が表示される。そして、画面に表示された「→」ボタンを押す毎に、上記決定された表示順位で、３つずつ印刷ジョブ情報が順番に表示される。
【０２４５】
このようにして、ネットワーク５に接続された全ての印刷ジョブの保持機能を有する装置（第１〜第３の印刷ジョブ管理装置４Ａ〜４Ｃ）の保持する照合情報に対応した印刷ジョブ情報を表示することができ、また、この表示処理において、印刷処理回数と、印刷ジョブの表示処理を行う装置と印刷ジョブの保持機能を有する装置との距離とに基づき、未印刷の印刷ジョブに対応した印刷ジョブ情報を最も優先して表示するようにし、且つ同じ印刷処理回数のものについては、前記距離が最も近いものを優先して表示するようにしたので、システム利用者が印刷を指示をする可能性が比較的高い印刷ジョブの印刷ジョブ情報が優先して表示されるので、システム利用者は素早く目的の印刷ジョブ情報を探し出すことが可能となる。
【０２４６】
次に、上記（２）のアクセス方法を用いた場合の動作を説明する。
第２の印刷ジョブ管理装置４Ｂは、「Ｎｅｔｗｏｒｋ検索」ボタンが押下されることによって、データ制御部４ｂにおいて、ネットワーク検索指示があったと判定すると（ステップＳ４１２の「Ｙｅｓ」の分岐）、印刷ジョブ保持器機検索部４ｅにおいて、ネットワーク５に接続された、印刷指示装置２、第１の印刷ジョブ管理装置４Ａ及び第３の印刷ジョブ管理装置４Ｃに対して、印刷ジョブ保持器機の検索要求情報を送信する（ステップＳ４１４）。
【０２４７】
一方、印刷指示装置２は、第２の印刷ジョブ管理装置４Ｂからの検索要求情報を受信すると、自装置は印刷ジョブ保持器機では無いので、本実施の形態においては応答を返さなず、当該受信した検索要求情報を破棄する。
また、第１の印刷ジョブ管理装置４Ａは、第２の印刷ジョブ管理装置４Ｂからの検索要求情報を受信すると（ステップＳ７００）、自装置は印刷ジョブ保持器機に該当するので、データ制御部４ｂにおいて、印刷ジョブ保持器機であることを示す応答情報を、データ通信部４ａを介して第２の印刷ジョブ管理装置４Ｂに送信する（ステップＳ７０２）。本実施の形態において、印刷ジョブ保持器機であることを示す応答情報は、自装置のＩＰアドレスを含む情報とする。
【０２４８】
また、第３の印刷ジョブ管理装置４Ｃは、第２の印刷ジョブ管理装置４Ｂからの検索要求情報を受信すると（ステップＳ７００）、第１の印刷ジョブ管理装置４Ａと同様に、データ制御部４ｂにおいて、印刷ジョブ保持器機であることを示す応答情報を、データ通信部４ａを介して第２の印刷ジョブ管理装置４Ｂに送信する（ステップＳ７０２）。
一方、第２の印刷ジョブ管理装置４Ｂは、第１の印刷ジョブ管理装置４Ａ及び第３の印刷ジョブ管理装置４ＣからのＩＰアドレスを含む応答情報を受信すると（ステップＳ４１６）、応答情報に対応した、第１の印刷ジョブ管理装置４Ａ及び第３の印刷ジョブ管理装置４Ｃに対して、照合情報「０Ａ１２３」を含む印刷ジョブ情報の取得要求情報を、データ制御部４ｂ及びデータ通信部４ａを介して送信する（ステップＳ４１８）。
【０２４９】
ここで、以降の処理については、上記（１）のアクセス方法を用いた場合の動作と同様となるので説明を省略する。
更に、システム利用者Ｂの操作部４ｈの操作によって、図２１に示すように、表示部４ｇの画面に表示された印刷ジョブ情報のうち「ＦｉｌｅＨ．ｄｏｃ」、及び「ＦｉｌｅＭ．ｄｏｃ」が選択され、「印刷」ボタン又は「削除」ボタンが押下された場合の動作を説明する。
【０２５０】
まず、「印刷」ボタンが押下された場合の動作を説明する。
第２の印刷管理装置４Ｂのデータ制御部４ｂにおいて、操作部４ｈからの操作情報に基づき、「ＦｉｌｅＨ．ｄｏｃ」、及び「ＦｉｌｅＭ．ｄｏｃ」が選択されたと判定され（ステップＳ８００の「Ｙｅｓ」の分岐）、更に、「印刷」ボタンの押下による操作情報に基づき、これら選択した印刷ジョブ情報に対して「印刷指示」があったと判定されると（ステップＳ８０２の「Ｙｅｓ」の分岐）、選択された印刷ジョブ情報の印刷ジョブは、いずれも第２の印刷装置４Ｂにおいては保持していないため（ステップＳ８０４の「Ｎｏ」の分岐）、「ＦｉｌｅＨ．ｄｏｃ」、又は「ＦｉｌｅＭ．ｄｏｃ」を保持している印刷ジョブ管理装置４に対して、これら印刷ジョブの取得要求を送信する（ステップＳ８１２）。ここで、図１６（ｃ）に示すように、「ＦｉｌｅＨ．ｄｏｃ」及び「ＦｉｌｅＭ．ｄｏｃ」は、両方とも、第３の印刷ジョブ管理装置４Ｃが保持しているので、第２の印刷管理装置４Ｂのデータ制御部４ｂは、第３の印刷ジョブ管理装置４Ｃに対して、「ＦｉｌｅＨ．ｄｏｃ」及び「ＦｉｌｅＭ．ｄｏｃ」の取得要求情報をデータ通信部４ａを介して送信する。
【０２５１】
一方、第３の印刷ジョブ管理装置４Ｃは、第２の印刷ジョブ管理装置４Ｂからの「ＦｉｌｅＨ．ｄｏｃ」及び「ＦｉｌｅＭ．ｄｏｃ」の取得要求情報を受信すると（ステップＳ９００の「Ｙｅｓ」の分岐）、データ制御部４ｂにおいて、データ記憶部４ｃから該当する印刷ジョブ「ＦｉｌｅＨ．ｄｏｃ」及び「ＦｉｌｅＭ．ｄｏｃ」を読み出し（ステップＳ９０２）、当該読み出した印刷ジョブを、データ通信部４ａを介して、取得要求元である第２の印刷ジョブ管理装置４Ｂに送信する（ステップＳ９０４）。
【０２５２】
そして、第２の印刷ジョブ管理装置４Ｂは、第３の印刷ジョブ管理装置４Ｃから、印刷ジョブ「ＦｉｌｅＨ．ｄｏｃ」及び「ＦｉｌｅＭ．ｄｏｃ」を受信すると（ステップＳ８１４の「Ｙｅｓ」の分岐）、印刷処理制御部４ｉにおいて、当該受信した印刷ジョブを含む印刷処理実行要求情報を、第２の印刷ジョブ管理装置４Ｂに対応する第２の印刷装置３Ｂに送信する（ステップＳ８１６）。
【０２５３】
一方、第２の印刷装置３Ｂは、第２の印刷ジョブ管理装置４Ｂからの印刷ジョブ「ＦｉｌｅＨ．ｄｏｃ」及び「ＦｉｌｅＭ．ｄｏｃ」を含む印刷処理実行要求情報を受信すると（ステップＳ１０００）、印刷処理部３ｃにおいて、印刷ジョブ「ＦｉｌｅＨ．ｄｏｃ」及び「ＦｉｌｅＭ．ｄｏｃ」の印刷処理を実行する（ステップＳ１００２）。そして、印刷処理が無事完了すると、印刷成功を示す印刷成功情報を、データ通信部３ａを介して第２の印刷ジョブ管理装置４Ｂに送信し、一方、印刷処理が失敗すると、印刷失敗を示す印刷失敗情報を、データ通信部３ａを介して第２の印刷ジョブ管理装置４Ｂに送信する。
【０２５４】
つまり、システム利用者は、画面に表示された任意の印刷ジョブ情報に対して印刷指示を行うことができるので、各印刷ジョブ管理装置４が保持する印刷ジョブに対して、それぞれの装置に出向くことなく、印刷ジョブ情報を表示させた印刷ジョブ管理装置４において、簡易に印刷指示を行え、且つ当該印刷ジョブ管理装置４に対応した印刷装置３で印刷結果を取得することが可能である。
【０２５５】
更に、第２の印刷ジョブ管理装置４Ｂは、第２の印刷装置３Ｂから印刷成功情報を受信すると、印刷ジョブ「ＦｉｌｅＨ．ｄｏｃ」及び「ＦｉｌｅＭ．ｄｏｃ」の印刷処理回数を１回ずつ増やして、印刷ジョブ情報を更新する。更に、印刷ジョブ「ＦｉｌｅＨ．ｄｏｃ」及び「ＦｉｌｅＭ．ｄｏｃ」を保持する第３の印刷ジョブ管理装置４Ｃにも印刷成功情報を送信し、第３の印刷ジョブ管理装置４Ｃにおいても印刷処理回数の更新を行う。
【０２５６】
次に、「削除」ボタンが押下された場合の動作を説明する。
第２の印刷管理装置４Ｂのデータ制御部４ｂにおいて、操作部４ｈからの操作情報に基づき、「ＦｉｌｅＨ．ｄｏｃ」、及び「ＦｉｌｅＭ．ｄｏｃ」が選択されたと判定され（ステップＳ８００の「Ｙｅｓ」の分岐）、更に、「削除」ボタンの押下による操作情報に基づき、これら選択した印刷ジョブ情報に対して「削除指示」があったと判定されると（ステップＳ８１８の「Ｙｅｓ」の分岐）、選択された印刷ジョブ情報の印刷ジョブは、いずれも第２の印刷装置４Ｂにおいては保持していないため（ステップＳ８２０の「Ｎｏ」の分岐）、「ＦｉｌｅＨ．ｄｏｃ」、又は「ＦｉｌｅＭ．ｄｏｃ」を保持している第３の印刷ジョブ管理装置４Ｃに対して、これら印刷ジョブの削除要求情報を送信する（ステップＳ８２６）。
【０２５７】
一方、第３の印刷ジョブ管理装置４Ｃは、第２の印刷ジョブ管理装置４Ｂからの「ＦｉｌｅＨ．ｄｏｃ」及び「ＦｉｌｅＭ．ｄｏｃ」の削除要求情報を受信すると（ステップＳ９０６の「Ｙｅｓ」の分岐）、データ制御部４ｂにおいて、データ記憶部４ｃから該当する印刷ジョブ「ＦｉｌｅＨ．ｄｏｃ」及び「ＦｉｌｅＭ．ｄｏｃ」を削除する（ステップＳ９０８）。
【０２５８】
つまり、システム利用者は、画面に表示された任意の印刷ジョブ情報に対して削除指示を行うことができるので、各印刷ジョブ管理装置４が保持する印刷ジョブに対して、それぞれの装置に出向くことなく、印刷ジョブ情報を表示させた印刷ジョブ管理装置４において、印刷ジョブの削除指示を行うことができるので、簡易に各印刷ジョブ管理装置４の印刷ジョブを削除することが可能である。
【０２５９】
上記実施の形態において、照合情報取得部４ｄは、形態１、４、１１、４０及び４１のいずれか１の照合情報取得手段に対応し、データ制御部４ｂ及びデータ記憶部４ｃによる印刷ジョブの記憶処理は、形態１、２、３、４、１１、１８、１９、２８、４１及び４８のいずれか１の印刷ジョブ保持手段に対応し、データ制御部４ｂ及び印刷ジョブ保持機器検索部４ｅによる印刷ジョブ情報の取得処理は、形態１、４、１１、４０及び４１のいずれか１の印刷ジョブ情報取得手段に対応し、データ制御部４ｂ及び印刷ジョブ保持機器検索部４ｅによる印刷処理回数情報（印刷ジョブ情報に含まれる）の取得処理は、形態４６又は４７の印刷処理回数情報取得手段に対応し、データ制御部４ｂ及び印刷ジョブ保持機器検索部４ｅによる位置情報（印刷ジョブ情報に含まれる）の取得処理は、形態４８の位置関係情報取得手段に対応し、印刷ジョブ情報表示処理部４ｆ及び表示部４ｇによる印刷ジョブ情報の表示処理は、形態１、４、１１、１３、１４、１５、１６、１７、１８、４０、４１、４３、４４、４５、４６、４７及び４８のいずれか１の印刷ジョブ情報表示手段に対応し、操作部４ｈ、データ制御部４ｂ及び印刷処理制御部４ｉによる画面表示された印刷ジョブ情報を選択して印刷装置に印刷処理を実行させる処理は、形態１３又は４３の印刷ジョブ情報選択手段及び印刷処理実行手段に対応し、操作部４ｈ、データ制御部４ｂ及び印刷処理制御部４ｉによる画面表示された印刷ジョブ情報を選択して削除する処理は、形態１４又は４４の印刷ジョブ情報選択手段及び印刷ジョブ削除手段に対応し、データ制御部４ｂにおいて、データ記憶部４ｃに記憶された印刷ジョブから照合情報に対応した印刷ジョブを検索する処理は、形態４１の印刷ジョブ検索手段に対応する。
【０２６０】
上記実施の形態において、ステップＳ２００，Ｓ２０２は、形態２、３、１９、２６、２８、３５、５０、５７、６０及び６７のいずれか１の印刷ジョブ保持ステップに対応し、ステップＳ３００，Ｓ４００は、形態２、３、１９、２８、４９、５０、５９及び６０のいずれか１の照合情報取得ステップに対応する。
【０２６１】
また上記実施の形態において、ステップＳ３０２〜Ｓ３０６及びステップＳ３１４〜Ｓ３１６、ステップＳ４０２〜Ｓ４０６及びステップＳ４１４〜４２０並びにステップＳ６０６〜ステップＳ６０８は、形態２、３、１９及び２８のいずれか１の印刷ジョブ情報取得ステップ、形態２４、２５、３３及び３４のいずれか１の印刷処理回数情報取得ステップ、並びに形態２６又は３５の位置関係情報取得ステップに対応し、ステップＳ６００〜Ｓ６０４及びステップＳ７０４〜Ｓ７０８は、形態５０又は６０の印刷ジョブ検索ステップに対応する。
【０２６２】
また、上記実施の形態において、ステップＳ３０２〜Ｓ３０６及びステップＳ３１４〜Ｓ３１６並びに位置関係情報取得ステップステップＳ４０２〜Ｓ４０６及びステップＳ４１４〜４２０は、形態２０、２９、４９、５０、５１、５９、６０及び６１のいずれか１の印刷ジョブ情報取得ステップ、形態５５、５６、６５及び６６のいずれか１の印刷処理回数情報取得ステップ、並びに形態５７又は６７の位置関係情報取得ステップに対応する。
【０２６３】
また、上記実施の形態において、ステップＳ３０８〜Ｓ３１０及びステップＳ３１８〜Ｓ３２６並びにステップＳ４０８〜Ｓ４１０及びステップＳ４２２〜ステップＳ４３０は、形態２、３、１９、２１、２２、２３、２４、２５、２６、２８、３０、３１、３２、３３、３４、３５、４９、５０、５２、５３、５４、５５、５６、５７、５９、６０、６２、６３、６４、６５、６６及び６７のいずれか１の印刷ジョブ情報表示ステップに対応する。
【０２６４】
また、上記実施の形態において、ステップＳ７１２，Ｓ７１４は、形態５０又は６０の印刷ジョブ情報送信ステップに対応する。
また、上記実施の形態において、ステップＳ８００は、形態２１、２２、３０、３１、５２、５３、６２及び６３のいずれか１の印刷ジョブ情報選択ステップに対応し、ステップＳ８０２〜Ｓ８１６及びステップＳ９００〜Ｓ９０４は、形態２１、３０、５２及び６２のいずれか１の印刷処理実行ステップに対応し、ステップＳ８１８〜Ｓ８２６及びステップＳ９０６〜Ｓ９０８は、形態２２、３１、５３及び６３のいずれか１の印刷ジョブ削除ステップに対応する。
【０２６５】
なお、上記実施の形態においては、印刷ジョブ管理装置４が、印刷ジョブの保持機能と、印刷ジョブ情報の表示機能（検索処理機能等、表示に必要な機能を全て含む）と、印刷ジョブ情報の選択及び処理指示機能（印刷ジョブ情報の選択及び選択した印刷ジョブ情報への印刷指示及び削除指示）とを備え、且つ印刷ジョブ管理装置４と印刷装置３とを一対一に対応させた構成としたが、これに限らず、１．上記印刷装置３が印刷ジョブ管理装置４と同様の機能を備え、印刷装置３と印刷ジョブ管理装置４とを一体とした構成、２．印刷装置３と別体又は同体で、上記印刷ジョブ管理装置４における印刷ジョブの保持機能を備えた装置（印刷装置３と別体の場合は印刷装置３と一対一又は一対Ｎ（Ｎは印刷装置３の数よりも少ない整数）に対応させる）と、この装置よりも少ない数又は同数の、上記印刷ジョブ管理装置４における印刷ジョブ情報の表示機能及び印刷ジョブ情報の選択及び処理指示機能を備えた装置とを含んだ構成、３．上記印刷指示装置２が、上記印刷ジョブ管理装置４における印刷ジョブの保持機能を備えた構成とし、当該印刷指示装置２と印刷装置３とを一対一又は一対Ｎ（Ｎは印刷装置３の数よりも少ない整数）に対応付けた構成、４．前記１．〜３．の構成の装置が混在したシステム構成等、別の構成としても良い。
【０２６６】
上記１．〜３．の構成において、上記親展印刷システム１では別体であったものが一体化したものは、上記実施の形態において外部装置と行っていたデータの送受信処理を内部で行うようになるだけで、基本的な動作は、上記実施の形態と同様となる。一方、上記親展印刷システム１では一体であったものが別体となったものは、内部処理で行われていたデータ送受信処理が外部装置との間で行われるようになるだけで、基本的な動作は、上記実施の形態と同様となる。
【０２６７】
ここで、上記１．の構成において、照合情報取得部４ｄは、形態１、４及び６９のいずれか１の照合情報取得手段に対応し、データ制御部４ｂ及びデータ記憶部４ｃによる印刷ジョブの記憶処理は、形態１、４、６８、６９及び７６のいずれか１の印刷ジョブ保持手段に対応し、データ制御部４ｂ及び印刷ジョブ保持機器検索部４ｅによる印刷ジョブ情報の取得処理は、形態１、４、６９及び７０のいずれか１の印刷ジョブ情報取得手段に対応し、データ制御部４ｂ及び印刷ジョブ保持機器検索部４ｅによる印刷処理回数情報（印刷ジョブ情報に含まれる）の取得処理は、形態７４又は７５の印刷処理回数情報取得手段に対応し、データ制御部４ｂ及び印刷ジョブ保持機器検索部４ｅによる位置情報（印刷ジョブ情報に含まれる）の取得処理は、形態７６の位置関係情報取得手段に対応し、印刷ジョブ情報表示処理部４ｆ及び表示部４ｇによる印刷ジョブ情報の表示処理は、形態１、４、６９、７１、７２、７３、７４、７５及び７６のいずれか１の印刷ジョブ情報表示手段に対応し、操作部４ｈ、データ制御部４ｂ及び印刷処理制御部４ｉによる画面表示された印刷ジョブ情報を選択して印刷装置に印刷処理を実行させる処理は、形態１３又は７１の印刷ジョブ情報選択手段及び印刷処理実行手段に対応し、操作部４ｈ、データ制御部４ｂ及び印刷処理制御部４ｉによる画面表示された印刷ジョブ情報を選択して削除する処理は、形態１４又は７２の印刷ジョブ情報選択手段及び印刷ジョブ削除手段に対応し、データ制御部４ｂにおいて、データ記憶部４ｃに記憶された印刷ジョブから照合情報に対応した印刷ジョブを検索する処理は、形態６８又は６９の印刷ジョブ検索手段に対応する。
【０２６８】
また、上記１．の構成において、ステップＳ２００，Ｓ２０２は、形態６７、７７、７８、８５、８７、８８及び９５のいずれか１の印刷ジョブ保持ステップに対応し、ステップＳ３００，Ｓ４００は、形態７８又は８８の照合情報取得ステップに対応する。
また、上記１．の構成において、ステップＳ３０２〜Ｓ３０６及びステップＳ３１４〜Ｓ３１６、ステップＳ４０２〜Ｓ４０６及びステップＳ４１４〜４２０並びにステップＳ６０６〜ステップＳ６０８は、形態７８、７９、８８及び８９のいずれか１の印刷ジョブ情報取得ステップ、形態８３、８４、９３及び９４のいずれか１の印刷処理回数情報取得ステップ、並びに形態８５又は９５の位置関係情報取得ステップに対応し、ステップＳ６００〜Ｓ６０４及びステップＳ７０４〜Ｓ７０８は、形態７７、７８、８７及び８８のいずれか１の印刷ジョブ検索ステップに対応する。
【０２６９】
また、上記１．の構成において、ステップＳ３０２〜Ｓ３０６及びステップＳ３１４〜Ｓ３１６並びにステップＳ４０２〜Ｓ４０６及びステップＳ４１４〜４２０は、形態７８、７９、８８及び８９のいずれか１の印刷ジョブ情報取得ステップに対応する。
また、上記１．の構成において、ステップＳ３０８〜Ｓ３１０及びステップＳ３１８〜Ｓ３２６並びにステップＳ４０８〜Ｓ４１０及びステップＳ４２２〜ステップＳ４３０は、形態７８、８０、８１、８２、８３、８４、８５、８８、９０、９１、９２、９３、９４及び９５のいずれか１の印刷ジョブ情報表示ステップに対応する。
【０２７０】
また、上記１．の構成において、ステップＳ７１２，Ｓ７１４は、形態７７、７８、８７及び８８のいずれか１の印刷ジョブ情報送信ステップに対応する。
また、上記１．の構成において、ステップＳ８００は、形態８０、８１、９０及び９１のいずれか１の印刷ジョブ情報選択ステップに対応し、ステップＳ８０２〜Ｓ８１６及びステップＳ９００〜Ｓ９０４は、形態８０又は９０の印刷処理実行ステップに対応し、ステップＳ８１８〜Ｓ８２６及びステップＳ９０６〜Ｓ９０８は、形態８１又は９１の印刷ジョブ削除ステップに対応する。
【０２７１】
また、上記２．の構成において、データ制御部４ｂ及びデータ記憶部４ｃによる印刷ジョブの記憶処理は、形態１、４、５、６及び６８のいずれか１の印刷ジョブ保持手段に対応し、データ制御部４ｂにおいて、データ記憶部４ｃに記憶された印刷ジョブから照合情報に対応した印刷ジョブを検索する処理は、形態５、６、８、９又は６８のいずれか１の印刷ジョブ検索手段に対応する。
【０２７２】
また、上記２．の構成において、ステップＳ２００，Ｓ２０２は、形態７７又は８７の印刷ジョブ保持ステップに対応する。
また、上記２．の構成において、ステップＳ６００〜Ｓ６０４及びステップＳ７０４〜Ｓ７０８は、形態７７又は８７の印刷ジョブ検索ステップに対応する。
また、上記２．の構成において、ステップＳ７１２，Ｓ７１４は、形態７７又は８７の印刷ジョブ情報送信ステップに対応する。
【０２７３】
また、上記３．の構成において、照合情報取得部４ｄは、形態７又は８の照合情報取得手段に対応し、データ制御部４ｂ及びデータ記憶部４ｃによる印刷ジョブの記憶処理は、形態１、４及び７のいずれか１の印刷ジョブ保持手段に対応し、データ制御部４ｂ及び印刷ジョブ保持機器検索部４ｅによる印刷ジョブ情報の取得処理は、形態７又は８の印刷ジョブ情報取得手段に対応し、印刷ジョブ情報表示処理部４ｆ及び表示部４ｇによる印刷ジョブ情報の表示処理は、形態７、１３、１４、１５、１６、１７及び１８のいずれか１の印刷ジョブ情報表示手段に対応し、操作部４ｈ、データ制御部４ｂ及び印刷処理制御部４ｉによる画面表示された印刷ジョブ情報を選択して印刷装置に印刷処理を実行させる処理は、形態１３の印刷ジョブ情報選択手段及び印刷処理実行手段に対応し、操作部４ｈ、データ制御部４ｂ及び印刷処理制御部４ｉによる画面表示された印刷ジョブ情報を選択して削除する処理は、形態１４の印刷ジョブ情報選択手段及び印刷ジョブ削除手段に対応し、データ制御部４ｂにおいて、データ記憶部４ｃに記憶された印刷ジョブから照合情報に対応した印刷ジョブを検索する処理は、形態７、８及び９のいずれか１の印刷ジョブ検索手段に対応する。
【０２７４】
また、上記実施の形態においては、印刷ジョブ情報の印刷処理回数と、印刷ジョブ情報の表示処理を行う装置と印刷ジョブ保持機器との物理的距離とに基づき、印刷ジョブ情報の表示順位を決定するようにしたが、これに限らず、例えば、図２２に示すように、最終印刷日時情報に基づき、最終印刷日時が新しい方から順に印刷ジョブ情報が優先して表示されるように印刷ジョブ情報を並び替えることで表示順位を決定する構成としても良いし、印刷ジョブがカラーデータかモノクロデータかによって、カラー又はモノクロデータに対応する印刷ジョブ情報を、カラー又はモノクロのいずれかが優先して表示されるように並び替えることで表示順位を決定する構成としても良いし、印刷ジョブのデータサイズに基づき、例えば、データサイズの大きい印刷ジョブ情報を優先して表示するように並び替えたり、又はデータサイズの小さい印刷ジョブ情報を優先して表示するように並び替えたりすることで表示順位を決定する構成としても良いし、印刷ジョブのページ数情報に基づき、例えば、ページ数の多い方から優先して表示されるように印刷ジョブ情報を並び替えたり、又はページ数の少ない方から優先して表示されるように印刷ジョブ情報を並び替えたりすることで表示順位を決定する構成としても良いし、これらとは別の構成としても良い。また、これら各構成を混在させた構成としても良い。
【０２７５】
また、上記実施の形態においては、印刷ジョブ情報の印刷処理回数に基づき、まず、印刷処理回数の多い方から順に印刷ジョブ情報を並び替え、次いで、一度も印刷処理が行われていない印刷ジョブ情報をこれらが先頭から順に並ぶように順位を入れ替え、更に、印刷ジョブ情報の表示処理を行う装置と印刷ジョブ保持機器との物理的距離（位置情報から計算）とに基づき、同じ印刷処理回数の印刷ジョブ情報を距離の近い方から先頭の方になる順に並び替える処理を行って、印刷ジョブ情報の表示順位を決定するようにしたが、これに限らず、例えば、印刷ジョブ情報の印刷処理回数に基づき、まず、印刷処理回数の多い方から順に印刷ジョブ情報を並び替え、次いで、一度も印刷処理が行われていない印刷ジョブ情報をこれらが先頭から順に並ぶように順位を入れ替えて印刷ジョブ情報の表示順位を決定するなど、上記３つの並び替え処理を任意に組み合わせて印刷ジョブ情報の表示順位を決定する構成としても良い。
【０２７６】
また、上記実施の形態において、１度も印刷処理が行われていない印刷ジョブを優先的にリストの先頭から順に表示し、これらに次いで、印刷処理回数が多い方から順に優先して表示するようにして、印刷処理が実行される可能性の高い印刷ジョブを表示リストから見つけやすくする例を説明したが、これに限らず、別の表示方法を用いて印刷処理が実行される可能性の高い印刷ジョブを表示リストから見つけやすくするようにしても良い。
【０２７７】
以下、別の表示方法の例を、図２３〜図２５に基づき説明する。ここで、図２３（ａ）〜（ｃ）並びに図２４（ａ）〜（ｃ）は、印刷可能性の高い印刷ジョブ情報を強調表示する例を示す図である。また、図２５（ａ）は、印刷可能性の高い印刷ジョブ情報を検索する検索ボタンを設けた一例を示す図であり、（ｂ）は、印刷可能性の高い印刷ジョブ情報を別表示する一例を示す図である。
【０２７８】
まず、印刷可能性の高い印刷ジョブ情報を強調表示する例を説明する。図２３（ａ）に示すように、印刷可能性の高い印刷ジョブ情報を示すファイル名等の、リストに表示する文字フォントの色、形、サイズなどを、当該表示する印刷ジョブ情報（ファイル名等）が目立つものに変更したり、同図（ｂ）に示すように、印刷可能性の高い印刷ジョブ情報の背景色を、リストに表示する印刷ジョブ情報が目立つものに変更したり、同図（ｃ）に示すように、印刷可能性の高い印刷ジョブ情報及びその背景の少なくとも一方を点滅表示させたりするなどして、リストに表示する印刷ジョブ情報を強調表示することによって印刷処理が実行される可能性の高い印刷ジョブを表示リストから見つけやすくしても良い。
【０２７９】
次に、印刷可能性の高い印刷ジョブ情報を強調表示する別の例を説明する。図２４（ａ）に示すように、印刷可能性の高い印刷ジョブ情報をスクロール表示するなど、当該印刷ジョブ情報をアニメーション表示させたり、同図（ｂ）に示すように、印刷可能性の高い印刷ジョブ情報に枠を付けるなど、当該印刷ジョブ情報を装飾表示したり、同図（ｃ）に示すように、印刷可能性の高い印刷ジョブ情報に星印などのアイコンを付加して表示したりするなど、印刷可能性の高い印刷ジョブ情報を強調表示することによって、印刷処理が実行される可能性の高い印刷ジョブを表示リストから見つけやすくしても良い。
【０２８０】
更に、別の表示方法の例として、図２５（ａ）に示すように、表示リストと同じ表示画面内に検索ボタンを設け、マウス等の入力デバイスを介してこの検索ボタンを押下することで、例えば、印刷可能性の高い印刷ジョブ情報があるページに画面が遷移するとともに、その印刷可能性の高い印刷ジョブ情報を強調表示したり、更に続けて検索ボタン押下することで、次に印刷可能性の高い印刷ジョブ情報があるページに順次遷移し、該当する印刷ジョブ情報を強調表示したりするなど、検索ボタンを押下する毎に、印刷可能性の高い方から順に印刷ジョブ情報を、切り替え且つ強調表示することによって、印刷処理が実行される可能性の高い印刷ジョブを表示リストから見つけやすくしても良い。
【０２８１】
また、別の表示方法の例として、図２５（ｂ）に示すように、表示リストとしては、特に並び替えをしないリストを表示し、当該表示リストと同じ表示画面内に、表示リストとは別の枠を設け、その枠内に印刷可能性の高い印刷ジョブ情報を表示するなど、印刷可能性の高い印刷ジョブ情報を表示順位の高い方から順にまとめて別表示することで、印刷処理が実行される可能性の高い印刷ジョブを表示リストから見つけやすくしても良い。
【０２８２】
また、上記実施の形態においては、照合情報を含む印刷ジョブ情報の取得要求情報を送信する際に、照合情報取得部４ｄで取得した照合情報に対して特別な処理を施さずにそのまま外部装置に向けて送信するようにしたが、これに限らず、照合情報を暗号化するなど、取得した照合情報に対してセキュリティを考慮した処理を施してから送信する構成としても良い。これにより、照合情報を含む印刷ジョブ情報の取得要求情報をネットワーク５に接続された複数の装置にブロードキャストした際において、例え取得要求情報を送信途中で傍受されたとしても、暗号化された照合情報からシステム利用者を特定することが難しくなりセキュリティが向上する。
【図面の簡単な説明】
【０２８３】
【図１】本発明に係る親展印刷システムの構成を示すブロック図である。
【図２】印刷指示装置２の詳細な機能構成を示すブロック図である。
【図３】印刷装置３の詳細な機能構成を示すブロック図である。
【図４】印刷ジョブ管理装置４の詳細な機能構成を示すブロック図である。
【図５】印刷指示装置２における印刷ジョブ送信処理を示すフローチャートである。
【図６】印刷ジョブ管理装置４における印刷ジョブの保存処理を示すフローチャートである。
【図７】印刷ジョブ管理装置４における、第１の印刷ジョブ情報表示処理を示すフローチャートである。
【図８】印刷ジョブ管理装置４における、第２の印刷ジョブ情報表示処理を示すフローチャートである。
【図９】印刷ジョブ管理装置４の印刷ジョブ情報表示処理部４ｆにおける、表示順位決定処理を示すフローチャートである。
【図１０】印刷ジョブ管理装置４における第１の印刷ジョブ検索応答処理を示すフローチャートである。
【図１１】印刷ジョブ管理装置４における第２の印刷ジョブ検索応答処理を示すフローチャートである。
【図１２】印刷ジョブ管理装置４における指定印刷ジョブの印刷／削除処理を示すフローチャートである。
【図１３】印刷ジョブ管理装置４における指定印刷ジョブの送信／削除処理を示すフローチャートである。
【図１４】印刷装置３における印刷処理を示すフローチャートである。
【図１５】（ａ）〜（ｃ）は、第１〜第３の印刷ジョブ管理装置４Ａ〜４Ｃがそれぞれ保持する印刷ジョブの印刷ジョブ情報の一例を示す図である。
【図１６】（ａ）〜（ｃ）は、第１〜第３の印刷ジョブ管理装置４Ａ〜４Ｃがそれぞれ保持する特定のシステム利用者の印刷ジョブ情報の一例を示す図である。
【図１７】印刷ジョブ管理装置４Ｂの保持する特定のシステム利用者の印刷ジョブ情報の表示例を示す図である。
【図１８】（ａ）は、印刷処理回数の多いものを優先して並び替えた表示順位の一例を示す図であり、（ｂ）は、（ａ）に加え、更に、印刷処理回数が０回のものを優先して並び替えた表示順位の一例を示す図である。
【図１９】（ａ）は、第１〜第３の印刷ジョブ管理装置４Ａ〜４Ｃの実空間上における位置関係の一例を示す図であり、（ｂ）は、（ａ）の位置関係に基づき並び替えた表示順位の一例を示す図である。
【図２０】第１〜第３の印刷ジョブ管理装置４Ａ〜４Ｃの保持する特定のシステム利用者の印刷ジョブ情報の表示例を示す図である。
【図２１】印刷ジョブ情報の選択状態の一例を示す図である。
【図２２】最終印刷処理日時が新しい方から順に優先して並び替えた表示順位の一例を示す図である。
【図２３】（ａ）〜（ｃ）は、印刷する可能性の高い印刷ジョブ情報を強調表示する例を示す図である。
【図２４】（ａ）〜（ｃ）は、印刷する可能性の高い印刷ジョブ情報を強調表示する例を示す図である。
【図２５】（ａ）は、印刷可能性の高い印刷ジョブ情報を検索する検索ボタンを設けた一例を示す図であり、（ｂ）は、印刷可能性の高い印刷ジョブ情報を別表示する一例を示す図である。
【符号の説明】
【０２８４】
１…親展印刷システム、２…印刷指示装置、２ａ…データ通信部、２ｂ…データ制御部、２ｃ…データ記憶部、２ｄ…印刷ジョブ生成部、３…印刷装置、３ａ…データ通信部、３ｂ…データ制御部、３ｃ…印刷処理部、４…印刷ジョブ管理装置、４ａ…データ通信部、４ｂ…データ制御部、４ｃ…データ記憶部、４ｄ…照合情報取得部、４ｅ…印刷ジョブ保持機器検索部、４ｆ…印刷ジョブ情報表示処理部、４ｇ…表示部、４ｈ…操作部、４ｉ…印刷処理制御部
【図１】
2006309703.tif 000003
【図２】
2006309703.tif 000004
【図３】
2006309703.tif 000005
【図４】
2006309703.tif 000006
【図５】
2006309703.tif 000007
【図６】
2006309703.tif 000008
【図７】
2006309703.tif 000009
【図８】
2006309703.tif 000010
【図９】
2006309703.tif 000011
【図１０】
2006309703.tif 000012
【図１１】
2006309703.tif 000013
【図１２】
2006309703.tif 000014
【図１３】
2006309703.tif 000015
【図１４】
2006309703.tif 000016
【図１５】
2006309703.tif 000017
【図１６】
2006309703.tif 000018
【図１７】
2006309703.tif 000019
【図１８】
2006309703.tif 000020
【図１９】
2006309703.tif 000021
【図２０】
2006309703.tif 000022
【図２１】
2006309703.tif 000023
【図２２】
2006309703.tif 000024
【図２３】
2006309703.tif 000025
【図２４】
2006309703.tif 000026
【図２５】
2006309703.tif 000027